(57)【特許請求の範囲】
【請求項１】
移動端末と、
前記移動端末のうち特定の移動端末がアクセス可能なクローズドアクセスモードで動作するセルと、
前記移動端末のうち不特定の移動端末がアクセス可能なオープンアクセスモードで動作するセルと、
前記クローズドアクセスモードと前記オープンアクセスモードとを同時にサポートするハイブリッドアクセスモードで動作するセルと、
を含む移動体通信システムにおいて、
前記ハイブリッドアクセスモードで動作するセルには、前記クローズドアクセスモードで動作するセル用のセル識別情報の範囲とは別の範囲に属するセル識別情報が割り当てられ、
前記ハイブリッドアクセスモードで動作するセルは、前記セル識別情報に１対１対応するシンクロナイゼーションコードが割り当てられた、第一同期信号および第二同期信号からなる同期信号を送信し、
前記移動端末は、前記同期信号を用いて前記ハイブリッドアクセスモードで動作するセルに同期をとり、同期がとれた前記セルの前記セル識別情報を検出する
ことを特徴とする移動体通信システム。
【請求項２】
前記ハイブリッドアクセスモードで動作するセルには、前記クローズドアクセスモードで動作するセル用の前記セル識別情報の範囲と前記オープンアクセスモードで動作するセル用のセル識別情報の範囲とは別の範囲に属する前記セル識別情報が割り当てられることを特徴とする請求項１記載の移動体通信システム。
【請求項３】
前記ハイブリッドアクセスモードで動作するセルには、前記オープンアクセスモードで動作するセル用のセル識別情報の範囲に属する前記セル識別情報が割り当てられることを特徴とする請求項１記載の移動体通信システム。
【請求項４】
移動端末と、
前記移動端末のうち特定の移動端末がアクセス可能なクローズドアクセスモードで動作するＣＳＧセルと、
前記移動端末のうち不特定の移動端末がアクセス可能なオープンアクセスモードで動作するｎｏｎ−ＣＳＧセルと、
を含む移動体通信システムで用いられるセルにおいて、
セル識別情報に１対１対応するシンクロナイゼーションコードが割り当てられた、第一同期信号および第二同期信号からなる同期信号を送信し、
前記クローズドアクセスモードと前記オープンアクセスモードとを同時にサポートするハイブリッドアクセスモードで動作する場合、前記クローズドアクセスモードで動作するセル用のセル識別情報の範囲とは別の範囲に属する前記セル識別情報が割り当てられる
ことを特徴とするセル。
【請求項５】
特定の移動端末がアクセス可能なクローズドアクセスモードで動作するセルと、
不特定の移動端末がアクセス可能なオープンアクセスモードで動作するセルと、
前記クローズドアクセスモードと前記オープンアクセスモードとを同時にサポートするハイブリッドアクセスモードで動作するセルと、
を含む移動体通信システムで用いられる移動端末において、
前記クローズドアクセスモードで動作するセル用のセル識別情報の範囲とは別の範囲に属するセル識別情報が、前記ハイブリッドアクセスモードで動作するセルに割り当てられており、
前記セル識別情報に１対１対応するシンクロナイゼーションコードが割り当てられた、第一同期信号および第二同期信号からなる同期信号を用いて前記ハイブリッドアクセスモードで動作するセルに同期をとり、同期がとれた前記セルの前記セル識別情報を検出する
ことを特徴とする移動端末。
【発明の詳細な説明】
【技術分野】
【０００１】
本発明は、基地局が複数の移動端末と無線通信を実施する移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワーク（単にネットワークとも称する）を含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW:Access Gatewayと称されることもある)と称される。このＬＴＥの通信システムでは、ユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。
基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は移動端末が待ち受け状態及び、アクティブ状態（Active State）の際に、トラッキングエリア（Tracking Area）リストの管理を行う。Ｓ−ＧＷ１０４はひとつまたは複数の基地局１０２とユーザデータの送受信を行う。Ｓ−ＧＷ１０４は基地局間のハンドオーバの際、ローカルな移動性のアンカーポイント（Mobility Anchor Point）となる。更にＰ−ＧＷ（PDN Gateway）が存在し、ユーザ毎のパケットフィルタリングやＵＥ−ＩＤアドレスの割当などを行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。フレーム毎に１番目（＃０）と６番目（＃５）のサブフレームに下り同期信号（Downlink Synchronization Signal: SS）が含まれる。同期信号には第一同期信号（Primary Synchronization Signal: P-SS）と第二同期信号（Secondary Synchronization Signal: S-SS）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。ＣＳＧ（Closed Subscriber Group cell）セルにおいてもｎｏｎ−ＣＳＧセルと同じチャネル構成が用いられると想定されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。ＰＤＣＣＨはＬ１/Ｌ２制御信号とも呼ばれる。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）やトランスポートチャネルであるＰＣＨがマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。またＰＵＣＣＨは、スケジューリングリクエスト（Scheduling Request: SR）を運ぶ。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference symbol received power：ＲＳＲＰ）がある。
【００１０】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１１】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１２】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１３】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。下り方法では、ＣＣＣＨはトランスポートチャネルである下り共有チャネル（ＤＬ−ＳＣＨ）へマッピングされる。上り方向では、ＣＣＣＨはトランスポートチャネルである上り共有チャネル(UL-SCH)へマッピングされる。
【００１４】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１５】
ＧＣＩとは、グローバルセル識別子（Global Cell Identity）のことである。ＬＴＥ及びＵＭＴＳ（Universal Mobile Telecommunication System）においてＣＳＧセル（Closed Subscriber Group cell）が導入される。ＣＳＧについて以下説明する（非特許文献４  ３．１章）。ＣＳＧ（Closed Subscriber Group）とは、利用可能な加入者をオペレータが特定しているセルである（特定加入者用セル）。特定された加入者は、ＰＬＭＮ（Public Land Mobile Network）のひとつ以上のＥ-ＵＴＲＡＮセルにアクセスすることが許可される。特定された加入者がアクセスを許可されている１つ以上のＥ−ＵＴＲＡＮセルを“ＣＳＧ  ｃｅｌｌ（ｓ）”とよぶ。ただし、ＰＬＭＮにはアクセス制限がある。ＣＳＧセルとは、固有のＣＳＧアイデンティティ（CSG identity: CSG ID，CSG-ID）を報知するＰＬＭＮの一部である。あらかじめ利用登録し、許可された加入者グループのメンバーは、アクセス許可情報であるところのＣＳＧ−ＩＤを用いてＣＳＧセルにアクセスする。ＣＳＧ−ＩＤはＣＳＧセルかセルによって報知される。移動体通信システムにＣＳＧ−ＩＤは複数存在する。そして、ＣＳＧ−ＩＤは、ＣＳＧ関連のメンバーのアクセスを容易にするために端末（UE）によって使用される。ＣＳＧセルあるいはセルによって報知される情報をＣＳＧ−ＩＤの代わりにトラッキングエリアコード（Tracking Area Code  TAC）にすることが３ＧＰＰ会合において議論されている。移動端末の位置追跡は、１つ以上のセルからなる区域を単位に行われる。位置追跡は、通信をしていない状態（待受け状態）であっても移動端末の位置を追跡し、呼び出す（移動端末が着呼する）ことを可能にするためである。この移動端末の位置追跡のための区域をトラッキングエリアとよぶ。ＣＳＧホワイトリスト（CSG White List）とは、加入者が属するＣＳＧセルのすべてのＣＳＧ ＩＤが記録されている、ＵＳＩＭに格納されたリストである。移動端末内のホワイトリストは上位レイヤによって与えられる。これによりＣＳＧセルの基地局は移動端末に無線リソースの割り当てを行う。
【００１６】
「適切なセル」（Suitable cell）について以下説明する（非特許文献４  4.3章）。「適切なセル」（Suitable cell）とは、ＵＥが通常（normal）サービスを受けるためにキャンプオン（Camp ON）するセルである。そのようなセルは、（１）セルは選択されたＰＬＭＮか登録されたＰＬＭＮ、または「Ｅｑｕｉｖａｌｅｎｔ  ＰＬＭＮリスト」のＰＬＭＮの一部であること、（２）ＮＡＳ（non-access stratum）によって提供された最新情報にてさらに以下の条件を満たすこと、（１）そのセルが禁じられた（barred）セルでないこと。（２）そのセルが“ローミングのための禁止されたＬＡｓ”リストの一部ではなく、少なくとも１つのトラッキングエリア（Tracking Area:TA）の一部であること。その場合、そのセルは上記（１）を満たす必要がある、（３）そのセルが、セル選択評価基準を満たしていること、（４）そのセルが、ＣＳＧセルとしてシステム情報（System Information: SI）によって特定されたセルに関しては、ＣＳＧ−ＩＤはＵＥの「ＣＳＧホワイトリスト」（CSG WhiteList）の一部であること（UEのCSG WhiteList中に含まれること）。
【００１７】
「アクセプタブルセル」（Acceptable cell）について以下説明する（非特許文献４  ４．３章）これは、ＵＥが限られたサービス（緊急通報）を受けるためにキャンプオンするセルである。そのようなセルは以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。
【先行技術文献】
【特許文献】
【００１８】
【非特許文献１】３ＧＰＰ  ＴＳ３６．３００  Ｖ８．６．０
【非特許文献２】３ＧＰＰ  Ｒ１−０７２９６３
【非特許文献３】ＴＲ  Ｒ３．０２０Ｖ０．６．０
【非特許文献４】３ＧＰＰ  ＴＳ３６．３０４  Ｖ８．３．０
【非特許文献５】３ＧＰＰ  Ｒ２−０８２８９９
【非特許文献６】３ＧＰＰ  Ｓ１−０８３４６１
【非特許文献７】３ＧＰＰ  Ｒ２−０８６２４６
【非特許文献８】３ＧＰＰ  ＴＳ２２．０１１
【非特許文献９】３ＧＰＰ  Ｒ２−０８６２８１
【非特許文献１０】３ＧＰＰ  ＴＳ３６．３３１
【非特許文献１１】３ＧＰＰ  Ｒ２−０９４８０８
【発明の概要】
【発明が解決しようとする課題】
【００１９】
ＨｅＮＢ及びＨＮＢに対してはさまざまなサービスへの対応が求められている。例えば、オペレータは、ある決められたＨｅＮＢ及びＨＮＢに移動端末を登録させ、登録した移動端末のみにＨｅＮＢ及びＨＮＢのセルへのアクセスを許可することで、該移動端末が使用できる無線リソースを増大させて高速に通信を行えるようにする。その分、オペレータは課金料を通常よりも高く設定する。といったサービスである。こういったサービスを実現するため、登録した（加入した、メンバーとなった）移動端末のみがアクセスできるＣＳＧ（Closed Subscriber Group cell）セルが導入されている。ＣＳＧ（Closed Subscriber Group cell）セルは、商店街やマンション、学校、会社などへ数多く設置されることが要求される。たとえば、商店街では店舗ごと、マンションでは部屋ごと、学校では教室ごと、会社ではセクションごとにＣＳＧセルを設置し、各ＣＳＧセルに登録したユーザのみが該ＣＳＧセルを使用可能とするような使用方法が要求されている。
【００２０】
一方、他のサービスとして、該ＣＳＧセルに対して、登録した移動端末のみではなく、登録していない移動端末にも一部の無線リソースを使用させることも考えられている。例えば、商店街の店舗に設置されたＣＳＧセルでは、店員の移動端末のみを該ＣＳＧに登録して高速通信可能とするだけでなく、該ＣＳＧに登録していないお客の移動端末にも利用させることが要求される。このような場合に対応するため、ＨｅＮＢ及びＨＮＢに対して、「ハイブリッドアクセスモード」(Hybrid access mode)の運用が提案されている。「ハイブリッドアクセスモード」とは、登録した移動端末のみアクセス可能な第一の動作モードである「クローズドアクセスモード」(closed access mode)と、登録していない移動端末がアクセス可能な第二の動作モードである「オープンアクセスモード」(open access mode)の両方を同時にサービスするＣＳＧセルの動作形態を示す(第三の動作モード)。この場合、登録した移動端末に対してはアクセスを許可するか判断しつつ、登録していない移動端末に対してもアクセスを許可するものである。したがって、商店街やマンションなどに数多く設置されたＨｅＮＢ及びＨＮＢは、オープンアクセスモードで動作するＣＳＧセル、クローズドアクセスモードで動作するＣＳＧセルが混在することになる。また、ＨｅＮＢ及びＨＮＢは可搬なサイズ、重量を想定しており、これらの設置や撤去は頻繁にかつ柔軟に行われることも要求される。このような要求を考慮すると、ある地点においては同時に多数のいろいろなモードのセルからの電波が送信されることになる。つまり、商店街やマンションなどでは、移動端末が多数のいろいろなモードのセルからの電波が届く位置にいる状況が発生する。
【００２１】
このように、オープンアクセスモード、クローズドアクセスモード、ハイブリッドアクセスモードのような異なる動作モードに設定された多数のセルからの電波が届く位置にいる移動端末の場合、多くのアクセス不可能なクローズドアクセスモードのセル（ＣＳＧセル）、つまりユーザアクセス登録していないＣＳＧセルを延々とサーチやセル選択を繰り返す状況が生じる。また、セルサーチを行い、選択したセルがハイブリッドアクセスモードのセル、つまりクローズドアクセスモードとオープンアクセスモードをサポートするセルであるにもかかわらず、ユーザアクセス登録していない移動端末はアクセスが不可能という状態になってしまい、再度セルサーチやセル選択を延々と繰り返す状況が生じてしまう。このような場合、システムに制御遅延や無線リソースの使用効率及びシグナリング効率の低下を引き起こす。また、セルサーチを繰り返す移動端末の消費電力が大きくなるという問題が生じる。これらの問題は前述したような将来の多数のいろいろなモードのＨｅＮＢ、ＨＮＢの配置状況を想定すると重要な問題となる。本発明はこれらの問題を解消するためになされたものである。
【課題を解決するための手段】
【００２２】
本発明に係る移動体通信システムは、移動端末と、移動端末のうち特定の移動端末がアクセス可能なクローズドアクセスモードで動作するセルと、移動端末のうち不特定の移動端末がアクセス可能なオープンアクセスモードで動作するセルと、クローズドアクセスモードとオープンアクセスモードとを同時にサポートするハイブリッドアクセスモードで動作するセルと、を含む移動体通信システムにおいて、ハイブリッドアクセスモードで動作するセルには、クローズドアクセスモードで動作するセル用のセル識別情報の範囲とは別の範囲に属するセル識別情報が割り当てられ、ハイブリッドアクセスモードで動作するセルは、セル識別情報に１対１対応するシンクロナイゼーションコードが割り当てられた、第一同期信号および第二同期信号からなる同期信号を送信し、移動端末は、同期信号を用いてハイブリッドアクセスモードで動作するセルに同期をとり、同期がとれたセルのセル識別情報を検出することを特徴とするものである。
【発明の効果】
【００２３】
本発明に係る移動体通信システムは、ハイブリッドアクセスモードで動作するセルには、クローズドアクセスモードで動作するセル用のセル識別情報の範囲とは別の範囲に属するセル識別情報が割り当てられ、ハイブリッドアクセスモードで動作するセルは、セル識別情報に１対１対応するシンクロナイゼーションコードが割り当てられた、第一同期信号および第二同期信号からなる同期信号を送信し、移動端末は、同期信号を用いてハイブリッドアクセスモードで動作するセルに同期をとり、同期がとれたセルのセル識別情報を検出するので、サーチ動作を高速に運用でき、移動体通信システムの制御遅延を防止するという効果を得ることが出来る。また、移動端末の消費電力の低減という効果を得ることが出来る。
【図面の簡単な説明】
【００２４】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰで議論されている移動体通信システムの全体的な構成を示すブロック図である。
【図８】本発明に係る移動端末３１１の構成を示すブロック図である。
【図９】本発明に係る基地局３１２の構成を示すブロック図である。
【図１０】本発明に係るＭＭＥの構成を示すブロック図である。
【図１１】本発明に係るＨｅＮＢＧＷの構成を示すブロック図である。
【図１２】ＬＴＥ方式の通信システムにおいて移動端末（ＵＥ）が行うセルサーチの概略を示すフローチャートである。
【図１３】実施の形態１のＰＣＩスプリットの概念図である。
【図１４】実施の形態１の移動端末の処理を示すフローチャートである。
【図１５】実施の形態１の移動端末のセル選択処理を示すフローチャートである。
【図１６】実施の形態２のＰＣＩスプリットの概念図である。
【図１７】実施の形態２の移動端末の処理を示すフローチャートである。
【図１８】実施の形態２の移動端末のセル選択処理を示すフローチャートである。
【図１９】実施の形態３の移動端末の処理を示すフローチャートである。
【図２０】実施の形態３変形例の移動端末の処理を示すフローチャートである。
【図２１】ハイブリッドアクセスモードのセルが二つのＴＡに属する場合の概念図である。
【図２２】従来の方法を適用した場合のＴＡＣの通知方法を示す図である。
【図２３】従来の方法を適用した場合の移動端末におけるセルサーチ、セル選択から待ち受け動作までのフローチャートである。
【図２４】ハイブリッドアクセスモードセルが属するＴＡを新たに設けた場合の概念図である。
【図２５】実施の形態５におけるハイブリッドアクセスモードセルからのＴＡＣの通知方法を説明する図である。
【図２６】ハイブリッドアクセスモードセルが属するＴＡをｎｏｎ−ＣＳＧセル用のＴＡに属するようにした場合の概念図である。
【図２７】実施の形態６におけるハイブリッドアクセスモードセルからのＴＡＣの通知方法を説明する図である。
【図２８】移動端末のセルサーチ、セル選択から待ち受けまでの動作を説明する図である。
【図２９】ハイブリッドアクセスモードセルが属するＴＡをＣＳＧセル用のＴＡに属するようにした場合の概念図である。
【図３０】実施の形態７におけるハイブリッドアクセスモードセルからのＴＡＣの通知方法を説明する図である。
【図３１】実施の形態７におけるアクセス制限による移動端末の待ちうけ動作までのフローチャートである。
【図３２】移動端末がＴＡＵ受領信号（ＴＡＵアクセプト）を受信するまでのシーケンスである。
【図３３】ＨＮＢ、ＨｅＮＢのオーナがアクセスモードを決定する方法について示した図である。
【図３４】ネットワークオペレータがセルのモード設定を行う場合の方法を示した図である。
【図３５】アクセス制限を決定するためのモード情報としてHybrid access indicatorを用いた場合を説明する図である。
【図３６】アクセス制限を決定するためのモード情報としてセルサーチの際に特定したＰＣＩを用いた場合を説明する図である。
【図３７】実施の形態１０の移動端末の処理を示すフローチャートである。
【図３８】現在３ＧＰＰで議論されている移動体通信システムの全体的な構成を示すブロック図である。
【図３９】実施の形態１１にて用いる、セル設置例の説明図である。
【図４０】実施の形態１１の解決策における移動体通信システムのシーケンス図である。
【図４１】実施の形態１１の変形例１の解決策における移動体通信システムのシーケンス図である。
【図４２】実施の形態１１の変形例２の解決策における移動体通信システムのシーケンス図である。
【発明を実施するための形態】
【００２５】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB(NB)、GERANのBSS）とを含めたシステムの全体的な構成が検討されており、ｅ−ＵＴＲＡＮについては、図７の（ａ）や（ｂ）のような構成が提案されている（非特許文献１、非特許文献３）。図７（ａ）について説明する。移動端末（ＵＥ）７１は基地局７２と送受信を行う。基地局７２はｅＮＢ（non-CSGセル）７２−１と、Ｈｏｍｅ−ｅＮＢ（CSGセル）７２−２とに分類される。ｅＮＢ７２−１はＭＭＥ７３とインタフェースＳ１により接続され、ｅＮＢとＭＭＥとの間で制御情報が通信される。ひとつのｅＮＢに対して複数のＭＭＥが接続される。Ｈｏｍｅ−ｅＮＢ７２−２はＭＭＥ７３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。
【００２６】
次に、図７（ｂ）について説明する。移動端末（ＵＥ）７１は基地局７２と送受信を行う。基地局７２はｅＮＢ（non-CSGセル）７２−１と、Ｈｏｍｅ−ｅＮＢ（CSGセル）７２−２とに分類される。図７（ａ）と同じように、ｅＮＢ７２−１はＭＭＥ７３とインタフェースＳ１により接続され、ｅＮＢとＭＭＥとの間で制御情報が通信される。ひとつのｅＮＢに対して複数のＭＭＥが接続される。一方、Ｈｏｍｅ−ｅＮＢ７２−２はＨｅＮＢＧＷ（Home-eNB GateWay）７４を介してＭＭＥ７３と接続される。Ｈｏｍｅ−ｅＮＢとＨｅＧＷはインタフェースＳ１により接続され、ＨｅＮＢＧＷ７４とＭＭＥ７３はインタフェースＳ１＿ｆｌｅｘを介して接続される。ひとつまたは複数のＨｏｍｅ−ｅＮＢ７２−２がひとつのＨｅＮＢＧＷ７４と接続され、Ｓ１を通して情報が通信される。ＨｅＮＢＧＷ７４はひとつまたは複数のＭＭＥ７３と接続され、Ｓ１＿ｆｌｅｘを通して情報が通信される。
【００２７】
図７（ｂ）の構成を用いて、ひとつのＨｅＮＢＧＷ７４を、同じＣＳＧ−ＩＤに属するＨｏｍｅ−ｅＮＢと接続することによって、例えばレジストレーション情報など、同じ情報をＭＭＥ７３から同じＣＳＧ−ＩＤに属する複数のＨｏｍｅ−ｅＮＢ７２−２に送信する場合、一旦ＨｅＮＢＧＷ７４へ送信し、そこから複数のＨｏｍｅ−ｅＮＢ７２−２へ送信することで、複数のＨｏｍｅ−ｅＮＢ７２−２に対してそれぞれ直接に送信するよりもシグナリング効率を高められる。一方、各Ｈｏｍｅ−ｅＮＢ７２−２がそれぞれ個別の情報をＭＭＥ７３と通信する場合は、ＨｅＮＢＧＷ７４を介すがそこで情報を加工することなく通過（透過）させるだけにしておくことで、Ｈｏｍｅ−ｅＮＢ７２−２とＭＭＥ７３があたかも直接接続されているように通信することも可能となる。
【００２８】
図８は、本発明に係る移動端末（図７の端末７１）の構成を示すブロック図である。図８に示す移動端末の送信処理を説明する。まず、プロトコル処理部８０１からの制御データ、アプリケーション部８０２からのユーザデータが送信データバッファ部８０３へ保存される。送信データバッファ部８０３に保存されたデータはエンコーダー部８０４へ渡され、誤り訂正などのエンコード処理が施される。エンコード処理を施さずに送信データバッファ部８０３から変調部８０５へ直接出力されるデータが存在しても良い。エンコーダー部８０４でエンコード処理されたデータは変調部８０５にて変調処理が行われる。変調されたデータはベースバンド信号に変換された後、周波数変換部８０６へ出力され、無線送信周波数に変換される。その後、アンテナ８０７から基地局３１２に送信信号が送信される。また、移動端末３１１の受信処理は以下のとおり実行される。基地局３１２からの無線信号がアンテナ８０７により受信される。受信信号は、周波数変換部８０６にて無線受信周波数からベースバンド信号に変換され、復調部８０８において復調処理が行われる。復調後のデータはデコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末の一連の処理は制御部８１０によって制御される。よって制御部８１０は、図面では省略しているが、各部（801〜809）と接続している。
【００２９】
図９は、本発明に係る基地局（図７の基地局７２）の構成を示すブロック図である。図９に示す基地局の送信処理を説明する。ＥＰＣ通信部９０１は、基地局７２とＥＰＣ（MME73,HeNBGW74など）間のデータの送受信を行う。他基地局通信部９０２は、他の基地局との間のデータの送受信を行う。ＥＰＣ通信部９０１、他基地局通信部９０２はそれぞれプロトコル処理部９０３と情報の受け渡しを行う。プロトコル処理部９０３からの制御データ、またＥＰＣ通信部９０１と他基地局通信部９０２からのユーザデータ及び制御データが送信データバッファ部９０４へ保存される。送信データバッファ部９０４に保存されたデータはエンコーダー部９０５へ渡され、誤り訂正などのエンコード処理が施される。エンコード処理を施さずに送信データバッファ部９０４から変調部９０６へ直接出力されるデータが存在しても良い。エンコードされたデータは変調部９０６にて変調処理が行われる。変調されたデータはベースバンド信号に変換された後、周波数変換部９０７へ出力され、無線送信周波数に変換される。その後、アンテナ９０８より一つもしくは複数の移動端末７１に対して送信信号が送信される。また、基地局７２の受信処理は以下のとおり実行される。ひとつもしくは複数の移動端末３１１からの無線信号がアンテナ９０８により受信される。受信信号は周波数変換部９０７にて無線受信周波数からベースバンド信号に変換され、復調部９０９で復調処理が行われる。復調されたデータはデコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１、他基地局通信部９０２へ渡される。基地局７２の一連の処理は制御部９１１によって制御される。よって制御部９１１は図面では省略しているが各部（901〜910）と接続している。
【００３０】
図１０は、本発明に係るＭＭＥ(Mobility Management Entity)の構成を示すブロック図である。ＰＤＮ  ＧＷ通信部１００１はＭＭＥ７３とＰＤＮ  ＧＷ間のデータの送受信を行う。基地局通信部１００２はＭＭＥ７３と基地局７２間をＳ１インタフェースによるデータの送受信を行う。ＰＤＮ  ＧＷから受信したデータがユーザデータであった場合、ユーザデータはＰＤＮ  ＧＷ通信部１００１からユーザプレイン処理部１００３経由で基地局通信部１００２に渡され、１つあるいは複数の基地局７２へ送信される。基地局７２から受信したデータがユーザデータであった場合、ユーザデータは基地局通信部１００２からユーザプレイン処理部１００３経由でＰＤＮ  ＧＷ通信部１００１に渡され、ＰＤＮ  ＧＷへ送信される。
【００３１】
ＰＤＮ  ＧＷから受信したデータが制御データであった場合、制御データはＰＤＮ  ＧＷ通信部１００１から制御プレイン制御部１００５へ渡される。基地局７２から受信したデータが制御データであった場合、制御データは基地局通信部１００２から制御プレイン制御部１００５へ渡される。ＨｅＮＢＧＷ通信部１００４は、ＨｅＮＢＧＷ７４が存在する場合に設けられ、情報種別によって、ＭＭＥ７３とＨｅＮＢＧＷ７４間のインタフェース（ＩＦ）によるデータの送受信を行う。ＨｅＮＢＧＷ通信部１００４から受信した制御データはＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００３２】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１はＮＡＳ（Non-Access Stratum）メッセージのセキュリティなどを行う。ＳＡＥベアラコントロール部１００５―２はＳＡＥ（System Architecture Evolution）のベアラの管理などを行う。アイドルステートモビリティ管理部１００５―３は、待受け（LTE‐IDLE状態、単にアイドルとも称される）状態のモビリティ管理、待受け状態時のページング信号の生成及び制御、傘下の１つあるいは複数の移動端末７１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area: TA）に属するセルへページングメッセージを送信することで、ページングプロトコルに着手する。ＭＭＥに接続されるＨｏｍｅ−ｅＮＢ７２−２のＣＳＧの管理やＣＳＧ−ＩＤの管理、そしてホワイトリスト管理を、アイドルステートモビリティ管理部１００５―３で行っても良い。ＣＳＧ−ＩＤの管理では、ＣＳＧ−ＩＤに対応する移動端末とＣＳＧセルの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルの関係であっても良い。ホワイトリスト管理では、移動端末とＣＳＧ−ＩＤの関係が管理（追加、削除、更新、検索）される。例えば、ホワイトリストには、ある移動端末がユーザ登録した一つまたは複数のＣＳＧ−ＩＤが記憶されても良い。これらのＣＳＧに関する管理はＭＭＥ７３の中の他の部分で行われても良いが、アイドルステートモビリティ管理部１００５―３で行うことで、現在３ＧＰＰ会合で議論されている、ＣＳＧ−ＩＤの代わりにトラッキングエリアコード（Tracking Area Code）を用いる方法が効率よく行える。ＭＭＥ３１３の一連の処理は制御部１００６によって制御される。よって制御部１００６は図面では省略しているが各部（1001〜1005）と接続している。
【００３３】
図１１は、本発明に係るＨｅＮＢＧＷの構成を示すブロック図である。ＥＰＣ通信部１１０１はＨｅＮＢＧＷ７４とＭＭＥ７３間をＳ１＿ｆｌｅｘインタフェースによるデータの送受信を行う。基地局通信部１１０２はＨｅＮＢＧＷ７４とＨｏｍｅ−ｅＮＢ７２−２間をＳ１インタフェースによるデータの送受信を行う。ロケーション処理部１１０３は、ＥＰＣ通信部１１０１経由で渡されたＭＭＥ７３からのデータのうちレジストレーション情報など、複数のＨｏｍｅ−ｅＮＢに送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は制御部１１０４によって制御される。よって制御部１１０４は図面では省略しているが各部（1101〜1103）と接続している。
【００３４】
次に移動体通信システムにおける一般的なセルサーチ方法の一例を示す。図１２は、ＬＴＥ方式の通信システムにおいて移動端末（UE）が行うセルサーチから待ち受け動作までの概略を示すフローチャートである。移動端末にてセルサーチが開始されると、ステップＳＴ１２０１で周辺の基地局から送信される第一同期信号（P−SS）、第二同期信号（S−SS）を用いてスロットタイミング、フレームタイミングの同期をとる。Ｐ−ＳＳとＳ−ＳＳあわせて、同期信号（SS）にはセル毎に割り当てられたＰＣＩ（Physical Cell Identity）に１対１対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。次に同期がとれたセルに対して、ステップＳＴ１２０２で、基地局からセル毎に送信される参照信号ＲＳ（Reference Signal）を検出し受信電力の測定を行う。参照信号ＲＳにはＰＣＩと１対１に対応したコードが用いられており、そのコードで相関をとることによって他セルと分離できる。ＳＴ１２０１で特定したＰＣＩから該セルのＲＳ用のコードを導出すことによって、ＲＳを検出し、ＲＳ受信電力を測定することが可能となる。次にＳＴ１２０３で、ＳＴ１２０２までで検出されたひとつ以上のセルの中から、ＲＳの受信品質が最も良いセル（例えば、ＲＳの受信電力が最も高いセル）（ベストセル）を選択する。次にＳＴ１２０４でベストセルのＰＢＣＨを受信して、報知情報であるＢＣＣＨを得る。ＰＢＣＨ上のＢＣＣＨには、セル構成情報が含まれるＭＩＢ（Master Information Block）がのる。ＭＩＢの情報としては、例えば、ＤＬ（ダウンリンク）システム帯域幅、送信アンテナ数、ＳＦＮ（System Frame Number）などがある。
【００３５】
次に１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には該セルへのアクセスに関する情報や、セルセレクションに関する情報、他のＳＩＢ（SIBk;k≧2の整数）のスケジューリング情報が含まれる。また、ＳＩＢ１にはＴＡＣ（Tracking Area Code）が含まれる。次にＳＴ１２０６で、移動端末は、ＳＴ１２０５で受信したＴＡＣと、移動端末が既に保有しているＴＡＣと比較する。比較した結果、同じならば、該セルで待ち受け動作に入る。比較して異なる場合は、移動端末は該セルを通してコアネットワーク（Core Network, EPC）（ＭＭＥなどが含まれる）へ、ＴＡＵ（Tracking Area Update）を行うためＴＡの変更を要求する。コアネットワークは、ＴＡＵ要求信号とともに移動端末から送られてくる該移動端末の識別番号（UE−IDなど）をもとに、ＴＡの更新を行う。コアネットワークはＴＡの更新後、移動端末にＴＡＵ受領信号を送信する。移動端末は該セルのＴＡＣで、移動端末が保有するＴＡＣ（あるいはＴＡＣリスト）を書き換える（更新する）。その後移動端末は該セルで待ち受け動作に入る。
【００３６】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末がひとつのＣＳＧを構成する。このように構成されたＣＳＧにはＣＳＧ−ＩＤと呼ばれる固有の識別番号が付される。なお、ひとつのＣＳＧには複数のＣＳＧセルがあっても良い。移動端末はどれかひとつのＣＳＧセルに登録すればそのＣＳＧセルが属するＣＳＧの他のＣＳＧセルにはアクセス可能となる。また、ＬＴＥでのＨｏｍｅ−ｅＮＢやＵＭＴＳでのＨｏｍｅ−ＮＢがＣＳＧセルとして使われることがある。ＣＳＧセルに登録した移動端末は、ホワイトリストを有する。具体的にはホワイトリストはＳＩＭ／ＵＳＩＭに記憶される。ホワイトリストには、移動端末が登録したＣＳＧセルのＣＳＧ情報がのる。ＣＳＧ情報として具体的には、ＣＳＧ−ＩＤ、ＴＡＩ（Tracking Area Identity）、ＴＡＣなどが考えられる。ＣＳＧ−ＩＤとＴＡＣが対応づけられていれば、どちらか一方で良い。また、ＣＳＧ−ＩＤやＴＡＣとＧＣＩ（Global Cell Identity）が対応付けられていればＧＣＩでもよい。以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００３７】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５）。またＰＣＩスプリット情報は、システム情報にて基地局から傘下の移動端末に対して報知されることが議論されている。ＰＣＩスプリットを用いた移動端末の基本動作を開示する。ＰＣＩスプリット情報を有しない移動端末は、全ＰＣＩを用いて（例えば５０４コード全てを用いて）セルサーチを行う必要がある。対してＰＣＩスプリット情報を有する移動端末は、当該ＰＣＩスプリット情報を用いてセルサーチを行うことが可能である。非特許文献６にＨｅＮＢ及びＨＮＢへのアクセスの３つの異なるモードが開示されている。オープンアクセスモード（Open access mode）とクローズドアクセスモード（Closed access mode）とハイブリッドアクセスモード（Hybrid access mode）である。各々のモードは以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードの実用例を以下に示す。ショッピングモール内でのカバレッジを改善するためＨｅＮＢ（ＨＮＢでも良い）が配置されたと考える。当該ＨｅＮＢをハイブリッドアクセスモードで運用した場合を考える。ショッピングモールの所有者、従業員は当該ＨｅＮＢに登録することにより、当該ＨｅＮＢ経由でサービスを受ける場合、課金優遇が受けられるとする。この使用方法はクローズドアクセスモードの使用方法である。一方、当該ＨｅＮＢに未登録であるお客も、当該ＨｅＮＢ経由でサービスを受けることができる。この使用方法はオープンアクセスモードの使用方法である。上記のようにハイブリッドアクセスモードとは、登録済みのユーザにはクローズドアクセスモードとして動作し、未登録のユーザにはオープンアクセスモードとして同時に動作するモードである。よってハイブリッドアクセスモードは、オープンアクセスモード及びクローズドアクセスモードと性質を異にする。非特許文献７では、ＰＣＩスプリットに関するシグナリングについて記載されている。しかし、ＨｅＮＢおよびＨＮＢのハイブリッドアクセスモードに関する記載はない。
【００３８】
本実施の形態１の課題を以下に示す。ＨｅＮＢ（ＨＮＢでも良い）がハイブリッドアクセスモードで運用されている場合、ハイブリッドアクセスモードと言えＣＳＧセルである。よって、ハイブリッドアクセスモードで運用されるＨｅＮＢに従来のＰＣＩスプリットにてＣＳＧセル用のＰＣＩ範囲に含まれるＰＣＩを割り当てると考える。この場合、ホワイトリストを持たない移動端末（ＣＳＧセルへ登録していない移動端末）がＰＣＩスプリット情報を受信後、ｎｏｎ−ＣＳＧセル用のＰＣＩ範囲に含まれるＰＣＩを用いてセルサーチを行い、ＣＳＧセル用のＰＣＩ範囲に含まれるＰＣＩが割り当てられるハイブリッドアクセスモードで運用されるＨｅＮＢをセルサーチ動作の対象セルから外してしまうという問題が発生する。ハイブリッドアクセスモードで運用されるＨｅＮＢは非ＣＳＧメンバーであってもアクセス許可されるモードであるにも関わらず、サーチ対象から外れてしまう。よってハイブリッドアクセスモードで運用されるＨｅＮＢのカバレッジ内に存在するホワイトリストを持たない移動端末が、当該ＨｅＮＢをセル選択しないという問題が発生する。これは、通信可能なロケーションにおいて、ＰＣＩ割当の不都合により通信不可能となることを意味する。移動体通信システムとして、本問題は大きな課題である。
逆に、上記にてハイブリッドアクセスモードで運用されるＨｅＮＢをサーチ対象から外さないとすれば、ホワイトリストを持たない移動端末がＰＣＩスプリット情報を受信後であっても全セルを対象にセルサーチ動作を行うことになり、システムの制御遅延、移動端末の消費電力の増大という課題が発生する。
【００３９】
ＣＳＧ（Closed Subscriber Group cell）セルは、マンションや学校、会社などへ数多く設置されることが要求される。たとえば、マンションでは部屋ごと、学校では教室ごと、会社ではセクションごとにＣＳＧセルを設置し、各ＣＳＧセルに登録したユーザのみが該ＣＳＧセルを使用可能とするような使用方法が要求されている。さらには、ＣＳＧセルは可搬なサイズ、重量を想定しており、これらＣＳＧセルの設置や撤去は頻繁にかつ柔軟に行われることも要求される。このような要求を考慮すると、ある地点においては同時に多数のＣＳＧセルからの電波が送信されることになる。つまり、マンションや学校、会社などでは、移動端末が多数のＣＳＧセルからの電波が届く位置にいる状況が発生する。
【００４０】
また、ＣＳＧセルは、ｎｏｎ−ＣＳＧセルからの電波がとどかない場所へ設置され、該ＣＳＧセルを介して移動端末との通信を可能とすることが要求される。例えば、現在、マンションの部屋がｎｏｎ−ＣＳＧセルからの電波がとどかないような状況が多くある。このような場合に、マンションの部屋ごとにＣＳＧセルが設置され、部屋ごとのＣＳＧセルでそれぞれＣＳＧが構成されてＣＳＧ−ＩＤが与えられる。例えば各部屋の住人が所有する移動端末はそれぞれの部屋のＣＳＧセルにユーザアクセス登録する場合が考えられる。このような状況においては、移動端末はｎｏｎ−ＣＳＧセルからの電波は届かず、数多くのＣＳＧセルからの電波が届くような場所に存在するようになる。また、このような場合に、電波伝搬環境によっては、ユーザアクセス登録したＣＳＧセルからの電波が移動端末に届かなかったり、届いたとしても他のＣＳＧセルよりも受信電力が弱かったりする場合が多発する。
【００４１】
ホワイトリストを持たない移動端末が、ハイブリッドアクセスモードで運用されているＨｅＮＢをサーチ対象から外さないように、ＰＣＩスプリット情報を受信後であっても全セルサーチを行うとすれば、多数のＣＳＧセルからの電波が届く位置にいる移動端末の場合、多くのアクセス不可能なＣＳＧセル（つまりユーザアクセス登録していないＣＳＧセル）を延々とサーチやセル選択を繰り返す状況が生じる。このような場合、システムに制御遅延や無線リソースの使用効率及びシグナリング効率の低下を引き起こす。また、セルサーチを繰り返す移動端末の消費電力が大きくなるという問題が生じる。これらの問題は前述したような将来のＣＳＧセルの配置状況を想定すると重要な問題となる。
【００４２】
本実施の形態では、以下の方法で上記課題を解決する。移動体通信システムとしてＰＣＩスプリットにて、ＣＳＧセル用のＰＣＩ範囲と、ｎｏｎ−ＣＳＧセル用のＰＣＩ範囲を重複(一部でも全部でも良い)させる。概念図を図１３に示す。（ａ）に現在の３ＧＰＰの議論におけるＰＣＩスプリットの概念図を示す。範囲Ａは全ＰＣＩを示している。例えば５０４通り（５０４コード）である。例えばＣＳＧセル用のＰＣＩ範囲を範囲Ｂとする。例えばｎｏｎ−ＣＳＧセル用のＰＣＩ範囲を範囲Ｃとする。（ｂ）に本実施の形態で開示するＰＣＩスプリットの概念図を示す。範囲Ａは全ＰＣＩを示している。例えばＣＳＧセル用のＰＣＩ範囲を範囲Ｂとする。例えばｎｏｎ−ＣＳＧセル用のＰＣＩ範囲を範囲Ｃとする。ＣＳＧセル用のＰＣＩ範囲とｎｏｎ−ＣＳＧセル用のＰＣＩ範囲の重複範囲を範囲Ｄとする。本実施の形態では、従来のＰＣＩスプリットに対して、ハイブリッドアクセスモードで運用されるＨｅＮＢを割当てるＰＣＩ範囲をＣＳＧセル用のＰＣＩ範囲やｎｏｎ−ＣＳＧセル用のＰＣＩ範囲とは別の範囲に決めることにより課題を解決する。
【００４３】
図１３(ｂ)に示す概念を言い換えれば、セル識別情報(ＰＣＩ)は、ＣＳＧセル（特定加入者用セル）に割り当てる範囲Ｂに含まれるＰＣＩ（第一分類）と、ｎｏｎ−ＣＳＧセル（不特定利用者用セル）に割り当てる範囲Ｃに含まれるＰＣＩ（第二分類）、ハイブリッドアクセスモードで運用されるＨｅＮＢに割り当て可能な範囲Ｄに含まれるＰＣＩ（第三分類）の３つの類型に分類されている。オープンモードで動作しているＣＳＧセルには、範囲Ｄに含まれるＰＣＩが割り当てられる。本実施の形態では、ハイブリッドアクセスモード、つまり、いずれの移動端末にもアクセスを許容している動作状態においては、そのＨｅＮＢ（ＨＮＢでもよい）に、上記ＣＳＧセル用のＰＣＩ範囲とｎｏｎ−ＣＳＧセル用のＰＣＩ範囲が重複したＰＣＩ範囲（範囲Ｄ）に含まれるＰＣＩを割り当てる。図１３を用いて説明すれば、ハイブリッドアクセスモードで運用されているＨｅＮＢ用のＰＣＩに範囲Ｄに含まれるＰＣＩを割り当てる。
【００４４】
また、ＣＳＧセル用のＰＣＩ範囲とｎｏｎ−ＣＳＧセル用のＰＣＩ範囲が重複したＰＣＩ範囲（範囲Ｄ）のＰＣＩをハイブリッドアクセスモードで運用されているＨｅＮＢの他に、ＣＳＧセル、あるいはｎｏｎ−ＣＳＧセルに割り当てても良い。つまりＣＳＧセル用のＰＣＩ範囲とｎｏｎ−ＣＳＧセル用のＰＣＩ範囲が重複したＰＣＩ範囲である範囲ＤはＣＳＧセル（アクセスモードに関わらず）、ｎｏｎ−ＣＳＧセルのいずれにも割り当て可能な範囲としても良い。図１３(ｂ)に示す概念を言い換えれば、セル識別情報(ＰＣＩ)は、ＣＳＧセル（特定加入者用セル）に割り当てる範囲Ｂに含まれるＰＣＩ（第一分類）と、ｎｏｎ−ＣＳＧセル（不特定利用者用セル）に割り当てる範囲Ｃに含まれるＰＣＩ（第二分類）、ＣＳＧセル、ｎｏｎ−ＣＳＧセルのいずれにも割り当て可能な範囲Ｄに含まれるＰＣＩ（第三分類）の３つの類型に分類されている。これにより、ハイブリッドアクセスモードで運用されるＨｅＮＢの導入によってＣＳＧセル用のＰＣＩ割当可能領域及び、ｎｏｎ−ＣＳＧセル用のＰＣＩ割当可能領域が減らないという効果を得ることが出来る。      
【００４５】
次に図１４を用いて、本実施の形態における移動体端末としての動作の一例を説明する。ステップＳＴ１４０１にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１４０２へ移行する。有している場合、ステップＳＴ１４０４へ移行する。ステップＳＴ１４０２にて移動端末は、全ＰＣＩ範囲にてセルサーチを行う。ステップＳＴ１４０３にて移動端末はセル選択が行われたか否かを判断する。行われていた場合、処理を終了する。行われていない場合、ステップＳＴ１４０１へ戻る。
【００４６】
ステップＳＴ１４０３で行われるセル選択の詳細動作例について図１５を用いて説明する。ステップＳＴ１５０１にて移動端末は、リファレンスシグナル（Reference signal：ＲＳ）の受信品質が最も良いセル（例えば、ＲＳの受信電力が最も高いセル）をベストセルとして選択する。ステップＳＴ１５０２にて移動端末は、当該ベストセルがＣＳＧセルであるか、ｎｏｎ−ＣＳＧセルであるかを判断する。この判断には基地局から報知されるシステム情報にマッピングされるＣＳＧインジケータを用いることができる。ｎｏｎ−ＣＳＧセルであった場合、ステップＳＴ１５０３へ移行する。ＣＳＧセルであった場合、ステップＳＴ１５０８へ移行する。ステップＳＴ１５０３にて移動端末は、現在のセルサーチにてＣＳＧセルを優先してセル選択するか否かを判断する。ＣＳＧセルを優先してセル選択を行わない場合、ステップＳＴ１５０４へ移行する。ＣＳＧセルを優先してセル選択を行う場合、ステップＳＴ１５０５へ移行する。ステップＳＴ１５０４にて移動端末は、当該セルを選択する。その後処理を終了する。ステップＳＴ１５０５にて移動端末は、当該セルをセルサーチの対象から外し、ステップＳＴ１５０６へ移行する。ステップＳＴ１５０６にて移動端末は、サーチを続けるか否かを判断する。続けるか否かの具体的な判断例は、他にセルサーチの対象となるセルが存在する場合はサーチを続けると判断し、他にセルサーチの対象となるセルが存在しない場合はサーチを続けないと判断する。またセルサーチ開始からセル選択を完了させるまでの許容時間内であればサーチを続けると判断し、許容時間が満了すれば、あるいは満了していればサーチを続けないと判断する。サーチを続ける場合、ステップＳＴ１５０７へ移行する。サーチを続けない場合、処理を終了する。ステップＳＴ１５０７にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１５０１へ戻る。有している場合、図１４のステップＳＴ１４０４へ移行する。
【００４７】
ステップＳＴ１５０８にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ１５０９へ移行する。ＣＳＧ−ＩＤを有していない場合、あるいはＣＳＧセルへ登録していない場合、ステップＳＴ１５１０へ移行する。ステップＳＴ１５０９にて移動端末は、当該セルのＣＳＧ−ＩＤをホワイトリスト内に有しているか否かを判断する。言い換えれば、当該セルのＣＳＧ−ＩＤへ登録しているか否かを判断する。当該ＣＳＧ−ＩＤを有している場合、あるいは当該ＣＳＧ−ＩＤへ登録している場合、ステップＳＴ１５０４へ移行する。当該ＣＳＧ−ＩＤを有していない場合、あるいは当該ＣＳＧ−ＩＤへ登録していない場合は、ステップＳＴ１５１０へ移行する。ステップＳＴ１５１０にて移動端末は、当該セルをセルサーチの対象から外し、ステップＳＴ１５１１へ移行する。ステップＳＴ１５１１にて移動端末は、サーチを続けるか否かを判断する。続けるか否かの具体的な判断例は、他にセルサーチの対象となるセルが存在する場合はサーチを続けると判断し、他にセルサーチの対象となるセルが存在しない場合はサーチを続けないと判断する。またセルサーチ開始からセル選択を完了させるまでの許容時間内であればサーチを続けると判断し、許容時間が満了すれば、あるいは満了していればサーチを続けないと判断する。サーチを続ける場合、ステップＳＴ１５１２へ移行する。サーチを続けない場合、処理を終了する。ステップＳＴ１５１２にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１５０１へ戻る。有している場合、図１４のステップＳＴ１４０４へ移行する。
【００４８】
ステップＳＴ１４０４にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ１４０５へ移行する。ＣＳＧ−ＩＤを有していない場合、あるいはＣＳＧセルへ登録していない場合、ステップＳＴ１４０９へ移行する。ステップＳＴ１４０５にて移動端末は、本実施の形態で開示したＰＣＩスプリット情報にてＣＳＧセル用のＰＣＩ範囲に属するＰＣＩにてセルサーチを行い、ステップＳＴ１４０６へ移行する。ステップＳＴ１４０６にて移動端末は、セル選択が行われたか否かを判断する。行われていた場合、処理を終了する。行われていない場合、ステップＳＴ１４０７へ移行する。ステップＳＴ１４０６で行われるセル選択の詳細動作例について図１５を用いて説明する。ステップＳＴ１４０６ではステップ１４０３と異なり、ＰＣＩスプリット情報を有し、ＣＳＧセル用のＰＣＩ範囲に属するＰＣＩにてセルサーチを行い、かつホワイトリストを有する移動端末のセル選択動作である。よって図１５にてステップ１５０１の処理後、ステップＳＴ１５０２でＹＥＳと判断され、ステップＳＴ１５０８でＹＥＳと判断され、ステップＳＴ１５０９で判断され、ステップＳＴ１５０４、あるいはステップＳＴ１５１０の処理へ進む。ステップＳＴ１５１０の処理後、ステップＳＴ１５１１で判断され、ステップＳＴ１５１２、あるいは処理を終了する。ステップＳＴ１５１２ではＹＥＳと判断され図１４のステップＳＴ１４０５へ移行する。
【００４９】
ステップＳＴ１４０７にて移動端末は、周辺に登録しているＣＳＧセル、あるいは登録しているハイブリッドアクセスモードで運用されるＨｅＮＢが存在しないと判断しｎｏｎ−ＣＳＧセルを選択すべく、本実施の形態で開示したＰＣＩスプリット情報にてｎｏｎ−ＣＳＧセル用のＰＣＩ範囲に属するＰＣＩにてセルサーチを行い、ステップＳＴ１４０８へ移行する。ステップＳＴ１４０８にて移動端末は、セル選択が行われたか否かを判断する。行われていた場合、処理を終了する。行われていない場合、ステップＳＴ１４０５へ戻る。ステップＳＴ１４０８で行われるセル選択の詳細動作例について図１５を用いて説明する。ステップＳＴ１４０８ではステップ１４０３と異なり、ＰＣＩスプリット情報を有し、ｎｏｎ−ＣＳＧセル用のＰＣＩ範囲に属するＰＣＩにてセルサーチを行い、かつ現在のセルサーチにてＣＳＧセルを優先していない移動端末のセル選択動作である。よって図１５にてステップ１５０１の処理後、ステップＳＴ１５０２でＮＯと判断され、ステップＳＴ１５０３でＮＯと判断され、ステップＳＴ１５０４の処理を行う。
【００５０】
ステップＳＴ１４０９にて移動端末は、本実施の形態で開示したＰＣＩスプリット情報にてｎｏｎ−ＣＳＧセル用のＰＣＩ範囲に属するＰＣＩにてセルサーチを行い、ステップＳＴ１４１０へ移行する。ステップＳＴ１４１０にて移動端末は、セル選択が行われたか否かを判断する。行われていた場合、処理を終了する。行われていない場合、ステップＳＴ１４０９へ戻る。ステップＳＴ１４１０で行われるセル選択の詳細動作例について図１５を用いて説明する。ステップＳＴ１４１０ではステップ１４０３と異なり、ＰＣＩスプリット情報を有し、ｎｏｎ−ＣＳＧセル用のＰＣＩ範囲に属するＰＣＩにてセルサーチを行い、かつ現在のセルサーチにてＣＳＧセルを優先していない移動端末のセル選択動作である。よって図１５にてステップ１５０１の処理後、ステップＳＴ１５０２でＮＯと判断され、ステップＳＴ１５０３でＮＯと判断され、ステップＳＴ１５０４の処理を行う。
【００５１】
次にネットワーク側から移動端末へのＰＣＩスプリット情報の通知方法の一例について説明する。非特許文献７にＰＣＩスプリット情報のいくつかの方法が記載されている。しかし非特許文献７ではハイブリッドアクセスモードについて考慮されていない。次に本実施の形態におけるネットワーク側から移動端末へのＰＣＩスプリット情報の通知例について説明する。本実施の形態では、ＰＣＩスプリットにてＣＳＧセル用のＰＣＩ範囲と、ｎｏｎ−ＣＳＧセル用のＰＣＩ範囲を重複させる。本実施の形態のようなＰＣＩスプリット情報を通知する方法を以下に開示する。ＣＳＧセル用のＰＣＩ範囲とｎｏｎ−ＣＳＧセル用のＰＣＩ範囲を個々（別個）に通知する。移動体通信システムとして重複部分を規定する必要があるため、片方（ＣＳＧセル用のＰＣＩ範囲、あるいはｎｏｎ−ＣＳＧセル用のＰＣＩ範囲）のＰＣＩ範囲のみの通知では不足である。ＣＳＧセル用のＰＣＩ範囲とｎｏｎ−ＣＳＧセル用のＰＣＩ範囲を個々に通知することに関しては、非特許文献７には開示されていない。非特許文献７ではＣＳＧセル用のＰＣＩ範囲とｎｏｎ−ＣＳＧセル用のＰＣＩ範囲を重複させることが考えられていないためである。また、ＰＣＩスプリット情報を通知する際に、ＣＳＧセル用のＰＣＩ範囲である旨（インジケータでも良い）、ｎｏｎ−ＣＳＧセル用のＰＣＩ範囲である旨（インジケータでも良い）を（時間的に同時であっても、同時でなくても構わない）通知する。またどちらか一方、例えばＣＳＧセル用のＰＣＩ範囲である旨のみ通知しても良い。なぜなら、もう片方がｎｏｎ−ＣＳＧセル用のＰＣＩ範囲であることが暗示的に判断するようにすれば良いからである。また、ＰＣＩ範囲を通知する順序を静的に決定しておいても同じ効果を得ることが出来る。例えばＣＳＧセル用のＰＣＩ範囲を先に通知し、ｎｏｎ−ＣＳＧセル用のＰＣＩ範囲を後に通知する。これにより、ＣＳＧセル用のＰＣＩ範囲である旨、ｎｏｎ−ＣＳＧセル用のＰＣＩ範囲である旨を通知する場合と比較して、ネットワーク側から移動端末への情報量を減らすことができ、無線リソースの有効活用という効果を得ることが出来る。
【００５２】
基地局から移動端末へ通知されるＰＣＩスプリット情報の具体例について下記する。ＣＳＧセル用の開始コード及び、終了コードとｎｏｎ−ＣＳＧセル用の開始コード及び、終了コードを通知する。また、前半部分をＣＳＧセル用に割り当てると静的に決定し、かつ開始コードを静的に決定し（例えば０）、ｎｏｎ−ＣＳＧセル用の終了コードを静的に決定する（例えば５０３）。この場合、ＣＳＧセル用の終了コードとｎｏｎ−ＣＳＧセル用の開始コードを通知する。前半部分をｎｏｎ−ＣＳＧセル用と決定しても同じように可能である。また、ＣＳＧセル用の開始コード及び、ＰＣＩ範囲の長さとｎｏｎ−ＣＳＧセル用の開始コード及び、ＰＣＩ範囲長さを通知する。また、前半部分をＣＳＧセル用に割り当てると静的に決定し、かつ開始コードを静的に決定し（例えば０）、ｎｏｎ−ＣＳＧセル用の終了コードを静的に決定する（例えば５０３）。この場合、ＣＳＧセル用のＰＣＩ範囲の長さとｎｏｎ−ＣＳＧセル用のＰＣＩ範囲の長さを通知する。前半部分をｎｏｎ−ＣＳＧセル用と決定しても同じように可能である。
【００５３】
本実施の形態により、以下の効果を得ることが出来る。ホワイトリストを有さない移動端末がｎｏｎ−ＣＳＧセル用のＰＣＩ範囲に属するＰＣＩを用いてサーチを行えば、ｎｏｎ−ＣＳＧセルとハイブリッドアクセスモードで運用されているＨｅＮＢをサーチ対象とすることが可能となる。つまりＣＳＧセル用のＰＣＩ範囲に属するＰＣＩを用いてサーチすることなく、ハイブリッドアクセスモードで運用されているＨｅＮＢをサーチ対象とすることが可能となる。従来の技術では、ハイブリッドアクセスモードで運用されているＨｅＮＢをサーチ対象とするためには、全ＰＣＩ範囲をサーチ対象とする必要があった。本実施の形態ではＰＣＩの検出の段階（図１２のステップＳＴ１２０１）でＣＳＧセルに未登録という理由でアクセス不可能なＣＳＧセルを除いてセルサーチ動作を行うことが出来る。一方従来の技術では、システム情報であるＳＩＢ１を受信しなければｎｏｎ−ＣＳＧセルかＣＳＧセルか不明である。また、システム情報であるＳＩＢ１を受信しなければハイブリッドアクセスモードで運用されているか否かは不明である。よってシステム情報（ＳＩＢ１）を受信するまで（図１２のステップＳＴ１２０５）、ＣＳＧセルなどをサーチ対象から外してセルサーチを行うこと、ハイブリッドモードで運用されているＨｅＮＢをセル選択することは不可能となる。
【００５４】
このように本実施の形態を用いることにより、サーチ動作を高速に運用できるという効果を得ることが出来る。このことは移動体通信システムの制御遅延を防止するという効果を得ることが出来る。また、移動端末の消費電力の低減という効果を得ることが出来る。また、本実施の形態では移動端末の動作に着目すれば、ホワイトリストを有する移動端末はＣＳＧセル用のＰＣＩ範囲に属するＰＣＩによりセルサーチを行い、ホワイトリストを有さない移動端末はｎｏｎ−ＣＳＧセル用のＰＣＩ範囲に属するＰＣＩによりセルサーチを行えばよいことになる。よって、ハイブリッドアクセスモードで運用されるＨｅＮＢの導入により移動端末の動作を変更不要とすることができる。これにより移動体通信システムの複雑性を回避するという効果を得ることが出来る。
【００５５】
実施の形態２．
本実施の形態では、実施の形態１と同様の課題に対して別の解決策を開示する。本実施の形態では、従来のＰＣＩスプリットに対して、ハイブリッドアクセスモードで運用されるＨｅＮＢを割当てるＰＣＩ範囲をＣＳＧセル用のＰＣＩ範囲やｎｏｎ−ＣＳＧセル用のＰＣＩ範囲とは別の範囲に決めることにより課題を解決する。移動体通信システムとしてＰＣＩ範囲を３つに分割する。３つに分割することによりＣＳＧセル用のＰＣＩ範囲、及びｎｏｎ−ＣＳＧセル用のＰＣＩ範囲とは別の範囲を設けることが可能となる。移動体通信システムとしてハイブリッドアクセスモードで運用されているＨｅＮＢ用のＰＣＩ範囲を新たに設ける。移動体通信システムとしてＰＣＩスプリットにて、ＣＳＧセル用のＰＣＩ範囲と、ｎｏｎ−ＣＳＧセル用のＰＣＩ範囲とは別にハイブリッドアクセスモードで運用されているＨｅＮＢ用のＰＣＩ範囲を設ける。概念図を図１６に示す。（ａ）に現在の３ＧＰＰの議論におけるＰＣＩスプリットの概念図を示す。範囲Ａは全ＰＣＩを示している。例えば５０４通り（５０４コード）である。例えばＣＳＧセル用のＰＣＩ範囲を範囲Ｂとする。例えばｎｏｎ−ＣＳＧセル用のＰＣＩ範囲を範囲Ｃとする。（ｂ）に本実施の形態で開示するＰＣＩスプリットの概念図を示す。範囲Ａは全ＰＣＩを示している。例えばＣＳＧセル用のＰＣＩ範囲を範囲Ｂとする。例えばｎｏｎ−ＣＳＧセル用のＰＣＩ範囲を範囲Ｃとする。ハイブリッドアクセスモードで運用されているＨｅＮＢ用のＰＣＩ範囲を範囲Ｄとする。
【００５６】
次に図１７を用いて、本実施の形態における移動体端末としての動作の一例を説明する。図１７は図１４と類似する。よって同じステップ番号の箇所の説明は省略する。ステップＳＴ１４０１にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１４０２へ移行する。有している場合、ステップＳＴ１４０４へ移行する。ステップＳＴ１４０３で行われるセル選択の詳細動作例について図１８を用いて説明する。図１８は図１５と類似する。よって同じステップ番号の箇所の説明は省略する。ステップＳＴ１５０１にて移動端末は、リファレンスシグナル（Reference signal：ＲＳ）の受信品質が最も良いセル（例えば、ＲＳの受信電力が最も高いセル）をベストセルとして選択する。ステップＳＴ１８０１にて移動端末は、当該ベストセルがＣＳＧセルであるか、ｎｏｎ−ＣＳＧセルであるかハイブリッドアクセスモードで運用されているＨｅＮＢであるかを判断する。この判断には基地局から報知されるシステム情報にマッピングされるＣＳＧインジケータを用いることができる。また、基地局から報知されるシステム情報にマッピングされるハイブリッドアクセスインジケータを用いることができる。ｎｏｎ−ＣＳＧセルであった場合、ステップＳＴ１５０３へ移行する。ＣＳＧセルであった場合、ステップＳＴ１５０８へ移行する。ハイブリッドアクセスモードで運用されているＨｅＮＢであった場合、ステップＳＴ１８０２へ移行する。
【００５７】
ステップＳＴ１５０７にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１５０１へ戻る。有している場合、図１７のステップＳＴ１４０４へ移行する。ステップＳＴ１８０２にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ１８０３へ移行する。ＣＳＧ−ＩＤを有していない場合、あるいはＣＳＧセルへ登録していない場合、ステップＳＴ１５０４へ移行する。ステップＳＴ１８０３にて移動端末は、ＣＳＧセルを優先してセル選択するか否かを判断する。ＣＳＧセルを優先してセル選択を行わない場合、ステップＳＴ１５０４へ移行する。ＣＳＧセルを優先してセル選択を行う場合、ステップＳＴ１５０９へ移行する。ステップＳＴ１５１２にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１５０１へ戻る。有している場合、図１７のステップＳＴ１４０４へ移行する。
【００５８】
ステップＳＴ１４０４にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ１７０１へ移行する。ＣＳＧ−ＩＤを有していない場合、あるいはＣＳＧセルへ登録していない場合、ステップＳＴ１７０３へ移行する。ステップＳＴ１７０１にて移動端末は、本実施の形態で開示したＰＣＩスプリット情報にてＣＳＧセル用のＰＣＩ範囲とハイブリッドアクセスモードで運用されているＨｅＮＢ用のＰＣＩ範囲に属するＰＣＩにてセルサーチを行い、ステップＳＴ１４０６へ移行する。ステップＳＴ１４０６にて移動端末は、セル選択が行われたか否かを判断する。行われていた場合、処理を終了する。行われていない場合、ステップＳＴ１７０２へ移行する。ステップＳＴ１４０６で行われるセル選択の詳細動作例について図１８を用いて説明する。ステップＳＴ１４０６ではステップ１４０３と異なり、ＰＣＩスプリット情報を有し、ＣＳＧセル用のＰＣＩ範囲とハイブリッドアクセスモードで運用されているＨｅＮＢ用のＰＣＩ範囲に属するＰＣＩにてセルサーチを行い、かつホワイトリストを有する移動端末のセル選択動作である。よって図１８にてステップ１５０１の処理後、ステップＳＴ１８０１でＣＳＧセルと判断されステップＳＴ１５０８へ進む、あるいはハイブリッドアクセスモードで運用されているＨｅＮＢと判断されステップＳＴ１８０２へ進む。ステップＳＴ１５０８でＹＥＳと判断され、ステップＳＴ１５０９へ進む。また、ステップＳＴ１８０２ではＹＥＳと判断される。ステップＳＴ１８０３ではＹＥＳと判断され、ステップＳＴ１５０９で判断され、ステップＳＴ１５０４、あるいはステップＳＴ１５１０の処理へ進む。ステップＳＴ１５１０の処理後、ステップＳＴ１５１１で判断され、ステップＳＴ１５１２、あるいは処理を終了する。ステップＳＴ１５１２ではＹＥＳと判断される。
【００５９】
ステップＳＴ１７０２にて移動端末は、周辺に登録しているＣＳＧセル、あるいは登録しているハイブリッドアクセスモードで運用されているＨｅＮＢが存在しないと判断しｎｏｎ−ＣＳＧセル、あるいは登録していないハイブリッドアクセスモードで運用されているＨｅＮＢを選択すべく、本実施の形態で開示したＰＣＩスプリット情報にてｎｏｎ−ＣＳＧセル用のＰＣＩ範囲とハイブリッドアクセスモードで運用されているＨｅＮＢ用のＰＣＩ範囲に属するＰＣＩにてセルサーチを行い、ステップＳＴ１４０８へ移行する。ステップＳＴ１４０８にて移動端末は、セル選択が行われたか否かを判断する。行われていた場合、処理を終了する。行われていない場合、ステップＳＴ１７０１へ戻る。ステップＳＴ１４０８で行われるセル選択の詳細動作例について図１８を用いて説明する。ステップＳＴ１４０８ではステップ１４０３と異なり、ＰＣＩスプリット情報を有し、ｎｏｎ−ＣＳＧセル用のＰＣＩ範囲とハイブリッドアクセスモードで運用されているＨｅＮＢ用のＰＣＩ範囲に属するＰＣＩにてセルサーチを行い、かつ現在のセルサーチにてＣＳＧセルを優先していない移動端末のセル選択動作である。よって図１８にてステップ１５０１の処理後、ステップＳＴ１８０１にてｎｏｎ−ＣＳＧセルと判断されステップＳＴ１５０３へ進む、あるいはハイブリッドアクセスモードで運用されているＨｅＮＢと判断されステップＳＴ１８０２へ進む。ステップＳＴ１５０３でＮＯと判断され、ステップＳＴ１５０４へ進む。ステップＳＴ１８０２でＮＯと判断されステップＳＴ１５０４へ進む。
【００６０】
ステップＳＴ１７０３にて移動端末は、本実施の形態で開示したＰＣＩスプリット情報にてｎｏｎ−ＣＳＧセル用のＰＣＩ範囲とハイブリッドアクセスモードで運用されているＨｅＮＢ用のＰＣＩ範囲に属するＰＣＩにてセルサーチを行い、ステップＳＴ１４１０へ移行する。ステップＳＴ１４１０にて移動端末は、セル選択が行われたか否かを判断する。行われていた場合、処理を終了する。行われていない場合、ステップ１７０３へ戻る。ステップＳＴ１４１０で行われるセル選択の詳細動作例について図１８を用いて説明する。ステップＳＴ１４１０ではステップ１４０３と異なり、ＰＣＩスプリット情報を有し、ホワイトリストを有さず、ｎｏｎ−ＣＳＧセル用のＰＣＩ範囲とハイブリッドアクセスモードで運用されているＨｅＮＢ用のＰＣＩ範囲に属するＰＣＩにてセルサーチを行い、かつ現在のセルサーチにてＣＳＧセルを優先していない移動端末のセル選択動作である。よって図１８にてステップ１５０１の処理後、ステップＳＴ１８０１にてｎｏｎ−ＣＳＧセルと判断されステップＳＴ１５０３へ進む、あるいはハイブリッドアクセスモードで運用されているＨｅＮＢと判断されステップＳＴ１８０２へ進む。ステップＳＴ１５０３でＮＯと判断され、ステップＳＴ１５０４へ進む。ステップＳＴ１８０２でＮＯと判断されステップＳＴ１５０４へ進む。
【００６１】
次にネットワーク側から移動端末へのＰＣＩスプリット情報の通知方法の一例について説明する。非特許文献７にＰＣＩスプリット情報のいくつかの方法が記載されている。しかし非特許文献７ではハイブリッドアクセスモードについて考慮されていない。本実施の形態では、ＰＣＩスプリットにてＣＳＧセル用のＰＣＩ範囲と、ｎｏｎ−ＣＳＧセル用のＰＣＩ範囲と、ハイブリッドアクセスモードで運用されるＨｅＮＢ用のＰＣＩ範囲を個々（別個）に通知する。ＣＳＧセル用のＰＣＩ範囲とｎｏｎ−ＣＳＧセル用のＰＣＩ範囲を個々に通知することに関しては、非特許文献７には開示されていない。また、ＰＣＩスプリット情報を通知する際に、ＣＳＧセル用のＰＣＩ範囲である旨（インジケータでも良い）、ｎｏｎ−ＣＳＧセル用のＰＣＩ範囲である旨（インジケータでも良い）、ハイブリッドアクセスモードで運用されるＨｅＮＢ用のＰＣＩ範囲である旨（インジケータでも良い）を（時間的に同時であっても、同時でなくても構わない）通知する。また、ＰＣＩ範囲を通知する順序を静的に決定しておいても同じ効果を得ることが出来る。例えばＣＳＧセル用のＰＣＩ範囲を一番に通知し、ｎｏｎ−ＣＳＧセル用のＰＣＩ範囲を二番に通知し、ハイブリッドアクセスモードで運用されるＨｅＮＢ用のＰＣＩ範囲を三番に通知する。これにより、ＣＳＧセル用のＰＣＩ範囲である旨、ｎｏｎ−ＣＳＧセル用のＰＣＩ範囲である旨、ハイブリッドアクセスモードで運用されるＨｅＮＢ用のＰＣＩ範囲である旨を通知する場合と比較して、ネットワーク側から移動端末への情報量を減らすことができ、無線リソースの有効活用という効果を得ることが出来る。基地局から移動端末へ通知されるＰＣＩスプリット情報の具体例については実施の形態１と同様の方法を用いることができる。ここでは説明を省略する。
【００６２】
また、別の通知方法例について以下に説明する。図１６の（ｂ）の範囲Ｄがハイブリッドアクセスモードで運用されるＨｅＮＢに割り当てられるＰＣＩの範囲であった場合を考える。そのさい、基地局から移動端末へ通知されるＰＣＩスプリット情報としてハイブリッドアクセスモードで運用されるＨｅＮＢのＰＣＩ範囲のみを通知する。そして、例えばハイブリッドアクセスモードで運用されるＨｅＮＢ用のＰＣＩ範囲以前（以下）、つまり図１６の（ｂ）の範囲ＢにＣＳＧセル用のＰＣＩ範囲とすること、ハイブリッドアクセスモードで運用されるＨｅＮＢ用のＰＣＩ範囲以後（以上）、つまり図１６（ｂ）の範囲Ｃにｎｏｎ−ＣＳＧセル用のＰＣＩ範囲とすることを静的に決定する。ＰＣＩスプリット情報の具体例については実施の形態１と同様の方法を用いることができるので、ここでは説明を省略する。これにより上記、ＰＣＩスプリットにてＣＳＧセル用のＰＣＩ範囲と、ｎｏｎ−ＣＳＧセル用のＰＣＩ範囲と、ハイブリッドアクセスモードで運用されるＨｅＮＢ用のＰＣＩ範囲を個々（別個）に通知する方法と比較してネットワーク側から移動端末へ通知する情報量を削減することが可能となり、無線リソースの有効活用という効果を得ることができる。なお、基地局から移動端末へ通知されるＰＣＩスプリット情報をＣＳＧセル用のＰＣＩ範囲、あるいはｎｏｎ−ＣＳＧセル用のＰＣＩ範囲として上記方法をとることも可能である。
【００６３】
本実施の形態により、以下の効果を得ることが出来る。ホワイトリストを有さない移動端末がｎｏｎ−ＣＳＧセル用のＰＣＩ範囲とハイブリッドアクセスモードで運用されるＨｅＮＢ用のＰＣＩ範囲に属するＰＣＩを用いてサーチを行えば、ｎｏｎ−ＣＳＧセルとハイブリッドアクセスモードで運用されているＨｅＮＢをサーチ対象とすることが可能となる。つまりＣＳＧセル用のＰＣＩ範囲に属するＰＣＩを用いてサーチすることなく、ハイブリッドアクセスモードで運用されているＨｅＮＢをサーチ対象とすることが可能となる。従来の技術では、ハイブリッドアクセスモードで運用されているＨｅＮＢをサーチ対象とするためには、全ＰＣＩ範囲をサーチ対象とする必要があった。本実施の形態ではＰＣＩの検出の段階（図１２のステップＳＴ１２０１）でＣＳＧセルに未登録という理由でアクセス不可能なＣＳＧセルを除いてセルサーチ動作を行うことが出来る。一方従来の技術では、システム情報であるＳＩＢ１を受信しなければｎｏｎ−ＣＳＧセルかＣＳＧセルか不明である。また、システム情報であるＳＩＢ１を受信しなければハイブリッドアクセスモードで運用されているか否かは不明である。よってシステム情報（ＳＩＢ１）を受信するまで（図１２のステップＳＴ１２０５）、ＣＳＧセルなどをサーチ対象から外してセルサーチを行うハイブリッドモードで運用されているＨｅＮＢをセル選択することは不可能となる。このように本実施の形態を用いることにより、サーチ動作を高速に運用できるという効果を得ることが出来る。このことは移動体通信システムの制御遅延を防止するという効果を得ることが出来る。また、移動端末の消費電力の低減という効果を得ることが出来る。
【００６４】
実施の形態３．
本実施の形態では、実施の形態１と同様の課題に対して別の解決策を開示する。実施の形態１、実施の形態２では従来のＰＣＩスプリットに対して、ハイブリッドアクセスモードで運用されるＨｅＮＢを割り当てるＰＣＩ範囲を従来のＣＳＧセル用のＰＣＩ範囲や従来のｎｏｎ−ＣＳＧセルＰＣＩ範囲とは別の範囲に決めることにより課題を解決した。本実施の形態では、従来のＰＣＩスプリットに対して、ハイブリッドアクセスモードで運用されるＨｅＮＢを割り当てるＰＣＩ範囲を従来のＣＳＧセル用のＰＣＩ範囲や従来のｎｏｎ−ＣＳＧセルＰＣＩ範囲とは別の範囲に決めることとは別の解決策（実施の形態１、実施の形態２とは別の解決策）を開示する。移動体通信システムとしてハイブリッドアクセスモードで運用されているＨｅＮＢに対してｎｏｎ−ＣＳＧセル用のＰＣＩを割り当てる。従来技術のように、従来のＰＣＩスプリットでのｎｏｎ−ＣＳＧセル用のＰＣＩ範囲に属するＰＣＩをｎｏｎ−ＣＳＧセルにのみ割当てるのではなく、ｎｏｎ−ＣＳＧセル及びハイブリッドアクセスモードで運用されるＨｅＮＢに割り当てる。概念について図１６を用いて説明する。（ａ）に現在の３ＧＰＰの議論におけるＰＣＩスプリットの概念図を示す。範囲Ａは全ＰＣＩを示している。例えば５０４通り（５０４コード）である。例えばＣＳＧセル用のＰＣＩ範囲を範囲Ｂとする。例えばｎｏｎ−ＣＳＧセル用のＰＣＩ範囲を範囲Ｃとする。本実施の形態では、例えば範囲Ｂに属するＰＣＩをＣＳＧセルに割り当てる。また範囲Ｃに属するＰＣＩをｎｏｎ−ＣＳＧセルとハイブリッドアクセスモードで運用されるＨｅＮＢに割り当てる。
【００６５】
次に図１９を用いて、本実施の形態における移動端末としての動作の一例を説明する。図１９は図１４及び図１５と類似する部分を有する。よって同じステップ番号の箇所の説明は省略する。ステップＳＴ１９０１にて移動端末は、当該ベストセルがＣＳＧセルであるか、ｎｏｎ−ＣＳＧセルであるかハイブリッドアクセスモードで運用されているＨｅＮＢであるかを判断する。この判断には基地局から報知されるシステム情報にマッピングされるＣＳＧインジケータを用いることができる。また、基地局から報知されるシステム情報にマッピングされるハイブリッドアクセスインジケータを用いることができる。ｎｏｎ−ＣＳＧセルであった場合、ステップＳＴ１５１０へ移行する。ＣＳＧセルあるいはハイブリッドアクセスモードで運用されているＨｅＮＢであった場合、ステップＳＴ１５０９へ移行する。
【００６６】
本実施の形態により、以下の効果を得ることが出来る。ホワイトリストを有さない移動端末がｎｏｎ−ＣＳＧセル用のＰＣＩ範囲に属するＰＣＩを用いてサーチを行えば、ｎｏｎ−ＣＳＧセルとハイブリッドアクセスモードで運用されているＨｅＮＢをサーチ対象とすることが可能となる。つまりＣＳＧセル用のＰＣＩ範囲に属するＰＣＩを用いてサーチすることなく、ハイブリッドアクセスモードで運用されているＨｅＮＢをサーチ対象とすることが可能となる。従来の技術では、ハイブリッドアクセスモードで運用されているＨｅＮＢをサーチ対象とするためには、全ＰＣＩ範囲をサーチ対象とする必要があった。本実施の形態ではＰＣＩの検出の段階（図１２のステップＳＴ１２０１）でＣＳＧセルに未登録という理由でアクセス不可能なＣＳＧセルを除いてセルサーチ動作を行うことが出来る。一方従来の技術では、システム情報であるＳＩＢ１を受信しなければｎｏｎ−ＣＳＧセルかＣＳＧセルか不明である。また、システム情報であるＳＩＢ１を受信しなければハイブリッドアクセスモードで運用されているか否かは不明である。よってシステム情報（ＳＩＢ１）を受信するまで（図１２のステップＳＴ１２０５）、ＣＳＧセルなどをサーチ対象から外してセルサーチを行うこと、ハイブリッドモードで運用されているＨｅＮＢをセル選択することは不可能となる。このように本実施の形態を用いることにより、サーチ動作を高速に運用できるという効果を得ることが出来る。このことは移動体通信システムの制御遅延を防止するという効果を得ることが出来る。また、移動端末の消費電力の低減という効果を得ることが出来る。また、これにより、ハイブリッドアクセスモードで運用されるＨｅＮＢの導入によってＰＣＩスプリット方法に変更不要とすることができる。これにより移動体通信システムの複雑性を回避するという効果を得ることが出来る。
【００６７】
実施の形態３  変形例１．
上記実施の形態３の解決策において、従来の技術に対してホワイトリストを有さない移動端末のセルサーチ動作の高速化を実現したが、ホワイトリストを有する移動端末のセルサーチ動作の高速化は実現できていない。具体的には、ホワイトリストを有する移動端末はＣＳＧセル用のＰＣＩ範囲を用いてセルサーチを行うだけでは、ハイブリッドアクセスモードで運用されるＨｅＮＢをセルサーチにて選択不可能な場合が出てくる。選択不可能という状況を回避するためには、ホワイトリストを有する移動端末は、ＰＣＩスプリット情報を得ている場合であっても、全ＰＣＩ範囲にてセルサーチを行う必要がある。登録を行っている移動端末が登録済みのＣＳＧセルで通信を行う場合、課金優遇が受けられるという移動体通信システムが存在した場合、ホワイトリストを有するユーザは、ｎｏｎ−ＣＳＧセルと比較してＣＳＧセルを優先してセル選択することを望むと考えられる。しかし、全ＰＣＩ範囲にてセルサーチを行う場合、ＣＳＧセルとｎｏｎ−ＣＳＧセルを区別せずにセル選択を行うため、ＣＳＧセルを選択（あるいは、セル再選択）するまでの時間が長くなるという問題が発生する。
【００６８】
本変形例では上記課題を解決する方法を開示する。基地局から傘下の移動端末に対して周辺セルにてハイブリッドアクセスモードで運用されるＨｅＮＢが存在するか否か（以降、「周辺ハイブリッド状況」と称する）を通知する。基地局は、自セルの周辺、あるいはメジャメント対象セル中にハイブリッドアクセスモードで運用されるＨｅＮＢが存在するか否かを傘下の移動端末に対して通知する。具体的には、１ビットのインジケータを設けて、存在する場合は“１”、存在しない場合は“０”を設定する（もちろん逆でも良い）ようにしておいても良い。
【００６９】
周辺ハイブリッド状況の通知方法の具体例を以下に示す。ロジカルチャネルである報知制御チャネル（BCCH）にマッピングされ、さらにトランスポートチャネルである報知チャネル（BCH）、物理チャネルである物理報知チャネル（PBCH）にマッピングされて移動端末に通知される。マスタ情報にマッピングされ、マスタ情報ブロック(MIB)にマッピングされ、ロジカルチャネルである報知制御チャネル（BCCH）にマッピングされ、さらにトランスポートチャネルである報知チャネル（BCH）、物理チャネルである物理報知チャネル（PBCH）にマッピングされて移動端末に通知される。周辺ハイブリッド状況をＭＩＢにマッピングした場合、以下の効果を得ることが出来る。例えばＬＴＥ方式の通信システムにおいては、セルサーチから待ちうけの動作に必要最小限受信する報知情報として、ＭＩＢまたはＳＩＢ１がある。よって、セルサーチから待ちうけの動作に必要最小限受信する報知情報に周辺ハイブリッド状況を入れることによって、移動端末は他の報知情報ブロックを得る必要がなく短時間に低消費電力で周辺ハイブリッド状況を得ることが可能となる。
【００７０】
周辺ハイブリッド状況は、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされて移動端末に通知される。システム情報にマッピングされ、システム情報ブロック(SIB)にマッピングされ、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされて移動端末に通知される。周辺ハイブリッド状況をシステム情報のうちＳＩＢ１にマッピングした場合、以下の効果を得ることが出来る。例えばＬＴＥ方式の通信システムにおいては、セルサーチから待ちうけの動作に必要最小限受信する報知情報として、ＭＩＢまたはＳＩＢ１がある。よって、セルサーチから待ちうけの動作に必要最小限受信する報知情報に周辺ハイブリッド状況を入れることによって、移動端末は他の報知情報ブロックを得る必要がなく短時間に低消費電力で周辺ハイブリッド状況を得ることが可能となる。また、現在の３ＧＰＰ以下のことが議論されている。そのセルがＣＳＧセルであるということを示す、ＣＳＧインジケータはＳＩＢ１にマッピングされる方向である。ハイブリッドアクセスモードを区別するためのハイブリッドアクセスインジケータはＳＩＢ１にマッピングされる方向である。また、ＳＩＢ１にはセル再選択共通情報（cellReselectionInfoCommon）がマッピングされる方向である。このような状況下において、移動端末がハイブリッドアクセスモードで運用されるＨｅＮＢを探すべくセルサーチ動作を行うか、行わないかを決定する際に用いる情報である周辺ハイブリッド状況をＳＩＢ１にマッピングすることは、移動端末のセルサーチという処理にて用いるパラメータを、移動端末が同じシステム情報の受信にて得ることが可能となり、移動端末の動作の複雑性回避、制御遅延防止という効果を得ることが出来る。
【００７１】
周辺ハイブリッド状況をシステム情報のうちＳＩＢ４にマッピングした場合、以下の効果を得ることが出来る。現在の３ＧＰＰでは、ＳＩＢ４には同周波数間周辺セルリスト（intraFreqNeighbouringCellList）がマッピングされる方向である。このような状況下において、移動端末が周辺セルの状況を得るという処理にて用いるパラメータを、移動端末が同じシステム情報の受信にて得ることが可能となり、移動端末の動作の複雑性回避、制御遅延防止という効果を得ることが出来る。また、ハイブリッドアクセスモードで運用されるＨｅＮＢは、同周波数間周辺セルリスト中に含まれるとしても良い。また、同周波数間周辺セルリストのセル毎にハイブリッドアクセスモードで運用されるＨｅＮＢであるか否かを示すインジケータを持っても良い。周辺ハイブリッド状況をシステム情報のうちＳＩＢ９にマッピングした場合、以下の効果を得ることが出来る。現在の３ＧＰＰでは、ＳＩＢ９にはＨｅＮＢの識別子（a home eNB identifier (HNBID)）がマッピングされる方向である。このような状況下において、移動端末がＨｅＮＢに関する情報を得るという処理にて用いるパラメータを、移動端末が同じシステム情報の受信にて得ることが可能となり、移動端末の動作の複雑性回避、制御遅延防止という効果を得ることが出来る。
【００７２】
あるいは周辺ハイブリッド状況は、共通の認識の物理リソースに関するパラメータは、ロジカルチャネルである共有制御チャネル（CCCH）、あるいは個別制御チャネル（DCCH）、あるいはマルチキャスト制御チャネル(MCCH)、あるいはマルチキャストトラフィックチャネル（MTCH）にマッピングされ、さらにトランスポートチャネルである下り共有チャネル（DL-SCH）、物理チャネルである物理下り共有チャネル（PDSCH）にマッピングされて移動端末に通知される。
【００７３】
次に図２０を用いて、本変形例における移動端末としての動作の一例を説明する。図２０は、図１４及び図１５及び図１９と類似する部分を有する。よって同じステップ番号の箇所の説明は省略する。ステップＳＴ２００１にて移動端末は、周辺セル（あるいはあるいはメジャメント対象セル中）にハイブリッドアクセスモードで運用されるＨｅＮＢが存在するか否かを判断する。この判断には基地局から報知される情報にマッピングされる、本変形例で開示する「周辺ハイブリッド状況」を用いることができる。周辺セルにハイブリッドアクセスモードで運用されるＨｅＮＢが存在する場合、ステップＳＴ１４０２へ移行する。存在しない場合、ステップＳＴ１４０５へ移行する。
【００７４】
本変形例により、実施の形態３の効果に加えて以下の効果を得ることが出来る。ホワイトリストを有する移動端末のセルサーチの高速化を実現可能となる。ホワイトリストを有する移動端末がハイブリッドアクセスモードで運用されるＨｅＮＢが存在しない環境にてｎｏｎ−ＣＳＧセル用のＰＣＩ範囲に属するＰＣＩを用いてサーチする必要がなくなる。このことは、サーチ動作を高速に運用できるという効果を得ることが出来る。このことは移動体通信システムの制御遅延を防止するという効果を得ることが出来る。また、移動端末の消費電力の低減という効果を得ることが出来る。
【００７５】
実施の形態４．
非特許文献７では、ＰＣＩスプリット情報のシグナリング方法について記載がされている。非特許文献７で示されているシグナリング方法においては、開始コードや列挙値にてコード値を通知する必要がある。全ＰＣＩにて例えば５０４コードが存在する場合、５０４通りのコードを示すために９ビットが必要となる。本実施の形態では、非特許文献７とは別の方法でＰＣＩスプリット情報を基地局から移動端末へ通知する方法を開示する。本実施の形態では、ＰＣＩコードを「割る数」と「余りの数」によりＰＣＩスプリット情報を示す。具体例としては、（ＰＣＩコード数）ＭＯＤ Ｘ＝Ｙとする。このＸとＹの値によりＰＣＩスプリット情報を示す。例えばＸを２とし、Ｙ=０をＣＳＧセル用、Ｙ=１をｎｏｎ−ＣＳＧセル用とすればよい。基地局から移動端末へ無線リソースを用いて通知するＰＣＩスプリット情報は、Ｘ値とＣＳＧセル用のＹ値、ｎｏｎ−ＣＳＧセル用のＹ値となり、コード値を通知する非特許文献７の方法と比較して情報量が減り、無線リソースの有効活用という効果を得ることが出来る。また例えばＹ=０をｎｏｎ−ＣＳＧセル用に割り当てると静的あるいは準静的に決定しておけば、基地局から移動端末へはＸ値とＣＳＧセル用のＹ値のみで良い。これによりさらなる、情報量の削減が可能となり、無線リソースの有効活用が図れる。また、Ｘ値を変更することによりＣＳＧセル用のＰＣＩ範囲とｎｏｎ−ＣＳＧセル用のＰＣＩ範囲の比率を容易に変更可能となる利点がある。例えばＸを３とし、Ｙ=０、１をＣＳＧセル用、Ｙ=２をｎｏｎ−ＣＳＧセル用とすればよい。これによりＣＳＧセル用のＰＣＩ範囲がｎｏｎ−ＣＳＧセル用のＰＣＩ範囲と比較して２倍の範囲とできる。本実施の形態は、実施の形態１、実施の形態２、実施の形態３に用いることができる。実施の形態１では、ＰＣＩスプリットにてＣＳＧセル用のＰＣＩ範囲と、ｎｏｎ−ＣＳＧセル用のＰＣＩ範囲を重複させる。実施の形態１に本実施の形態を用いる場合、Ｙ値を重複して割当れば良い。例えばＸを“３”とし、Ｙ=０、１をＣＳＧセル用とし、Ｙ＝１、２をｎｏｎ−ＣＳＧセル用とすればよい。
【００７６】
実施の形態５．
３ＧＰＰにおいて、ＨＮＢあるいはＨｅＮＢに対して、ハイブリッドアクセスモードが新たに提案された（非特許文献６）。ハイブリッドアクセスモード は、クローズドアクセスモードとオープンアクセスモードを同時にサポートするモードである。通常、ＣＳＧセルは、クローズドアクセスモードであり、該ＣＳＧに登録した移動端末のみがアクセス可能となる。該ＣＳＧに登録していない移動端末はアクセスが禁止される。一方、オープンアクセスモードは、該ＣＳＧに登録していない移動端末もアクセスが可能となるモードであり、オープンアクセスモードのセルはｎｏｎ−ＣＳＧセルとなる。従って、ハイブリッドアクセスモードのセルは、クローズドアクセスモードに対応した該ＣＳＧに登録している移動端末も、オープンアクセスモードに対応して該ＣＳＧに登録していない移動端末もアクセスを可能とする必要がある。一方、クローズドアクセスモードのセルであるＣＳＧセルが属するトラッキングエリア（ＴＡ）に関しては、オープンアクセスモードのｎｏｎ−ＣＳＧが属するＴＡとは異なり、ひとつのＣＳＧに属するひとつまたは複数のセルは同じＴＡに属することが決められている（非特許文献８）。また、各ＣＳＧにはＣＳＧ−ＩＤが割り当てられる。ひとつのＣＳＧに含まれるひとつまたは複数のＣＳＧセルは同じＴＡＣを報知情報にのせて傘下の移動端末に報知する。前述したように、ＣＳＧ−ＩＤとＴＡＣが対応づけられていれば、該ＣＳＧに登録している移動端末が該セルからの報知情報にのるＴＡＣを受信することにより、該セルのＴＡがわかるとともに、該セルのＣＳＧ−ＩＤがわかることになる。
【００７７】
このように、ハイブリッドアクセスモードのセルはＴＡの異なるクローズドアクセスモードとオープンアクセスモードの両方を同時にサポートしなければならないため、ハイブリッドアクセスモードのセルのＴＡの構成をどうするか、さらには、そのＴＡに割り当てられるＴＡＣをどのように傘下の移動端末に通知するのか、といった問題が生じることとなる。これらの問題に関しては、３ＧＰＰにおいて議論もされていない。ハイブリッドアクセスモードのセルに関しても従来のＴＡの構成方法を適用した場合を検討する。まず、ハイブリッドアクセスモードのセルが、クローズドアクセスモードとしての運用も可能とするため、該セルが属するＣＳＧに含まれるセルが属するトラッキングエリア（ＴＡ）に属するようにする。さらに、オープンアクセスモードとしての運用も可能とするため、該セルが、ｎｏｎ−ＣＳＧセルが属するＴＡに属するようにする。すなわち、ハイブリッドアクセスモードのセルがふたつのＴＡに属するようにしておく。図２１にハイブリッドアクセスモードのセルが二つのＴＡに属する概念図を示す。４１０１はｎｏｎ−ＣＳＧセルを、４１０２はハイブリッドアクセスモードのセルを示す。ｎｏｎ−ＣＳＧセル用のＴＡをＴＡ＃１とする。ハイブリッドアクセスモードセル（４１０２）は、オープンアクセスモードとしても用いられるため、ｎｏｎ−ＣＳＧセル用のＴＡ（ＴＡ＃１（４１０３））内に該セル（４１０２）を属するようにする。さらに、ハイブリッドアクセスモードセル（４１０２）はクローズドアクセスモードとしても用いられるため、その際のＣＳＧの識別子を例えばＣＳＧ−ＩＤ＃１として、ＣＳＧ−ＩＤ＃１に対応するＴＡ（ＴＡ＃２（４１０４））に属するようにする。つまり、ハイブリッドアクセスモードセル（４１０２）は、二つのＴＡ（ＴＡ＃１、ＴＡ＃２）に属するようにする。このように、二つのＴＡに属するようにすることで、ハイブリッドアクセスモードセルはクローズドアクセスモードとオープンアクセスモードの両方を同時にサポートできることになる。
【００７８】
次に、従来の方法を適用した場合のＴＡＣの通知方法について示す。図２２に従来の方法を適用した場合のＴＡＣの通知方法を示す。ハイブリッドアクセスモードセルは二つのＴＡに属することになるので、ＳＴ４２０１で、該セルは傘下の移動端末（登録済みＵＥ、未登録ＵＥ）に対して該二つのＴＡ（ＴＡ＃１、ＴＡ＃２）のＴＡ識別子（ＴＡＣ＃１、ＴＡＣ＃２）を報知チャネルＢＣＣＨの報知情報（ＢＣＣＨ（ＴＡＣ＃１、ＴＡＣ＃２））として報知する。現在３ＧＰＰにおいては、ＴＡＣはＳＩＢ１にマッピングされることが決められている。従って、二つのＴＡＣがＳＩＢ１にマッピングされることとなる。図２３に従来の方法を適用した場合の移動端末におけるセルサーチ、セル選択から待ち受け動作までのフローチャートを示す。図中、ＳＴ４３０１〜ＳＴ４３０５までは図１２と同じである。ＳＴ４３０６において、移動端末は、該セルからのＳＩＢ１を受信してデコードし、ＳＩＢ１内にＴＡＣが一つか二つかを判断する。一つの場合は、ハイブリッドアクセスモードセルではなく、通常のクローズドアクセスモードセルあるいはオープンアクセスモードセルと判断でき、各々のモードの動作へ移行する。ＳＩＢ１内にＴＡＣが二つ含まれている場合は、ハイブリッドアクセスモードセルと判断できるため、ＳＴ４３０７に移行する。ＳＴ４３０７で移動端末は、該セルから報知される二つのＴＡＣ各々に関して移動端末内のＴＡリスト内のＴＡＣと同じかどうか判断する。どちらかのＴＡＣと同じになった場合、該セルにおいて待ち受け動作に移行することが可能となる。どちらのＴＡＣとも同じにならなかった場合でも、移動端末はＳＴ４３０６の判断で、該セルがハイブリッドアクセスモードセルであることがわかっているため、該セルへのアクセスは可能と判断して、ＴＡＵ後待ち受け動作へ移行することができる。つまり、セル選択したセルがハイブリッドアクセスモードセルの場合、移動端末は、ホワイトリストの有無やホワイトリスト内に該セルのクローズドアクセスモードのＣＳＧ−ＩＤの有無にかかわらず、該セルにおいて待ち受け動作に移行することが可能となる。
【００７９】
しかし、このように従来の方法を適用した場合は、一つのセルが二つのＴＡに属することになり、さらには、報知情報に二つのＴＡＣを含ませて傘下の移動端末に送信しなければならなくなる。ＴＡＣはトラッキングエリアを識別するための情報であるため、ＴＡＣにはトラッキングエリアの総数に対応して大きなビット数が必要となる。また、ＳＩＢ１は短い周期で繰返し傘下の移動端末に送信している。従って、報知するＴＡＣの数が増加することはそのまま報知情報の増大につながり、シグナリング量の増大につながる。さらには、一つのセルにとっては、複数のＴＡに属する端末全部に対してページング信号の送信が必要となるため、ページング信号の負荷も増大することになってしまう。このようなセルからの報知情報やページング信号のシグナリング量の増大により、システム全体としてもシグナリング量が増大し、無線リソースの使用効率が低下することになる。また、従来、ｎｏｎ−ＣＳＧセルを管理するＭＭＥとＣＳＧセルを管理するＭＭＥが異なることも検討されている。このような場合、各々のＴＡを制御するＭＭＥが異なることとなるため、各々のＭＭＥからハイブリッドアクセスモードセルへの信号が別個に必要となるため、制御が複雑となってしまう。また、コアネットワーク（ＭＭＥ）とセル間の信号量自体も増大してしまう。このような問題を解消するため、本発明では、ハイブリッドアクセスモードのセルはあるひとつのＴＡに属し、該セルは一つのＴＡＣを報知する方法とする。
【００８０】
本実施の形態では、ハイブリッドアクセスモードのセルが属するＴＡとして、ハイブリッドアクセスモードセルが属するＴＡを新たに設け、該ＴＡのひとつにハイブリッドアクセスモードセルが属するようにして、ハイブリッドアクセスモードセルから該ＴＡの識別子（ＴＡＣ）を報知する。図２４に、ハイブリッドアクセスモードセルが属するＴＡを新たに設けた場合の概念図を示す。４４０１はｎｏｎ−ＣＳＧセルを、４４０２はハイブリッドアクセスモードのセルを示す。ｎｏｎ−ＣＳＧセル用のＴＡをＴＡ＃１とする。ハイブリッドアクセスモードセル（４４０２）は、オープンアクセスモードとしても用いられるが、ここでは、ｎｏｎ−ＣＳＧセル用のＴＡ（ＴＡ＃１（４４０３））内には該セル（４４０２）を属さないようにする。ハイブリッドアクセスモードセル（４４０２）はクローズドアクセスモードとしても用いられるため、その際のＣＳＧの識別子を例えばＣＳＧ−ＩＤ＃１とすると、ＣＳＧ−ＩＤ＃１に対応するＴＡにも属さないようにする。そして、ハイブリッドアクセスモードセル用のＴＡを新たに設け、ハイブリッドアクセスモードセル（４４０２）は、該ＴＡ（例えばＴＡ＃３（４４０４））に属するようにする。次に、本実施の形態におけるＴＡＣの通知方法について開示する。図２５にハイブリッドアクセスモードセルからのＴＡＣの通知方法の一例を示す。ハイブリッドアクセスモードセルは新たに設けたハイブリッドアクセスモード用のＴＡに属することになるので、ＳＴ４５０１で、該セルは傘下の移動端末に対して一つの該ハイブリッドアクセスモード用ＴＡのＴＡ識別子（ＴＡＣ＃３）のみを報知情報にのせて報知することになる。このようにすることで、ある任意のセルからの報知情報として、該セルがクローズドアクセスモードのみのセルの場合はＣＳＧ−ＩＤに対応したひとつのＴＡＣが、該セルがハイブリッドアクセスモードセルの場合は新たに設けたハイブリッドアクセスモード用のひとつのＴＡＣが、そして、該セルがｎｏｎ−ＣＳＧセルの場合はｎｏｎ−ＣＳＧセル用のひとつのＴＡＣが、傘下の移動端末に対して報知されることになる。
【００８１】
移動端末のセルサーチ、セル選択から待ち受けまでの動作の一例を示す。選択したセルから報知されるＴＡＣを受信した移動端末は、従来の方法を適用した場合における図２３のＳＴ４３０５までは同じである。図２３のＳＴ４３０６で従来の方法とは異なり、移動端末は、該ＴＡＣがハイブリッドアクセスモードセルのＴＡＣか否かを判断する。ハイブリッドアクセスモードのセルに用いられるＴＡＣの割り当て範囲はあらかじめ決めておくと良い。あらかじめ決めておくことで、移動端末、ＨＮＢ、ＨｅＮＢ、コアネットワークが該ＴＡＣ割り当て情報等のシグナリングなしに、該ＴＡＣ割り当て情報を共有することが可能となる。
【００８２】
該ＴＡＣがハイブリッドアクセスモードセルのＴＡＣではない場合、通常のクローズドアクセスモードセルあるいはオープンアクセスモードセルと判断でき、各々のモードの動作へ移行する。該ＴＡＣがハイブリッドアクセスモードセルのＴＡＣである場合は、ハイブリッドアクセスモードセルと判断できるため、図２３に示すＳＴ４３０７に移行する。ＳＴ４３０７で移動端末は、従来の方法と異なり、該セルから報知されるひとつのＴＡＣに関して移動端末内のＴＡリスト内のＴＡＣと同じかどうか判断する。同じになった場合、該セルにおいて待ち受け動作に移行することが可能となる。同じにならなかった場合でも、移動端末はＳＴ４３０６の該ＴＡＣがハイブリッドアクセスモードセルのＴＡＣか否かの判断で、該セルがハイブリッドアクセスモードセルであることがわかるため、該セルへのアクセスは可能と判断して、ＴＡＵ後待ち受け動作へ移行することができる。つまり、セル選択したセルがハイブリッドアクセスモードセルの場合、移動端末は、ホワイトリストの有無やホワイトリスト内に該セルのクローズドアクセスモードのＣＳＧ−ＩＤの有無にかかわらず、該セルにおいて待ち受け動作に移行することが可能となる。
【００８３】
このように、ハイブリッドアクセスモードセル用のＴＡＣを設けることで、移動端末は該セルがオープンアクセスモードもサポートしていることを認識することが可能となるため、移動端末はホワイトリストの有無にかかわらずアクセス可能と判断してＴＡＵ後待ち受け動作に移行することが可能となる。該セルがハイブリッドアクセスモードセルである場合も、移動端末が該セルへのアクセスを可能とし、ＲＲＣ接続の設立、ＴＡＵの送信を可能としておけば良い。該移動端末からＴＡＵを受信したコアネットワークは、該移動端末がハイブリッドアクセスモードセルがサポートするクローズドアクセスモードのＣＳＧに登録して有る場合は、該移動端末をクローズドアクセスモードで動作させる。そうでない場合は、該移動端末がハイブリッドアクセスモードセルがサポートするオープンアクセスモードで動作させる。このように、ハイブリッドアクセスモードセル用のＴＡＣを設けて移動端末がアクセスできるようにしておけば、コアネットワークによって、クローズドアクセスモードで動作させてクローズドアクセスモードモードでのサービスを提供するか、オープンアクセスモードで動作させてオープンアクセスモードモードでのサービスを提供させるか判断および設定が可能となる。
【００８４】
本実施の形態において、ハイブリッドアクセスモードセル用のＴＡＣを設けることで、移動端末は該セルがオープンアクセスモードもサポートしていることを認識することが可能となるため、移動端末はホワイトセルの有無にかかわらずアクセス可能と判断するようにしている。しかし、ハイブリッドアクセスモードセルはｎｏｎ−ＣＳＧセルとはみなされないため、移動端末がホワイトリストを有しないあるいはホワイトリスト内のＣＳＧ−ＩＤ（ＴＡＣ）と該セルから報知されるＴＡＣが異なる場合、移動端末は該セルへのアクセスが禁止されてしまう、という問題が生じることになる。ここでは、この問題を解消するための方法を開示する。ハイブリッドアクセスモードセルに、実施の形態６で開示した、セルが報知情報に含めて報知するＣＳＧインジケータを用いる方法を適用する。本実施の形態においては、ハイブリッドアクセスモードのセルは、ＣＳＧインジケータをＣＳＧではない、すなわち、ｎｏｎ−ＣＳＧセルとして設定しておくようにする。これによって、移動端末は該セルをｎｏｎ−ＣＳＧＳセルあるいはハイブリッドアクセスモードのセルと判断することが可能となり、該セルは「適切なセル」となり該セルへのアクセスが可能となるため、該セルへのＲＲＣ接続の要求、ＲＲＣ接続の設立、該セルを介したコアネットワークへのＴＡＵの要求、コアネットワークからのＴＡＵ受領信号の受信が可能となり、待ち受け動作へ移行可能となる。
【００８５】
別の方法を開示する。ハイブリッドアクセスモードセルに、実施の形態７で開示した方法を適用する。具体例としては、セルのモードがハイブリッドアクセスモードで有る場合は、移動端末のホワイトリストの有無あるいはホワイトリスト内に該セルのＣＳＧ−ＩＤ（ＴＡＣ）の有無にかかわらず、「適切なセル」としてアクセスを許可するようにしておく。セルのモードがハイブリッドアクセスモードかどうかを判断するため、本実施の形態において設けられた、ハイブリッドアクセスモードセル用のＴＡのＴＡＣを使用する。これにより、移動端末は、セル選択したセルがハイブリッドアクセスモードセルで有った場合、移動端末はホワイトセルの有無にかかわらずアクセス可能とすることができ、該セルへのＲＲＣ接続の要求、ＲＲＣ接続の設立、該セルを介したコアネットワークへのＴＡＵの要求、コアネットワークからのＴＡＵ受領信号の受信が可能となり、待ち受け動作へ移行可能となる。
【００８６】
１番目の方法とすることによって、従来のアクセス制限方法を変えることなく問題を解消することができるという効果が得られる。２番目の方法とすることによって、ＣＳＧインジケータを必要とせず、ＣＳＧインジケータに本アクセス制限とは関係なく何が設定されていても良いし、あるいはＣＳＧインジケータが無くても良くなる、という効果が得られる。なお、この問題は従来の方法を用いて、ハイブリッドアクセスモードセルから二つのＴＡＣを報知する場合も同様に生じる問題である。この問題を解消するため、上述した二つの方法を適用することができる。２番目の方法において、セルのモードがハイブリッドアクセスモードかどうかを判断するためハイブリッドアクセスモードセル用のＴＡのＴＡＣを使用したのを、セルのモードがハイブリッドアクセスモードかどうかを判断するためＳＩＢ１に二つのＴＡＣを含むかどうかを判断するようにすれば良い。これにより、移動端末は、セル選択したセルがハイブリッドアクセスモードセルで有った場合、移動端末はホワイトリストの有無にかかわらずアクセス可能とすることができる。また、上述の効果も得られる。
【００８７】
本実施の形態で開示した方法を用いることで、従来の方法を適用した場合の課題で示したような、シグナリング量の増大や無線リソースの使用効率の低下、さらにはＭＭＥや基地局での制御の複雑化、さらには、コアネットワーク（ＭＭＥ）とセル間の信号量の増大を生じさせることなく、ハイブリッドアクセスモードセルをセル選択した移動端末は、自移動端末にホワイトリストの有無にかかわらず、ハイブリッドアクセスモードセルにアクセス可能となる効果が得られる。また、ハイブリッドアクセスモードセル用のＴＡＣを新たに設けることで、上述のように、移動端末は、セルがハイブリッドアクセスモードのセルなのか、クローズドアクセスモードのセルなのか、あるいはオープンアクセスモードのセルなのかを、ＴＡＣを用いて判断することが可能となるため、後述するような、ハイブリッドモードかクローズドモードかを示すHybrid access indicatorが不要となる。ハイブリッドアクセスモードのセルから送信するＴＡＣをハイブリッドアクセスモードセル用のＴＡＣとするため、クローズドアクセスモードで運用される場合のＣＳＧ−ＩＤと対応関係が無くなる。このため、例えば、移動端末が、セルサーチ時にサーチしたＣＳＧセルのＣＳＧ−ＩＤを該移動端末の画面に表示させ、そこから所望のＣＳＧ−ＩＤを有するセルを選択する、マニュアルセレクションを行うような場合、クローズドアクセスモードで運用可能なハイブリッドアクセスモードセルをマニュアルセレクションできないことになる。従って、このような問題を解決するため、別途、ＣＳＧ−ＩＤを傘下の移動端末に報知情報にのせて報知しておくようにすると良い。こうすることによって、ハイブリッドアクセスモードセルをクローズドアクセスモードでの運用も可能とすることができる。
【００８８】
実施の形態６．
本実施の形態では、実施の形態５に記載の従来の方法を適用した場合の問題を解消するため、ハイブリッドアクセスモードのセルはあるひとつのＴＡに属し、該セルは一つのＴＡＣを報知する方法において、実施の形態５とは別の方法を開示する。実施の形態５で開示した方法の場合、ＣＳＧ内のセル全てがハイブリッドアクセスモードセルに設定される場合は全セルを一つのＭＭＥやＨｅＮＢＧＷで管理すると良いが、一部のみが設定される場合は、該一部のセルのみを個別に管理するＭＭＥやＨｅＮＢＧＷを設けて管理すると良い。しかし、この場合、ハイブリッドアクセスモードセルの数が増大した場合、ＭＭＥの数が増大することになり、制御が複雑化し、さらにはＴＡの管理も複雑になってしまう問題が生じる。また、ＭＭＥの数を減らすため、いくつかのハイブリッドアクセスモードセルをまとめてひとつのＭＭＥで管理してもよいが、その場合、ページング信号を送信するＴＡとして適当でなくなってしまう。また、新たに設けたハイブリッドアクセスモード用のＴＡのＴＡ識別子ＴＡＣに割り当てる範囲をあらかじめ決めた場合、ハイブリッドアクセスモードセル数の増減に柔軟に対応できなくなってしまう。セミスタティックとして割り当て情報を移動端末に通知する場合、何時の時点で通知しておくのか、どのセルから通知するのか、といった通知方法が新たに問題となってしまい、場合によっては制御量の増加、シグナリング量の増加が生じてしまう。
【００８９】
本実施の形態では、従来の方法を適用した場合の課題や、上記実施の形態５で生じるような課題を解消するため、ハイブリッドアクセスモードのセルが属するＴＡとして、ｎｏｎ−ＣＳＧセル用のＴＡに属するようにして、ハイブリッドアクセスモードセルから該ＴＡの識別子（ＴＡＣ）を報知する方法を開示する。図２６に、ｎｏｎ−ＣＳＧセル用のＴＡに属するようにした場合の概念図を示す。４６０１はｎｏｎ−ＣＳＧセルを、４６０２はハイブリッドアクセスモードのセルを示す。ｎｏｎ−ＣＳＧセル用のＴＡをＴＡ＃１とする。ハイブリッドアクセスモードセル（４６０２）はクローズドアクセスモードとしても用いられるが、その際のＣＳＧの識別子を例えばＣＳＧ−ＩＤ＃１とすると、ＣＳＧ−ＩＤ＃１に対応するＴＡには属さないようにする。本実施の形態で開示する方法では、ハイブリッドアクセスモードセル（４６０２）は、ｎｏｎ−ＣＳＧセル用のＴＡ（ＴＡ＃１（４６０３））に属するようにする。次に、本実施の形態におけるＴＡＣの通知方法について開示する。図２７にハイブリッドアクセスモードセルからのＴＡＣの通知方法の一例を示す。ハイブリッドアクセスモードセルはｎｏｎ−ＣＳＧセル用のＴＡに属することになるので、ＳＴ４７０１で、該セルは傘下の移動端末に対して一つの該ｎｏｎ−ＣＳＧセル用ＴＡのＴＡ識別子（ＴＡＣ＃１）のみを報知情報にのせて報知することになる。このようにすることで、ある任意のセルからの報知情報として、該セルがクローズドアクセスモードのみのセルの場合はＣＳＧ−ＩＤに対応したひとつのＴＡＣが、該セルがｎｏｎ−ＣＳＧセルあるいはハイブリッドアクセスモードセルの場合はｎｏｎ−ＣＳＧセル用のひとつのＴＡＣが、傘下の移動端末に対して報知されることになる。
【００９０】
図２８に、本実施の形態における、移動端末のセルサーチ、セル選択から待ち受けまでの動作の一例を示す。ＳＴ４８０１〜ＳＴ４８０６は、図１２のＳＴ１２０１〜ＳＴ１２０６までと同じであるので説明を省略する。選択したセルから報知されるＴＡＣを受信した移動端末は、ＳＴ４８０６でＳＩＢ１のＴＡＣがＵＥのＴＡリスト内のＴＡＣと同じでない場合は、移動端末は、ＳＴ４８０７に移行し、該セルがＣＳＧセルかどうか判断する。該セルがＣＳＧセルかどうかの判断に、現在３ＧＰＰにおいて提案されている、セルが報知情報に含めて報知するＣＳＧインジケータを用いる（非特許文献１０）。本実施の形態においては、ハイブリッドアクセスモードのセルは、ＣＳＧインジケータをＣＳＧではない、すなわち、ｎｏｎ−ＣＳＧセルとして設定しておくようにする。例えば、ＣＳＧインジケータが1bitで示され、ＣＳＧセルでは“１”が設定され、ｎｏｎ−ＣＳＧセルでは“0”が設定されるようにする。このような場合、ハイブリッドアクセスモードのセルでは、ｎｏｎ−ＣＳＧセルであることを示す“0”が設定されるようにする。このようにすることで、移動端末は、該セルがクローズドアクセスモードセルか否かの判断が可能となる。ＳＴ４８０７でＣＳＧインジケータがＣＳＧセルでないことを示していた場合、移動端末は該セルをｎｏｎ−ＣＳＧＳセルあるいはハイブリッドアクセスモードのセルと判断することが可能となり、該セルは「適切なセル」となり該セルへのアクセスが可能となるため、該セルへのＲＲＣ接続の要求、ＲＲＣ接続の設立、該セルを介したコアネットワークへのＴＡＵの要求、コアネットワークからのＴＡＵ受領信号の受信が可能となり、待ち受け動作へ移行可能となる。該移動端末からＴＡＵを受信したコアネットワークは、該移動端末がハイブリッドアクセスモードセルがサポートするクローズドアクセスモードのＣＳＧに登録して有る場合は、該移動端末をクローズドアクセスモードで動作させる。そうでない場合は、該移動端末をオープンアクセスモードで動作させる。このように、本実施の形態で開示した方法とすることで、コアネットワークによって、クローズドアクセスモードで動作させてクローズドアクセスモードでのサービスを提供するか、オープンアクセスモードで動作させてオープンアクセスモードでのサービスを提供させるか判断および設定が可能となる。
【００９１】
一方、ＳＴ４８０７でＣＳＧインジケータがＣＳＧセルであることを示していた場合、移動端末は該セルをクローズドアクセスモードのセルと判断することができ、ＳＴ４８０８へ移行する。ＳＴ４８０８で移動端末はホワイトリストを持っているかどうか判断し、持っている場合はＳＴ４８０９に移行する。ＳＴ４８０９で移動端末はＳＴ４８０５で得たＳＩＢ１のＴＡＣがホワイトリスト内のＣＳＧ−ＩＤ（ＴＡＣ）と同じかどうか判断する。同じであれば、ＳＴ４８１０へ移行し、該セルへのアクセスが許可されるため、ＴＡＵ後待ち受け動作に移行する。一方、ＳＴ４８０８でホワイトリストを有しないと判断した場合、あるいはＳＴ４８０９でＴＡＣの比較結果が同じでなかった場合、移動端末はＳＴ４８１１に移行し、該セルへのアクセスが禁止されるため、再度セルサーチに移行する。
【００９２】
本実施の形態で開示した方法を用いることで、従来の方法を適用した場合の課題で述べたような、シグナリング量の増大や無線リソースの使用効率の低下、さらにはＭＭＥや基地局での制御の複雑化、さらには、コアネットワーク（ＭＭＥ）とセル間の信号量の増大を生じさせることなく、ハイブリッドアクセスモードセルをセル選択した移動端末は、自移動端末にホワイトセルの有無にかかわらず、ハイブリッドアクセスモードセルにアクセス可能となる効果が得られる。ハイブリッドアクセスモードのセルから送信するＴＡＣをｎｏｎ−ＣＳＧ用のＴＡＣとするため、クローズドアクセスモードで運用される場合のＣＳＧ−ＩＤと対応関係がなくなる。このため、例えば、移動端末が、セルサーチ時にサーチしたＣＳＧセルのＣＳＧ−ＩＤを該移動端末の画面に表示させ、そこから所望のＣＳＧ−ＩＤを有するセルを選択する、マニュアルセレクションを行うような場合、クローズドアクセスモードで運用可能なハイブリッドアクセスモードセルをマニュアルセレクションできないことになる。従って、このような問題を解決するため、別途、ＣＳＧ−ＩＤを傘下の移動端末に報知情報にのせて報知しておくようにすると良い。こうすることによって、ハイブリッドアクセスモードセルをクローズドアクセスモードでの運用も可能とすることができる。
【００９３】
また、コアネットワークによって、移動端末がクローズドアクセスモードで動作させてクローズドアクセスモードでのサービスを提供するか、オープンアクセスモードで動作させてオープンアクセスモードでのサービスを提供させるか判断および設定することを開示したが、移動端末がどちらかのモードかを優先したい場合が存在する。このような場合、コアネットワークが判断、設定すると、移動端末が優先したモードにならない場合が生じてしまう。このような問題を解消するため、移動端末は、ＲＲＣ接続要求、あるいはＴＡＵ要求に、優先したいモード情報をのせてハイブリッドアクセスモードセルを介してコアネットワーク側に送信するようにする。モード情報として具体的には、オープンアクセスモード優先かクローズドアクセスモード優先か、を示す情報とし、１ビットとして、“１”をオープンアクセスモード優先に、“０”をクローズドアクセスモード優先にしておくようにすれば良い。こうすることで、移動端末がどちらのモードを優先的に使用したいかがコアネットワークに通知されることになり、コアネットワークは該優先したいモード情報を用いて、該移動端末に設定するモードを決定することが可能となる。ここで開示した、優先したいモード情報を設けて移動端末からコアネットワークへ通知する方法は、本実施の形態だけでなく、ハイブリッドアクセスモードセル傘下の移動端末がどちらのモードを優先的に使用するかを示す場合に用いることが可能である。例えば、実施の形態５や実施の形態７にも適用することが可能である。
【００９４】
本実施の形態においては、ＣＳＧ内のセル全てがハイブリッドアクセスモードセルに設定される場合は全セルを同じｎｏｎ−ＣＳＧ用のＴＡにすることで、一つのＭＭＥやＨｅＮＢＧＷで該ＴＡを管理することが可能となる。また、一部のみが設定される場合も、該一部のセルを周辺のｎｏｎ−ＣＳＧ用のＴＡに属させることで、ＭＭＥやＨｅＮＢＧＷを別途設ける必要がなく、既存のＭＭＥやＨｅＮＢＧＷを用いて管理することが可能となる。従って、ＭＭＥの数が増大したり、制御やＴＡの管理が複雑になってしまうという問題は生じなくなる、という効果が得られる。また、ページング信号を送信するＴＡについても、ハイブリッドアクセスモードセルを周辺のｎｏｎ−ＣＳＧ用のＴＡに属させることで、ページング信号を送信するエリアとして適当とできる効果が得られる。また、実施の形態５のように、新たに設けたハイブリッドアクセスモード用のＴＡのＴＡ識別子に割り当てる範囲をあらかじめ決める必要がなく、セルからの報知情報でＴＡＣを傘下の移動端末に報知すれば良いため、柔軟なＴＡの運用が可能となる。
【００９５】
実施の形態７．
本実施の形態では、ハイブリッドアクセスモード（Hybrid access mode）のセルはあるひとつのＴＡに属し、該セルは一つのトラッキングエリアコード（Tracking Area Code  TAC）を報知する方法において、実施の形態５、実施の形態６とは別の方法を開示する。本実施の形態では、従来の方法を適用した場合の課題を解消するため、ハイブリッドアクセスモードのセルが属するＴＡとして、ｎｏｎ−ＣＳＧセル用のＴＡに属するようにして、ハイブリッドアクセスモードセルから該ＴＡの識別子（ＴＡＣ）を報知する方法を開示する。また、実施の形態５や実施の形態６で開示した方法の場合、ハイブリッドアクセスモードのセルから傘下の移動端末に報知されるトラッキングエリアコードはＣＳＧ−ＩＤと対応付けられているＴＡＣではないことになる。従って、ＣＳＧ−ＩＤが別途必要な場合には、ＴＡＣに加えてＣＳＧ−ＩＤを報知情報にのせて報知しなければならなくなる。この分だけ、該セルからの報知情報が増加しシグナリング量が増加してしまうことになる。また、実施の形態６で開示した方法の場合、ハイブリッドアクセスモードセルではないｎｏｎ−ＣＳＧセルを同じＴＡ内に属するようにしても良いが、そのような場合、ハイブリッドアクセスモードセルにおいてクローズドアクセスモードで運用している移動端末へのページング信号を、ハイブリッドアクセスモードのセルだけでなく、同じＴＡに属する全てのｎｏｎ−ＣＳＧセルにも送信することになってしまう。このためシステムとしてページング信号の負荷が増大することとなり、無線リソースの使用効率が低減してしまう。また、ＣＳＧ内の一部のセルがハイブリッドアクセスモードに設定されても良いが、この場合、ハイブリッドアクセスモードセルおよびｎｏｎ−ＣＳＧセルが属するＴＡを管理するＭＭＥと、ＣＳＧセルを管理するＭＭＥ間での情報の通信が必要となり、該通信量が増大してしまうという課題が生じる。
【００９６】
本実施の形態では、上記説明の課題を解消するため、ハイブリッドアクセスモードのセルが属するＴＡとして、ＣＳＧセル用のＴＡに属するようにして、ハイブリッドアクセスモードセルから該ＴＡの識別子（ＴＡＣ）を報知する方法を開示する。図２９に、ＣＳＧセル用のＴＡに属するようにした場合の一例を示す。４９０１はｎｏｎ−ＣＳＧセルを、４９０２はハイブリッドアクセスモードのセルを示す。ｎｏｎ−ＣＳＧセル用のＴＡをＴＡ＃１（４９０３）とする。ハイブリッドアクセスモードセル（４９０２）はオープンアクセスモードでも用いられるが、ここでは、クローズドアクセスモードとしても用いられる際のＣＳＧの識別子を例えばＣＳＧ−ＩＤ＃１とすると、ＣＳＧ−ＩＤ＃１に対応するＴＡ（ＴＡ＃２）（４９０４）に属するようにする。次に、本実施の形態におけるＴＡＣの通知方法について開示する。図３０にハイブリッドアクセスモードセルからのＴＡＣの通知方法の一例を示す。ハイブリッドアクセスモードセルはＣＳＧセル用のＴＡに属することになるので、ＳＴ５００１で、該セルは傘下の移動端末に対して一つの該ＣＳＧセル用ＴＡのＴＡ識別子（ＴＡＣ＃２）のみを報知情報にのせて報知することになる。このようにすることで、ある任意のセルからの報知情報として、該セルがクローズドアクセスモードのみのセルあるいはハイブリッドアクセスモードセルの場合はＣＳＧ−ＩＤに対応したひとつのＴＡＣが、該セルがｎｏｎ−ＣＳＧセルの場合はｎｏｎ−ＣＳＧセル用のひとつのＴＡＣが、傘下の移動端末に対して報知されることになる。
【００９７】
ハイブリッドアクセスモードのセルがクローズドアクセスモード時のＣＳＧが属するＴＡに属する場合の移動端末の待ちうけ動作までのフローチャート例は、図２８に示したフローチャートと同じになるため、図２８を用いて説明する。ＳＴ４８０１〜ＳＴ４８０６は、図１２のＳＴ１２０１〜ＳＴ１２０６までと同じであるので説明を省略する。選択したセルから報知されるＴＡＣを受信した移動端末は、ＳＴ４８０６でＳＩＢ１のＴＡＣがＵＥのＴＡリスト内のＴＡＣと同じでない場合は、移動端末は、ＳＴ４８０７に移行し、該セルがＣＳＧセルかどうか判断する。該セルがＣＳＧセルかどうかの判断に、現在３ＧＰＰにおいて提案されている、セルが報知情報に含めて報知するＣＳＧインジケータを用いても良い。本実施の形態においては、ハイブリッドアクセスモードのセルは、ＣＳＧインジケータをＣＳＧである、すなわち、ＣＳＧセルとして設定しておくようにする。例えば、ＣＳＧインジケータが1bitで示され、ＣＳＧセルでは“１”が設定され、ｎｏｎ−ＣＳＧセルでは“0”が設定されるようにする。このような場合、ハイブリッドアクセスモードのセルでは、ＣＳＧセルであることを示す“1”が設定されるようにする。このようにすることで、移動端末は、該セルがオープンアクセスモードセルか否かの判断が可能となる。本実施の形態においては、ＳＴ４８０７で、ＣＳＧインジケータがnon-ＣＳＧセルであることを示していた場合Ｎｏの方へ移行し、移動端末は該セルを通してコアネットワークへＴＡＵを送信しＴＡの変更を要求する。コアネットワークは移動端末の識別番号をもとにＴＡの更新を行い移動端末へＴＡＵ受領信号を送信する。ＴＡＵ受領信号を受信した移動端末は、該セルのＴＡＣで、移動端末が保有するＴＡリスト（あるいはＴＡＣ、ＴＡＣリスト）を書き換える（更新する）。その後移動端末は該セルで待ち受け動作に入る。
【００９８】
ＳＴ４８０７でＣＳＧインジケータがＣＳＧセルであると判断された場合、該セルがクローズドアクセスモードをサポートするハイブリッドアクセスモードのセルあるいはクローズドアクセスモードのセルと判断でき、ＳＴ４８０８へ移行する。ＳＴ４８０８で移動端末は自移動端末がホワイトリストを有するかどうか判断する。ホワイトリストを有する場合、ＳＴ４８０９で移動端末は、受信したＳＩＢ１に含まれるＴＡＣ（ＣＳＧ−ＩＤ）と、自移動端末に有するホワイトリスト内のＴＡＣ（ＣＳＧ−ＩＤ）とを比較する。比較して同じのがあった場合は、ＳＴ４８１０で移動端末は該ＣＳＧセルが「適切なセル」（suitableセル）となり該ＣＳＧセルへのアクセスを許可される。該セルへのアクセスを許可された移動端末は該セルを通してコアネットワークへＴＡＵを送信しＴＡの変更を要求する。そして、ＴＡＵ送信、ＴＡＵ受領信号受信を通して、ＴＡリストの書換えを行い、その後移動端末は該セルで待受け動作に入る。
【００９９】
しかし、ＳＴ４８０９で受信したＳＩＢ１に含まれるＴＡＣ（ＣＳＧ−ＩＤ）と自移動端末に有するホワイトリスト内のＣＳＧ−ＩＤ（ＴＡＣ）と比較した結果、同じのがなかった場合は、ＳＴ４８１１で移動端末は該セルが「適切なセル」ではないため該セルへのアクセスを禁止されることとなる。これは、移動端末からＣＳＧセルへの無駄なアクセス、たとえばＲＲＣコネクションの設立要求やＴＡＵをなくし、無駄な無線リソースの使用をなくすためである。ＬＴＥやＵＭＴＳなどの移動通信システムにおいては、将来、多大な数のＣＳＧセルが設置されることを想定している。移動端末がＣＳＧセルをサーチした際に、ホワイトリストを持っていないあるいはサーチしたセルのＣＳＧ−ＩＤと異なるＣＳＧ−ＩＤしかホワイトリストになかった場合、つまり該移動端末が該ＣＳＧに登録していない場合に、該ＣＳＧセルへのアクセスを許してしまうと、結局、該ＣＳＧセルへのアクセスが許可されず、例えばＲＲＣ設立拒否（リジェクト）や、ＴＡＵ拒否（リジェクト）の信号が該ＣＳＧセルもしくはネットワークから該移動端末へ送信されることとなり、無駄な無線リソースを使用するだけになってしまう。このような無駄な無線リソースの使用が、将来、ＣＳＧセルの数が増大した場合、システムとして問題となってくるからである。従って、このような、移動端末がＣＳＧセルをサーチした際に、ホワイトリストを持っていないあるいはサーチしたセルのＣＳＧ−ＩＤと異なるＣＳＧ−ＩＤしかホワイトリストになかった場合は、該ＣＳＧセルを「適切なセル」ではなくすことで該ＣＳＧセルへのアクセスを禁止している。従って、ＳＴ４８１１で、該セルが「適切なセル」ではなく、該セルへのアクセスを禁止された移動端末は、該セルに対してアクセスすることができず、再度セルサーチを行わねばならなくなる。また、ＳＴ４８０８で移動端末がホワイトリストを有しない場合も、ＳＴ４８１１で移動端末は該セルが「適切なセル」ではないため該セルへのアクセスを禁止されることとなる。この場合も、移動端末は、該セルに対してアクセスすることができず、再度セルサーチを行わねばならなくなる。
【０１００】
以上のように、ハイブリッドアクセスモードのセルが、ｎｏｎ−ＣＳＧセルとみなされない場合あるいはＣＳＧセルとみなされる場合は、該ハイブリッドアクセスモードのセルがオープンアクセスモードをサポートするにもかかわらず、ホワイトリストを有しないあるいはホワイトリストを有していても該ホワイトリスト内にハイブリッドアクセスモードのセルのＣＳＧ−ＩＤ（ＴＡＣ）がない移動端末は、該ハイブリッドアクセスモードのセルへアクセスできない、という問題が生じてしまう。例えば本実施の形態においては、該はハイブリッドアクセスモードセルから報知されるＣＳＧインジケータがＣＳＧセルを示す“１”に設定される場合、ＣＳＧセルとみなされるため、ここで記載した問題が生じることになる。このような問題は、本実施の形態に限らず、ハイブリッドアクセスモードのセルが、ｎｏｎ−ＣＳＧセルとみなされない場合あるいはＣＳＧセルとみなされる場合に発生してしまう。
【０１０１】
この問題を解消するため、セルのモード情報を用いて該セルへのアクセス制限を決定するようにする。この問題を解消するため、報知情報の中のＴＡＣ（ＣＳＧ−ＩＤ）情報とセルのモード情報とを用いて該セルへのアクセス制限を決定するようにする。アクセス制限の具体例として、セルのモード情報がハイブリッドアクセスモードの場合は、移動端末のホワイトリストの有無あるいはホワイトリスト内の該セルにＣＳＧ−ＩＤ（ＴＡＣ）の有無にかかわらず、該セルが「適切なセル」としてアクセスが許可されるようにしておく。一方、セルのモード情報がハイブリッドアクセスモードでない場合は従来のアクセス制限としておく。こうすることで、ハイブリッドアクセスモードのセルがオープンアクセスモードをサポートするにもかかわらず、該ハイブリッドアクセスモードのセルへアクセスできない移動端末が生じるという問題を解消することが可能となる。図３１に、本実施の形態における、移動端末の待ちうけ動作までのフローチャートの一例を示す。図２８に示したフローチャートのＳＴ４８１１以降が、図３１のＳＴ５２１１〜ＳＴ５２１３で示すように異なる。異なる部分を主に説明する。ＳＴ５２０９で移動端末は、受信したＳＩＢ１に含まれるＴＡＣ（ＣＳＧ−ＩＤ）と、自移動端末に有するホワイトリスト内のＴＡＣ（ＣＳＧ−ＩＤ）とを比較する。比較して同じのがあった場合は、ＳＴ５２１０で移動端末は該ＣＳＧセルが「適切なセル」となり該ＣＳＧセルへのアクセスを許可される。該セルへのアクセスを許可された移動端末は該セルを通してコアネットワークへＴＡＵを送信しＴＡの変更を要求する。そして、ＴＡＵ送信、ＴＡＵ受領信号受信を通して、ＴＡリストの書換えを行い、その後移動端末は該セルで待受け動作に入る。
【０１０２】
一方、ＳＴ５２０９で受信したＳＩＢ１に含まれるＴＡＣ（ＣＳＧ−ＩＤ）と自移動端末に有するホワイトリスト内のＣＳＧ−ＩＤ（ＴＡＣ）と比較した結果、同じものがなかった場合、あるいは、ＳＴ５２０８で移動端末がホワイトリストを有しない場合は、ＳＴ５２１１で移動端末は該セルがハイブリッドアクセスモードかどうかを判断する。本実施の形態においては、セルのモード情報がハイブリッドアクセスモードの場合は、移動端末のホワイトリストの有無あるいはホワイトリスト内に該セルのＣＳＧ−ＩＤ（ＴＡＣ）の有無にかかわらず、該セルが「適切なセル」としてアクセスが許可されるようにしておくため、ＳＴ５２１２で移動端末は該セルへのアクセスが許可されることになる。該セルへのアクセスを許可された移動端末は該セルを通してコアネットワークへＴＡＵ送信、ＴＡＵ受領信号受信、ＴＡリストの書換えを行い、その後移動端末は該セルで待受け動作に入る。
【０１０３】
ＳＴ５２１１で移動端末は該セルがハイブリッドアクセスモードかどうかを判断し、セルのモード情報がハイブリッドアクセスモードでない場合は、従来のアクセス制限のため、移動端末はホワイトリストがないあるいはホワイトリスト内に該セルのＣＳＧ−ＩＤ（ＴＡＣ）がないため、該セルが「適切なセル」とはならないことになる。従って、ＳＴ５２１３で移動端末は該セルへのアクセスが禁止されることとなり、再度セルサーチを行わねばならなくなる。
以上のように、本実施の形態によれば、移動端末のホワイトリストの有無あるいはホワイトリスト内にハイブリッドアクセスモードのセルのＣＳＧ−ＩＤ（ＴＡＣ）の有無にかかわらず、移動端末はハイブリッドアクセスモードのセルへのアクセスが可能となり、移動端末はハイブリッドアクセスモードのセルを通してコアネットワークへＴＡＵ送信、ＴＡＵ受領信号受信、ＴＡリストの書換えを行うことが可能となり、その後移動端末はハイブリッドアクセスモードのセルで待受け動作に入ることが可能となる。
【０１０４】
図３２に、本実施の形態における、移動端末がＴＡＵ受領信号（ＴＡＵアクセプト）を受信するまでのシーケンスの一例を示す。ハイブリッドアクセスモードのセルにユーザアクセス登録済みの移動端末（登録済み移動端末）とユーザアクセス登録していない移動端末（未登録移動端末）が各々示されている。ＳＴ５３０３、ＳＴ５３０４で登録済み移動端末と未登録移動端末は各々セルサーチ、セルセレクションを行い、ハイブリッドアクセスモードのセルを選択する。ＳＴ５３０５、ＳＴ５３０６で登録済み移動端末と未登録移動端末は各々該セルから報知情報を受信する。報知情報を受信した登録済み移動端末と未登録移動端末はＳＴ５３０７、ＳＴ５３０８で報知情報に含まれる該セルのＣＳＧ−ＩＤ（ＴＡＣ）のチェックを行う。これは、図３１で開示した、ＳＴ５２０６からＳＴ５２０９の動作を行い、ＣＳＧ−ＩＤ（ＴＡＣ）を比較する。登録済み移動端末は該セルへのアクセスが許可される（ＳＴ５３０９）ため、ＳＴ５３１３で該セルへＲＲＣコネクション設立要求を送信する（RRC Connection Request）。一方、未登録移動端末は、ＳＴ５３１０でモードチェックを行う。選択したセルがハイブリッドアクセスモードのセルであるため、未登録移動端末もアクセス許可される（ＳＴ５３１１）ことになり、ＳＴ５３１２で該セルへＲＲＣコネクション設立要求を送信する（RRC Connection Request）。各々の移動端末からＲＲＣコネクション設立要求を受信した該セルは、ＳＴ５３１５、ＳＴ５３１７（RRC Connection Accept）で各々の移動端末に対してＲＲＣコネクションアクセプト信号を送信する。これにより、ＳＴ５３１６、ＳＴ５３１８（RRC Connection Establishment）で示すように、登録済み移動端末、未登録移動端末と該セルの間でＲＲＣコネクションが設立される。ＲＲＣコネクションが設立された各々の移動端末は、ＳＴ５３１９、ＳＴ５３２１、ＳＴ５３２０、ＳＴ５３２２でＴＡＵ要求を、該セルを介してコアネットワーク（ＣＮ）（ＭＭＥ、ＨｅＮＢＧＷ）へ送信する。ここで、ＴＡＵ要求に移動端末識別子（移動端末識別番号、移動端末識別コード、ＵＥ−ＩＤ、ＩＭＳＩなど）をのせておくようにする。また、該セルからコアネットワークへのＴＡＵ要求（ＳＴ５３２０、ＳＴ５３２２）に、該セルの識別子（セル識別番号、セル識別コード、Ｃｅｌｌ−ＩＤ、ＧＣＩなど）をのせておくようにする。ＳＴ５３２３でコアネットワークは、各移動端末から送信されたＴＡＵ要求とそれに含まれる移動端末識別子をもとに、該セルが属するＣＳＧのＣＳＧ−ＩＤに各移動端末が含まれるかどうかチェックする。
【０１０５】
この際、コアネットワークは該ＴＡＵを送信してきたセルがハイブリッドアクセスモードのセルか否かもあわせてチェックする。ハイブリッドアクセスモードのセルの場合は、ＴＡＵを送信した移動端末がホワイトリストの有無あるいはホワイトリスト内にハイブリッドアクセスモードのセルのＣＳＧ−ＩＤ（ＴＡＣ）の有無にかかわらず該移動端末に対してＴＡＵアクセプト信号を送信する。ＴＡＵアクセプト信号にＴＡリスト情報を含めて該移動端末へ通知するようにしても良い。また、ＴＡＵアクセプト信号とは別のＮＡＳメッセージにてＴＡリストを通知するようにしても良い。なお、該移動端末からＴＡＵを受信したコアネットワークは、該移動端末がハイブリッドアクセスモードセルがサポートするクローズドアクセスモードのＣＳＧに登録して有る場合は、該移動端末をクローズドアクセスモードで動作させる。そうでない場合は、該移動端末をオープンアクセスモードで動作させる。このように、本実施の形態で開示した方法とすることで、コアネットワークによって、クローズドアクセスモードで動作させてクローズドアクセスモードでのサービスを提供するか、オープンアクセスモードで動作させてオープンアクセスモードでのサービスを提供させるか判断および設定が可能となる。ハイブリッドアクセスモードのセルでない場合は、従来のように、該セルが属するＣＳＧのＣＳＧ−ＩＤに各移動端末が含まれるかどうかチェックして、含まれる場合はＴＡＵアクセプト信号を送信し、含まれない場合はＴＡＵリジェクト信号を送信する。図で示した例では、該セルはハイブリッドアクセスモードセルなので、ＳＴ５３２３でコアネットワークは移動端末がホワイトリストの有無あるいはホワイトリスト内にハイブリッドアクセスモードのセルのＣＳＧ−ＩＤ（ＴＡＣ）の有無にかかわらず該移動端末に対してＴＡＵを許可（受領）し、該セルを介してＴＡＵアクセプト信号を送信する（ＳＴ５３２４、ＳＴ５３２６、ＳＴ５３２５、ＳＴ５３２７  TAU Accept(TA list通知)）。ＴＡＵアクセプト信号を受信した各々の移動端末は、ＳＴ５３２８、ＳＴ５３２９でコアネットワークより受信したＴＡリストを更新する。
【０１０６】
上記で開示したようにすることで、ハイブリッドアクセスモードセルがオープンアクセスモードとしても使用可能となり、ホワイトリストの有無あるいはホワイトリスト内にハイブリッドアクセスモードのセルのＣＳＧ−ＩＤ（ＴＡＣ）の有無にかかわらず移動端末は、該セルへのアクセス可能となり、また、ＲＲＣコネクションの設立を行うことが可能となり、また、該セルを介してＴＡＵ要求信号の送信、ＴＡＵアクセプト信号の受信、ＴＡリストの受信が可能となり、ＴＡリストの書換えが可能となる。また、その後移動端末は該セルで待受け動作に入ることが可能となる。
【０１０７】
図３２で開示したように、ＳＴ５３２３でコアネットワークは、ＴＡＵを送信してきたセルがハイブリッドアクセスモードのセルか否かもあわせてチェックすることとした。該セルのモードが該セルの最初の設置で決められたモードが使用される場合はそのモードをあらかじめコアネットワークに入力しておけば、該チェックは可能となる。しかし、該セルのモードは柔軟に変更可能とすることが要求される。ここでは、モード設定を柔軟に変更可能とした場合のモード設定方法と、コアネットワーク（ＭＭＥ、ＨｅＮＢＧＷ）がＴＡＵを送信してきたセルがハイブリッドアクセスモードのセルかを認識する方法を開示する。ＳＴ５３２０、ＳＴ５３２２でハイブリッドアクセスモードのセルからコアネットワークに送信するＴＡＵ要求信号に、該セルのモード情報をのせて送信する。こうすることでコアネットワークは、ＴＡＵを送信してきたセルがハイブリッドアクセスモードのセルか否かもあわせてチェック可能となる。別の方法を示す。図３３に、ＨＮＢ、ＨｅＮＢのオーナがアクセスモードを決定する場合について開示する。ＳＴ５４０１でオーナがＨｅＮＢ（ＨＮＢでも良い）のモード設定を行う。モード設定されたＨｅＮＢは、ＳＴ５４０２で設定されたモードをコアネットワークに通知する。設定モードを通知されたコアネットワークは設定モードに応じて、該セルがどのＴＡに属するかを判断して、ＳＴ５４０３で該セルにＴＡＣを通知する。モードの通知やＴＡＣの通知は、ＮＡＳメッセージを用いて送信しても良い。また、ブロードバンド回線などを通して送信しても良い。これにより、コアネットワークは該セルがどのモードに設定されたかを認識することが可能となり、また、該セルは、設定モードに応じたＴＡＣがネットワークから割り当てられることになる。
【０１０８】
図３４に、ネットワークオペレータがセルのモード設定を行う場合の方法を開示する。ＳＴ５５０１でネットワークオペレータは設定モードをネットワークから該セルに対して通知する。また、ネットワークはネットワークオペレータが設定したモードに基づいて該セルが属するＴＡを決定し、ＳＴ５５０２で該ＴＡのＴＡＣを該セルに通知する。モードの通知やＴＡＣの通知は、ＮＡＳメッセージを用いて送信しても良いし、ブロードバンド回線上で送信しても良い。図３３、３４で開示した方法は、セルが最初に報知情報にてＴＡＣを送信する前に行われるようにしておけば良い。例えば、ＨｅＮＢ、ＨＮＢ設置後の初期設定の際に行うと良い。また、図３３、３４で開示した方法を行った後に、セルが報知する報知情報を変更して送信するようにしておき、上記報知情報に含まれるＴＡＣを、コアネットワークより通知されたＴＡＣに変更して送信するようにしておいても良い。図３３、３４で開示した方法を用いることによって、図３２で開示したように、ＳＴ５３２３でコアネットワークは、ＴＡＵを送信してきたセルがハイブリッドアクセスモードのセルか否かもあわせてチェックすることが可能となる。また、これらの方法は、セルの最初の設置の際のモード設定にも適用できる。ここで開示した方法は、ＣＳＧ内のセルが全て同じモードに設定されるようにしても良く、あるいは、ＣＳＧ内の一つまたは複数のセルに対してのみ同じモードが設定されるようにしても良い。これらの場合にも、上記で開示した方法を適用することによって、モード設定（変更）対象のセルに対して、モード設定（変更）が柔軟に行えるようになり、コアネットワークも該セルのモードを認識することが可能となる。
【０１０９】
本実施の形態で開示した方法を用いることで、従来の方法を適用した場合の課題で述べたような、シグナリング量の増大や無線リソースの使用効率の低下、さらにはＭＭＥや基地局での制御の複雑化、さらには、コアネットワーク（ＭＭＥ）とセル間の信号量の増大を生じさせることなく、ハイブリッドアクセスモードセルをセル選択した移動端末は、自移動端末にホワイトセルの有無にかかわらず、ハイブリッドアクセスモードセルにアクセス可能となる効果が得られる。さらに、ハイブリッドアクセスモードのセルはＣＳＧのＴＡに属することになるため、該セルから傘下の移動端末に報知されるＴＡＣはＣＳＧ用のＴＡＣであり、ＣＳＧ−ＩＤと対応付けられているＴＡＣとなる。このため、セルからの報知情報としてＴＡＣが送信されていれば良く、ＣＳＧ−ＩＤを別途送信する必要はなくなりシグナリング量を増大させることはない、という効果が得られる。また、ハイブリッドアクセスモードセルはＣＳＧのＴＡに属することになるため、該セルからの移動端末へのページング信号を、該ＣＳＧ内のセルからにすることが可能となる。このため、システムとしてページング信号の負荷の増大も防げるという効果が得られる。また、先述のように、ＣＳＧ内の一部のセルがハイブリッドアクセスモードに設定されても良いし、全部がハイブリッドアクセスモードに設定されても良い。従って、柔軟なセルのモード運用が可能となる効果が得られる。
【０１１０】
実施の形態８．
実施の形態７で、ハイブリッドアクセスモードセルのＴＡは該セルがクローズドアクセスモード時のＣＳＧの属するＴＡとすることを、また報知情報の中のＴＡＣ（ＣＳＧ−ＩＤ）情報とセルのモード情報とを用いて該セルへのアクセス制限を決定することを開示した。また、アクセス制限決定方法の具体例として、セルのモード情報がハイブリッドアクセスモードの場合は、移動端末のホワイトリストの有無あるいはホワイトリスト内の該セルにＣＳＧ−ＩＤ（ＴＡＣ）の有無にかかわらず、該セルが「適切なセル」としてアクセスが許可されるようにしておき、一方、セルのモード情報がハイブリッドアクセスモードでない場合は従来のアクセス制限としておくことを開示した。本実施の形態では、実施の形態７の具体例で開示したアクセス制限の決定方法において、セルのモード情報を、該セルからの報知情報内のHybrid access indicatorを用いる方法を開示する。
【０１１１】
３ＧＰＰにおいて、セルの各アクセスモードにおけるサービスの具体例が検討されている。クローズドアクセスモードのサービスの具体例を示す。登録した移動端末のみにセルへのアクセスを許可することで、該移動端末が使用できる無線リソースを増大させて高速に通信を行えるようにする。その分、オペレータは課金料を通常よりも高く設定する。といったサービスである。それに対して、ハイブリッドアクセスモードのセルは、クローズドアクセスモードとオープンアクセスモードの両方を同時にサービスする。この場合、登録した移動端末のみがアクセス許可されるわけではない。オープンアクセスモードの移動端末も該セルの無線リソースを使用する。従って、ハイブリッドアクセスモードのセルにおけるクローズドアクセスモードの通信速度は、クローズドアクセスモードセルの通信速度以下となる。オペレータはこの分、課金料を安くする。このようなサービスの使い分けが検討されている。従って、移動端末は、セルサーチ、セル選択したセルから、クローズドアクセスモードセルを選択するのか、ハイブリッドアクセスモードセルを選択するのか判断できるようにすることが必要となる。このため、３ＧＰＰにおいては、セルのアクセスモードが、Hybridかclosedかを示すインジケータ（Hybrid access indicator）を報知情報にのせて傘下の移動端末に報知することが提案されている（非特許文献９）。
【０１１２】
本実施の形態においては、該Hybrid access indicatorをアクセス制限の決定の際のセルのモード情報に用いる方法とする。アクセス制限の決定の際のセルのモード情報にHybrid access indicatorを用いる場合の移動端末の動作について示す。実施の形態７の図３１で開示した、移動端末におけるセルサーチから待ち受けまでの動作において、セルへの新たなアクセス制限を決定するために設けたＳＴ５２１１のセルのモード情報による判断の部分を、図３５のＳＴ５６０１で示すように、モードインジケータとしてHybrid access indicatorを用い、該Hybrid access indicatorがHybridを示しているかどうかを判断するようにする。該セルは、Hybrid access indicatorをＳＩＢ１にマッピングして報知することで、移動端末がセル選択の際に図３１のＳＴ５２０５においてＳＩＢ１を受信でき、該Hybrid access indicatorを得ることができる。ＳＴ５６０１で、移動端末はＳＩＢ１を受信することによって得たHybrid access indicatorを用いる。ＳＴ５６０１でモードインジケータがHybridであることを示している場合、実施の形態７で開示したように、移動端末のホワイトリストの有無あるいはホワイトリスト内に該セルのＣＳＧ−ＩＤ（ＴＡＣ）の有無にかかわらず、該セルが「適切なセル」としてアクセスが許可されるようにしておくことにより、ＳＴ５６０２で移動端末は該セルへのアクセスが許可されることになる。該セルへのアクセスを許可された移動端末は同様に該セルを通してコアネットワークへＴＡＵ送信、ＴＡＵ受領信号受信、ＴＡリストの書換えを行い、その後移動端末は該セルで待受け動作に入る。一方、モードインジケータがclosedであることを示している場合は、従来のアクセス制限とすることにより、移動端末はホワイトリストがないあるいはホワイトリスト内に該セルのＣＳＧ−ＩＤ（ＴＡＣ）がないため、該セルが「適切なセル」とはならないことになる。従って、ＳＴ５６０３で移動端末は該セルへのアクセスが禁止されることとなり、再度セルサーチを行わねばならなくなる。
【０１１３】
以上のように、本実施の形態によれば、移動端末のホワイトリストの有無あるいはホワイトリスト内にハイブリッドアクセスモードのセルのＣＳＧ−ＩＤ（ＴＡＣ）の有無にかかわらず、移動端末はハイブリッドアクセスモードのセルへのアクセスが可能となり、移動端末はハイブリッドアクセスモードのセルを通してコアネットワークへＴＡＵ送信、ＴＡＵ受領信号受信、ＴＡリストの書換えを行うことが可能となり、その後移動端末はハイブリッドアクセスモードのセルで待受け動作に入ることが可能となる。さらには、アクセス制限の決定方法において、セルのモード情報を、該セルからの報知情報内のHybrid access indicatorを用いることで、セルのモード情報を新たに該セルから受信する必要がなくなるためシグナリング量の削減が図れる効果が得られる。
【０１１４】
実施の形態８  変形例１
本実施の形態では、アクセス制限の決定方法において、セルのモード情報を、該セルからの報知情報内のHybrid access indicatorを用いることとした。本変形例においては、セルのアクセスモードが、ハイブリッドアクセスモードかクローズドアクセスモードかオープンアクセスモードかを示すインジケータを設けて、報知情報にのせて傘下の移動端末に報知することとする。図３５のＳＴ５６０１で示したモードインジケータとして、該ハイブリッドアクセスモードかクローズドアクセスモードかオープンアクセスモードかを示すインジケータを用いるようにする。モードインジケータがHybridあるいはopenの場合はＳＴ５６０２に移行することとする。この際、実施の形態７で開示したように、移動端末のホワイトリストの有無あるいはホワイトリスト内に該セルのＣＳＧ−ＩＤ（ＴＡＣ）の有無にかかわらず、該セルが「適切なセル」としてアクセスが許可されるようにしておくことにより、ＳＴ５６０２で移動端末は該セルへのアクセスが許可されることになる。該セルへのアクセスを許可された移動端末は同様に該セルを通してコアネットワークへＴＡＵ送信、ＴＡＵ受領信号受信、ＴＡリストの書換えを行い、その後移動端末は該セルで待受け動作に入る。一方、モードインジケータがclosedであることを示している場合はＳＴ５６０３へいこうする。この際、従来のアクセス制限とすることにより、移動端末はホワイトリストがないあるいはホワイトリスト内に該セルのＣＳＧ−ＩＤ（ＴＡＣ）がないため、該セルが「適切なセル」とはならないことになる。従って、ＳＴ５６０３で移動端末は該セルへのアクセスが禁止されることとなり、再度セルサーチを行わねばならなくなる。
【０１１５】
本変形例で開示した方法においては、オープンアクセスモードか否かの判断をＳＴ５６０１で他のモードの判断と同時に行ってしまうため、図３１に示すＳＴ５２０７のＣＳＧセルかどうかの判断が不要となる。以上のように本変形例で開示した方法とすることで、実施の形態７と同等の効果が得られ、さらには、セルが傘下の移動端末に報知情報にのせて送信するＣＳＧセルかどうかを示すＣＳＧ indicatorが不要となるため、シグナリング量の削減が図れる、という効果が得られる。さらには、オープンアクセスモードか否かの判断をＳＴ５６０１で他のモードの判断と同時に行ってしまうため、図３１に示すＳＴ５２０７のＣＳＧセルかどうかの判断が不要となるため、移動端末での処理を簡易にでき、回路の小型、低消費電力化が図れるという効果が得られる。
【０１１６】
本変形例で開示したインジケータは、モードインジケータとして用いるだけでなく、いろいろなサービスに対応して使用することが可能となる。サービスの一つの形態として、セルを、クローズドアクセスモード セルあるいはハイブリッドアクセスモードセルあるいはオープンアクセスモードセルとを、時間的に変更して使用することが考えられる。例えば、昼間はＣＳＧ登録していない移動端末にアクセス可能として、夜間のみＣＳＧ登録した移動端末にも使用するようにする。この場合、該セルを昼間はオープンアクセスモードセルとして運用し、夜間はクローズドアクセスモード セルあるいはハイブリッドアクセスモードセルとして運用するとよい。このような場合に、該セルがどのモードで運用しているかを移動端末に示すインジケータが必要となる。該インジケータとして、本変形例で開示したインジケータを用いることが可能である。本変形例で開示したインジケータを用いることで、システムとして柔軟な運用が可能となるため、移動通信システムにいろいろなサービスの形態を導入することが可能となる効果が得られる。
【０１１７】
実施の形態９．
実施の形態８で、アクセス制限の決定方法において、セルのモード情報を該セルからの報知情報内のHybrid access indicatorを用いる方法を開示した。アクセス制限の決定方法において、セルのモード情報にセルサーチの際に得たセルのＰＣＩを用いる方法を開示する。
【０１１８】
実施の形態７において、移動端末のセルサーチ、セル選択から待ち受けまでの動作を図３１に開示した。図３１のＳＴ５２０１において、移動端末はＰ−ＳＳ、Ｓ−ＳＳを用いて該セルのＰＣＩを特定する。従って、本実施の形態では、移動端末が特定したセルのＰＣＩを、該セルのモード情報に用いる方法を開示する。具体例について述べる。移動端末はセルサーチの際に、ステップＳＴ５２０１で周辺の基地局から送信される第一同期信号（P−SS）、第二同期信号（S−SS）を用いてスロットタイミング、フレームタイミングの同期をとる。Ｐ−ＳＳとＳ−ＳＳあわせて、同期信号（SS）にはセル毎に割り当てられたＰＣＩ（Physical Cell Identity）に１対１対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。移動端末が特定したＰＣＩを該セルのモード情報として用いるため、特定したＰＣＩから該セルがハイブリッドアクセスモードセルか否かを判断できるようにしなければならない。この方法として、実施の形態１および実施の形態２で開示した方法を利用する。実施の形態１の中で、システムとして、ＣＳＧセル用のＰＣＩの範囲と、ｎｏｎ−ＣＳＧセル用のＰＣＩの範囲を重複(一部でも全部でも良い)させ、ハイブリッドアクセスモードのセルには、該重複した範囲のＰＣＩを割り当てるようにした。ここで、該重複した範囲のＰＣＩは、ハイブリッドアクセスモードのセルのみに割り当てるようにしておけば良い。こうすることによって、移動端末は、セルサーチの際に特定したＰＣＩがハイブリッドアクセスモードのセルに割り当てられたＰＣＩか否かを認識することが可能となる。ハイブリッドアクセスモードのセルに割り当てられたＰＣＩか否かを認識した移動端末が、その情報を該セルのモード情報として記憶しておけば良い。ＰＣＩの範囲の通知は実施の形態１で開示した方法が適用できる。
【０１１９】
また、実施の形態２の中で、システムとして、ハイブリッドアクセスモードのセル用のＰＣＩ範囲を設け、該ＰＣＩの範囲をＣＳＧセル用のＰＣＩ範囲とｎｏｎ−ＣＳＧセル用のＰＣＩ範囲と別に設けることを開示した。これを利用しても良い。こうすることによって、移動端末は、セルサーチの際に特定したＰＣＩがハイブリッドアクセスモードのセルに割り当てられたＰＣＩか否かを認識することが可能となる。ハイブリッドアクセスモードのセルに割り当てられたＰＣＩか否かを認識した移動端末が、その情報を該セルのモード情報として移動端末の記憶媒体に記憶しておけば良い。ＰＣＩの範囲の通知は実施の形態２で開示した方法が適用できる。記憶媒体としては、プロトコル処理部（３２０１）、制御部（３２１０）などのメモリ部や、移動端末に装着するＳＩＭ／ＵＳＩＭなどとしても良い。移動端末の動作について示す。実施の形態７の図３１で開示した、移動端末におけるセルサーチから待ち受けまでの動作において、セルへの新たなアクセス制限を決定するために設けたＳＴ５２１１のセルのモード情報による判断の部分を、図３６のＳＴ５７０１で示すように、移動端末に記憶されている、セルサーチの際に特定したＰＣＩから判断した該セルのモード情報を用いることとする。ＳＴ５７０１で、モード情報がHybridであることを示している場合、実施の形態７で開示したように、移動端末のホワイトリストの有無あるいはホワイトリスト内に該セルのＣＳＧ−ＩＤ（ＴＡＣ）の有無にかかわらず、該セルが「適切なセル」としてアクセスが許可されるようにしておくことにより、ＳＴ５７０２で移動端末は該セルへのアクセスが許可されることになる。該セルへのアクセスを許可された移動端末は同様に該セルを通してコアネットワークへＴＡＵ送信、ＴＡＵ受領信号受信、ＴＡリストの書換えを行い、その後移動端末は該セルで待受け動作に入る。一方、モードインジケータがHybridでないことを示している場合は、従来のアクセス制限とすることにより、移動端末はホワイトリストがないあるいはホワイトリスト内に該セルのＣＳＧ−ＩＤ（ＴＡＣ）がないため、該セルが「適切なセル」とはならないことになる。従って、ＳＴ５７０３で移動端末は該セルへのアクセスが禁止されることとなり、再度セルサーチを行わねばならなくなる。
【０１２０】
また、移動端末がセルサーチの際に特定したセルのＰＣＩを、該セルのモード情報に用いることで、該セルのモードがHybridか否かが認識可能となるため、現在３ＧＰＰで提案されている、Hybrid access indicatorをなくすことが可能となる。Hybrid access indicatorは報知情報としてＳＩＢ１に含まれることが提案されているため、Hybrid access indicatorをなくすことでシグナリング量の削減が図れる。以上のように本実施の形態で開示した方法とすることで、実施の形態７と同等の効果が得られ、さらには、セルのモードがHybridか否かを示すHybrid access indicatorを不要とすることが可能となるため、シグナリング量の削減が図れる、という効果が得られる。
【０１２１】
実施の形態１０．
実施の形態３の変形例１にて、基地局から傘下の移動端末に対して周辺ハイブリッド状況を通知することを開示した。周辺ハイブリッド状況の通知の具体例として、周辺セルにハイブリッドアクセスモードで動作するＨｅＮＢが存在するか否かを通知することを開示した。また別の具体例として、自セルの周辺、あるいはメジャメント対象セル中にハイブリッドアクセスモードで動作するＨｅＮＢが存在するか否かを傘下の移動端末に対して通知することを開示した。
【０１２２】
本実施の形態１０では、周辺ハイブリッド状況の通知の更なる具体例を以下に７つ開示する。
【０１２３】
（１）周辺（周辺セル、あるいはメジャメント対象セルの中。以降同様とする。）にハイブリッドアクセスモードで動作するＨｅＮＢが存在する旨を通知する。メジャメント対象セルとは、例えば、ネットワーク側から移動端末へ、移動端末がメジェメントすることを要求されるセルを意味する。
【０１２４】
（２）周辺にハイブリッドアクセスモードで動作するＨｅＮＢが存在しない旨を通知する。
【０１２５】
（３）周辺に存在する、ハイブリッドアクセスモードで動作するＨｅＮＢのＰＣＩを通知する。例えば周辺ハイブリッド状況を同周波数間周辺セルリスト（ＮＣＬ：Neighboring Cell List）、あるいは異周波数間周辺セルリスト、あるいは異システム間周辺セルリストを用いて通知する場合を考える。上記各周辺セルリストにより周辺ハイブリッド状況を通知することで、移動端末が周辺セルの情報をともに受信することが可能となり、移動端末の動作の複雑性回避、制御遅延防止、処理負荷軽減という効果を得ることができる。周辺に存在する、ハイブリッドアクセスモードで動作するＨｅＮＢのＰＣＩを、周辺セルリストを用いて通知する方法の具体例を以下２つ開示する。
【０１２６】
（３−１）現行の周辺セルリストにて周辺ハイブリッド状況を通知する。周辺セルのＰＣＩと共にハイブリッドアクセスモードで動作するセルであることを区別可能とする情報を付加しても良い。区別可能とする情報の具体例を以下４つ開示する。
【０１２７】
（３−１−１）アクセスモードの別を示す。例えば、クローズドアクセスモード、オープンアクセスモード、ハイブリッドアクセスモードを示す。
【０１２８】
（３−１−２）ハイブリッドアクセスモードであるか否かを示す。
【０１２９】
（３−１−３）ハイブリッドアクセスモードである旨を示す。
【０１３０】
（３−１−４）ハイブリッドアクセスモードでない旨を示す。
【０１３１】
（３−２）現行の周辺セルリストと分離することで、ハイブリッドアクセスモードで動作するＨｅＮＢのＰＣＩを通知する。周辺セルのアクセスモードにより周辺セルリストを分離しても良い。移動端末は、アクセスモード毎に分離された周辺セルリストにより、該周辺セルリストに含まれるＰＣＩを伴う各セルは、各々のアクセスモードで動作していることが認識可能となる。また、ハイブリッドアクセスモードで動作するセル用の周辺セルリストを設けてもよい。移動端末は、該ハイブリッドアクセスモードで動作するセル用の周辺セルリストに含まれるＰＣＩを伴うセルは、ハイブリッドアクセスモードで動作していることが認識可能となる。
【０１３２】
（４）ハイブリッドセル（ハイブリッドアクセスモードで動作するセル）に割当てられるＰＣＩの範囲を通知する。周辺にハイブリッドアクセスモードで動作するセルが存在する場合のみ通知するとしても良い。
【０１３３】
３ＧＰＰでは、マクロセルに利用可能なＰＣＩｓ／ＰＣＳｓのセットからハイブリッドセルのためにＰＣＩｓ／ＰＳＣｓの部分集合を予約して、その情報を移動端末に報知することが提案されている（非特許文献１１）。つまり、ｎｏｎ−ＣＳＧ用のＰＣＩ中にハイブリッドセルが利用するＰＣＩ範囲（以降、ハイブリッドセル用のＰＣＩ範囲と称する）を予約することが提案されている。一方、ハイブリッドセル用のＰＣＩ範囲の移動端末への通知方法についての詳細は開示されていない。
【０１３４】
周辺セルにハイブリッドアクセスモードで動作するセルが存在する場合のみ、ハイブリッドセルに割当てられるＰＣＩの範囲をサービングセルより通知することで以下の効果を得ることが出来る。ハイブリッドセルに割当てられるＰＣＩの範囲を通知することによって、実施の形態３の変形例１で示した周辺セルにハイブリッドアクセスモードで動作するＨｅＮＢが存在するか否か、あるいは本実施の形態における周辺ハイブリッド状況の更なる具体例（１）である「周辺にハイブリッドアクセスモードで動作するＨｅＮＢが存在する旨」、あるいは本実施の形態における周辺ハイブリッド状況の更なる具体例（２）である「周辺にハイブリッドアクセスモードで動作するＨｅＮＢが存在しない旨」を通知することなく、同様の情報を通知することが可能となる。これにより、無線リソースの有効活用、通知の情報が増加することによる移動体通信システムの複雑性の回避という効果を得ることができる。
【０１３５】
（５）周辺に存在するハイブリッドセルに割当てられるＰＣＩの範囲を通知する。これにより、本実施の形態における周辺ハイブリッド状況の更なる具体例（４）と比較して、ハイブリッドアクセスモードで動作しているＨｅＮＢの検出のために移動端末がセルサーチのために用いるＰＣＩの数を削減することが可能となる。これにより、移動端末の処理負荷軽減という効果を得ることが出来る。
【０１３６】
（６）現在のキャリア周波数（サービング周波数とも称される）にハイブリッドアクセスモードで動作するＨｅＮＢが存在する旨、あるいはハイブリッドアクセスモードで動作するＨｅＮＢが存在しない旨、あるいはハイブリッドアクセスモードで動作するＨｅＮＢが存在するか否かを通知する。該情報は、周辺セルの状況によらないため、移動体通信システムの複雑性の回避という効果を得ることができる。
【０１３７】
（７）現在の移動体通信システムにハイブリッドアクセスモードで動作するＨｅＮＢが存在する旨、あるいはハイブリッドアクセスモードで動作するＨｅＮＢが存在しない旨、あるいはハイブリッドアクセスモードで動作するＨｅＮＢが存在するか否かを通知する。該情報は、周辺セルの状況、キャリア周波数によらないため、移動体通信システムの複雑性の回避という効果を得ることができる。ハイブリッドアクセスモードで動作するＨｅＮＢが存在するか否かによりリリースを分断し、リリースバージョンの通知を現在の移動体通信システムにハイブリッドアクセスモードで動作するＨｅＮＢが存在する旨、あるいはハイブリッドアクセスモードで動作するＨｅＮＢが存在しない旨、あるいはハイブリッドアクセスモードで動作するＨｅＮＢが存在するか否かの情報を併せ持つとすればよい。これにより、無線リソースの有効活用、通知の情報が増加することによる移動体通信システムの複雑性の回避という効果を得ることができる。
【０１３８】
本実施の形態において、周辺ハイブリッド状況の通知方法は、実施の形態３の変形例１と同様であるので、説明を省略する。
【０１３９】
本実施の形態における移動端末としての動作の一例を説明する。本実施の形態における周辺ハイブリッド状況の更なる具体例（１）、（２）を適用した場合の移動端末としての動作の一例は、実施の形態３の変形例１と同様（図２０）であるので説明を省略する。本実施の形態における周辺ハイブリッド状況の更なる具体例（３）を適用した場合の移動端末としての動作の一例を、図３７を用いて説明する。図１４、図１５と同じ参照符号は相当する部分であるので、説明は省略する。
【０１４０】
ステップＳＴ３７０１にて移動端末は、周辺セル（あるいはメジャメント対象セル）の中にハイブリッドアクセスモードで動作するＨｅＮＢが存在するか否かを判断する。この判断には基地局から通知される「周辺ハイブリッド状況」である、周辺に存在するハイブリッドアクセスモードで動作するＨｅＮＢのＰＣＩを用いることができる。周辺に存在するハイブリッドアクセスモードで動作するＨｅＮＢのＰＣＩの通知があれば、周辺セルにハイブリッドアクセスモードで動作するＨｅＮＢが存在すると判断し、ステップＳＴ３７０２へ移行する。周辺に存在するハイブリッドアクセスモードで動作するＨｅＮＢのＰＣＩの通知がなければ、周辺セルにハイブリッドアクセスモードで動作するＨｅＮＢが存在しないと判断し、ステップＳＴ１４０５へ移行する。
【０１４１】
ステップＳＴ３７０２にて移動端末は、基地局から通知される「周辺ハイブリッド状況」である、周辺に存在するハイブリッドアクセスモードで動作するＨｅＮＢのＰＣＩにてセルサーチを行う。ステップＳＴ３７０３にて移動端末は、ＰＣＩスプリット情報にてＣＳＧセル用のＰＣＩ範囲に属するＰＣＩにてセルサーチを行う。
【０１４２】
本実施の形態における周辺ハイブリッド状況の更なる具体例（４）を適用した場合の移動端末としての動作の一例、図３７を用いて説明する。図１４、図１５と同じ参照符号は相当する部分であるので、説明は省略する。
【０１４３】
ステップＳＴ３７０１にて移動端末は、周辺セル（あるいはメジャメント対象セル）の中にハイブリッドアクセスモードで動作するＨｅＮＢが存在するか否かを判断する。この判断には基地局から通知される「周辺ハイブリッド状況」である、周辺セルにハイブリッドアクセスモードが存在する場合のみ通知される、ハイブリッドセルに割当てられるＰＣＩの範囲を用いることができる。ハイブリッドセルに割当てられるＰＣＩの範囲の通知があれば、周辺セルにハイブリッドアクセスモードで動作するＨｅＮＢが存在すると判断し、ステップＳＴ３７０２へ移行する。ハイブリッドセルに割当てられるＰＣＩの範囲の通知がなければ、周辺セルにハイブリッドアクセスモードで動作するＨｅＮＢが存在しないと判断し、ステップＳＴ１４０５へ移行する。
【０１４４】
ステップＳＴ３７０２にて移動端末は、基地局から通知される「周辺ハイブリッド状況」である、ハイブリッドセルに割当てられるＰＣＩの範囲に含まれるＰＣＩにてセルサーチを行う。ステップＳＴ３７０３にて移動端末は、ＰＣＩスプリット情報にてＣＳＧセル用のＰＣＩ範囲に属するＰＣＩにてセルサーチを行う。
【０１４５】
本実施の形態における周辺ハイブリッド状況の更なる具体例（５）を適用した場合の移動端末としての動作の一例、図３７を用いて説明する。図１４、図１５と同じ参照符号は相当する部分であるので、説明は省略する。
【０１４６】
ステップＳＴ３７０１にて移動端末は、周辺セル（あるいはメジャメント対象セル中）にハイブリッドアクセスモードで動作するＨｅＮＢが存在するか否かを判断する。この判断には基地局から通知される「周辺ハイブリッド状況」である、周辺に存在するハイブリッドセルに割当てられるＰＣＩの範囲を用いることができる。周辺に存在するハイブリッドセルに割当てられるＰＣＩの範囲の通知があれば、周辺セルにハイブリッドアクセスモードで動作するＨｅＮＢが存在すると判断し、ステップＳＴ３７０２へ移行する。周辺に存在するハイブリッドセルに割当てられるＰＣＩの範囲の通知がなければ、周辺セルにハイブリッドアクセスモードで動作するＨｅＮＢが存在しないと判断し、ステップＳＴ１４０５へ移行する。
【０１４７】
ステップＳＴ３７０２にて移動端末は、基地局から通知される「周辺ハイブリッド状況」である、周辺に存在するハイブリッドセルに割当てられるＰＣＩの範囲に含まれるＰＣＩにてセルサーチを行う。ステップＳＴ３７０３にて移動端末は、ＰＣＩスプリット情報にてＣＳＧセル用のＰＣＩ範囲に属するＰＣＩにてセルサーチを行う。
【０１４８】
本実施の形態１０により、実施の形態３の変形例１同様、実施の形態３の効果に加えて以下の効果を得ることが出来る。ホワイトリストを有する移動端末のセルサーチの高速化を実現可能となる。ホワイトリストを有する移動端末がハイブリッドアクセスモードで動作するＨｅＮＢが存在しない環境にて、ｎｏｎ−ＣＳＧセル用のＰＣＩ範囲に属するＰＣＩを用いてサーチする必要がなくなる。このことは、サーチ動作を高速に実行できるという効果を得ることが出来る。このことは移動体通信システムの制御遅延を防止するという効果を得ることが出来る。また、移動端末の消費電力の低減という効果を得ることが出来る。
【０１４９】
さらに、本実施の形態における周辺ハイブリッド状況の更なる具体例（３）（４）（５）を適用した場合の移動端末としての動作として、実施の形態３の変形例１、本実施の形態における周辺ハイブリッド状況の更なる具体例（１）、あるいは（２）を適用した場合と比較して以下の効果を得ることができる。ＣＳＧ登録済みの移動端末が、クローズドアクセスモード対応のセルである、ＣＳＧセルおよびハイブリッドセルを検出するためのセルサーチにおいて処理を簡素化することができる。ＣＳＧ登録済みの移動端末が、クローズドアクセスモード対応のセルを検出するために、ＣＳＧセル用のＰＣＩ範囲に属するＰＣＩとハイブリッドセル用のＰＣＩ範囲に属するＰＣＩにてセルサーチを行うことが可能となる。あるいは、ＣＳＧ登録済みの移動端末が、クローズドアクセスモード対応のセルを検出するために、ＣＳＧセル用のＰＣＩ範囲に属するＰＣＩと周辺に存在するハイブリッドセル用のＰＣＩにてセルサーチを行うことが可能となる。つまり、ＣＳＧ登録済みの移動端末が、クローズドアクセスモード対応のセルを検出するために、全ＰＣＩを用いてセルサーチを行うことなく、ＣＳＧセル、及びハイブリッドセルに用いることのないｎｏｎ−ＣＳＧセル用のＰＣＩでのセルサーチ動作を削減することが可能となる。これにより、さらなるサーチ動作を高速に実行できるという効果を得ることが出来る。このことは、さらなる移動体通信システムの制御遅延を防止するという効果を得ることが出来る。また、さらなる移動端末の消費電力の低減という効果を得ることが出来る。
【０１５０】
実施の形態１１．
実施の形態１１にて解決する課題について説明する。ＨｅＮＢ及びＨＮＢは、複数の動作モードが存在することが考えられる。本動作モードはＨｅＮＢ、ＨＮＢ設置後に変更される可能性がある。例えば、実施の形態３の変形例１、実施の形態１０を適用した場合であっても、同様に、周辺のＨｅＮＢのアクセスモードが変更される可能性がある。例えばクローズドアクセスモードで動作している周辺のＨｅＮＢの動作モードがハイブリッドアクセスモードに変更された場合、該サービングセルが傘下の移動端末へ通知する「周辺ハイブリッド状況」を変更する必要が発生する。
【０１５１】
本実施の形態１１では、「周辺ハイブリッド状況」の変更方法について開示する。ネットワーク経由で動作モードを設定する場合における「周辺ハイブリッド状況」の変更方法について開示する。
【０１５２】
例えば、オペレータがネットワーク経由で、ＨｅＮＢ／ＨＮＢの動作モードを設定する。オペレータは、ネットワーク経由でＨｅＮＢ／ＨＮＢの動作モード設定の変更を指示する。ネットワーク側は、該ＨｅＮＢ／ＨＮＢへ動作モードの設定の変更を通知する。ネットワーク側の具体例としては、ＥＰＣ（Evolved Packet Core）、ＭＭＥ、Ｓ−ＧＷ、ＨｅＮＢＧＷなどがある。また、他の具体例として、Ｏ＆Ｍ（Operating & Management）用のシステム、ノード、エンティティ、ファンクション、エレメントなどであっても良い。該変更の通知には、Ｓ１インタフェース、あるいはブロードバンド回線を用いても良い。また、Ｏ＆Ｍ用のインタフェースであっても良い。該動作モードの設定の変更の通知には、変更後の動作モード、あるいは変更前と変更後の動作モードなどが含まれても良い。
【０１５３】
ネットワーク側は、該ＨｅＮＢ／ＨＮＢの動作モード設定の変更により「周辺ハイブリッド状況」を変更する必要があるセルに対して、変更した「周辺ハイブリッド状況」を通知する。該「周辺ハイブリッド状況」の通知には、Ｓ１インタフェース、あるいはブロードバンド回線を用いても良い。
【０１５４】
あるいは、ネットワーク側は、該ＨｅＮＢ／ＨＮＢの動作モード設定の変更により「周辺ハイブリッド状況」を変更する必要があるセルに対して、変更依頼を通知しても良い。「周辺ハイブリッド状況」の変更依頼を受信したセルは、「周辺ハイブリッド状況」の変更を実行する。該変更依頼の通知には、Ｓ１インタフェース、あるいはブロードバンド回線を用いても良い。「周辺ハイブリッド状況」の変更依頼には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。
【０１５５】
該ＨｅＮＢ／ＨＮＢの動作モード設定の変更により「周辺ハイブリッド状況」を変更する必要があるセルとしては、動作モード設定が変更されたＨｅＮＢ／ＨＮＢをハンドオーバ先、あるいはセル再選択先として選択する可能性のあるセルとする。また、「周辺ハイブリッド状況」を、ＮＣＬを用いて傘下の移動端末に通知している場合、該ＨｅＮＢ／ＨＮＢの動作モード設定の変更により「ＮＣＬ」を変更する必要があるセルを選択しても良い。
【０１５６】
該ＨｅＮＢ／ＨＮＢの動作モード設定の変更により「周辺ハイブリッド状況」を変更する必要があるセルの選択方法の具体例について以下７つ開示する。
【０１５７】
（１）動作モード設定が変更されたＨｅＮＢ／ＨＮＢ以外のＨｅＮＢ／ＨＮＢ傘下の移動端末のメジャメントレポートを用いる。さらに具体例として以下２つ開示する。
【０１５８】
（１−１）動作モード設定が変更されたＨｅＮＢ／ＨＮＢ以外のＨｅＮＢ／ＨＮＢ傘下の移動端末のメジャメントレポートにて、動作モード設定が変更されたＨｅＮＢ／ＨＮＢをハンドオーバ先（ターゲットセル）として選択した場合、該移動端末のサービングセルを該ＨｅＮＢ／ＨＮＢの動作モード設定の変更により「周辺ハイブリッド状況」を変更する必要があるとする。
【０１５９】
（１−２）動作モード設定が変更されたＨｅＮＢ／ＨＮＢ以外のＨｅＮＢ／ＨＮＢ傘下の移動端末が、サービングセルより動作モード設定が変更されたＨｅＮＢ／ＨＮＢの受信品質が良好であると報告した場合、該移動端末のサービングセルを該ＨｅＮＢ／ＨＮＢの動作モード設定の変更により「周辺ハイブリッド状況」を変更する必要があるとする。本具体例により、動作モード設定が変更されたＨｅＮＢ／ＨＮＢ以外のＨｅＮＢ／ＨＮＢ傘下の移動端末のメジャメントレポートを用いるため、動作モード設定が変更されたＨｅＮＢ／ＨＮＢをハンドオーバ先、あるいはセル再選択先として選択する可能性のあるセルを的確に選択することが可能となる。つまり、「周辺ハイブリッド状況」を変更する必要があるセルとして、無駄なセルを選択しないという効果を得ることができる。
【０１６０】
（２）動作モード設定が変更されたＨｅＮＢ／ＨＮＢ傘下の移動端末のメジャメントレポートを用いる。さらに具体例として以下３つ開示する。
【０１６１】
（２−１）動作モード設定が変更されたＨｅＮＢ／ＨＮＢが傘下の移動端末のメジャメントレポートを用いてハンドオーバ先（ターゲットセル）として選択したセルを、該ＨｅＮＢ／ＨＮＢの動作モード設定の変更により「周辺ハイブリッド状況」を変更する必要があるとする。
【０１６２】
（２−２）傘下の移動端末がサービングセル、つまり動作モード設定が変更されたＨｅＮＢ／ＨＮＢより受信品質が良好であると報告したセルを該ＨｅＮＢ／ＨＮＢの動作モード設定の変更により「周辺ハイブリッド状況」を変更する必要があるとする。
【０１６３】
（２−３）傘下の移動端末が、受信品質がある閾値より良好であると報告したセルを該ＨｅＮＢ／ＨＮＢの動作モード設定の変更により「周辺ハイブリッド状況」を変更する必要があるとする。ある閾値は、静的に決められていても、準静的に決められていても良い。
【０１６４】
本具体例（２）により、具体例（１）と比較して、動作モード設定が変更されたＨｅＮＢ／ＨＮＢ以外のＨｅＮＢ／ＨＮＢ傘下の移動端末のメジャメントレポートを用いる必要が無く、動作モード設定が変更されたＨｅＮＢ／ＨＮＢ傘下の移動端末のメジャメントレポートを用いればよく、「周辺ハイブリッド状況」を変更する必要があるセルの選択方法についての処理負荷が軽減される、という効果を得ることができる。
【０１６５】
（３）セルの位置情報を用いる。ネットワーク側は、各セルの位置情報から動作モード設定が変更されたＨｅＮＢ／ＨＮＢから、ある距離以内に設置されているセルを該ＨｅＮＢ／ＨＮＢの動作モード設定の変更により「周辺ハイブリッド状況」を変更する必要があるセルとする。ある距離は、静的に決められていても、準静的に決められていても良い。本具体例により、具体例（１）（２）と比較してメジャメントレポートを記憶、処理する必要がないため、「周辺ハイブリッド状況」を変更する必要があるセルの選択方法についての処理負荷が軽減されるという効果を得ることができる。
【０１６６】
（４）動作モード設定が変更されたＨｅＮＢ／ＨＮＢ以外のＨｅＮＢ／ＨＮＢの周辺セル情報中に、あるいは周辺セルリスト中に、動作モード設定が変更されたＨｅＮＢ／ＨＮＢの情報が含まれていた場合、該動作モード設定が変更されたＨｅＮＢ／ＨＮＢ以外のＨｅＮＢ／ＨＮＢを該ＨｅＮＢ／ＨＮＢの動作モード設定の変更により「周辺ハイブリッド状況」を変更する必要があるとする。本具体例により、具体例（１）（２）（３）と比較してメジャメントレポートを記憶、処理する、あるいは閾値などとの比較が必要ないため、「周辺ハイブリッド状況」を変更する必要があるセルの選択方法についての処理負荷が軽減されるという効果を得ることができる。
【０１６７】
（５）動作モード設定が変更されたＨｅＮＢ／ＨＮＢの周辺セル情報、あるいは周辺セルリストに含まれるセルを該ＨｅＮＢ／ＨＮＢの動作モード設定の変更により「周辺ハイブリッド状況」を変更する必要があるとする。本具体例により、具体例（１）（２）（３）と比較してメジャメントレポートを記憶、処理する、あるいは閾値などとの比較が必要ないため、「周辺ハイブリッド状況」を変更する必要があるセルの選択方法についての処理負荷が軽減されるという効果を得ることができる。また、具体例（４）と比較して動作モード設定が変更されたＨｅＮＢ／ＨＮＢ以外の周辺セル情報を考慮する必要が無い点において、「周辺ハイブリッド状況」を変更する必要があるセルの選択方法についての処理負荷が軽減されるという効果を得ることができる。
【０１６８】
（６）動作モード設定が変更されたＨｅＮＢ／ＨＮＢが接続される１つあるいは複数のＭＭＥに接続される他のセルを該ＨｅＮＢ／ＨＮＢの動作モード設定の変更により「周辺ハイブリッド状況」を変更する必要があるセルとする。現在３ＧＰＰにおいて議論されているＬＴＥ方式の移動体通信システムの全体的な構成を、図３８を用いて説明する。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB(NB)、GERANのBSS）とを含めたシステムの全体的な構成が検討されており、ｅ−ＵＴＲＡＮについては、図３８のような構成が提案されている（非特許文献１  ４．６．１.章）。図３８について説明する。
【０１６９】
移動端末（ＵＥ）３８０１は基地局３８０２と送受信を行う。基地局３８０２はｅＮＢ３８０２−１と、Ｈｏｍｅ−ｅＮＢ３８０２−２とに分類される。ｅＮＢ３８０２−１はＭＭＥ３８０３とインタフェースＳ１により接続され、ｅＮＢとＭＭＥとの間で制御情報が通信される。ひとつのｅＮＢ３８０２−１に対して複数のＭＭＥ３８０３が接続されてもよい。ｅＮＢ間はインタフェースＸ２により接続され、ｅＮＢ間で制御情報が通信される。Ｈｏｍｅ−ｅＮＢ３８０２−２はＭＭＥ３８０３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。あるいは、Ｈｏｍｅ−ｅＮＢ３８０２−２はＨｅＮＢＧＷ（Home-eNB GateWay）３８０４を介してＭＭＥ３８０３と接続される。Ｈｏｍｅ−ｅＮＢとＨｅＧＷはインタフェースＳ１により接続され、ＨｅＮＢＧＷ３８０４とＭＭＥ３８０３はインタフェースＳ１を介して接続される。ひとつまたは複数のＨｏｍｅ−ｅＮＢ３８０２−２がひとつのＨｅＮＢＧＷ３８０４と接続され、Ｓ１を通して情報が通信される。ＨｅＮＢＧＷ３８０４はひとつまたは複数のＭＭＥ３８０３と接続され、Ｓ１を通して情報が通信される。さらに現在３ＧＰＰでは以下のような構成が検討されている。Ｈｏｍｅ−ｅＮＢ３８０２−２間のインタフェースＸ２はサポートされない。ＭＭＥ３８０３からは、ＨｅＮＢＧＷ３８０４はｅＮＢ３８０２−１として見える。Ｈｏｍｅ−ｅＮＢ３８０２−２からは、ＨｅＮＢＧＷ３８０４はＭＭＥ３８０３として見える。Ｈｏｍｅ−ｅＮＢ３８０２−２がＨｅＮＢＧＷ３８０４を介してＥＰＣに接続されるか否かに関係なく、Ｈｏｍｅ−ｅＮＢ３８０２−２とＥＰＣ間のインタフェースＳ１は同じである。ＭＭＥ３８０３をまたがるような、Ｈｏｍｅ−ｅＮＢ３８０２−２へのモビリティ、あるいはＨｏｍｅ−ｅＮＢ３８０２−２からのモビリティはサポートされない。Ｈｏｍｅ−ｅＮＢ３８０２−２は唯一のセルをサポートする。
【０１７０】
本具体例により、具体例（１）（２）（３）（４）（５）と比較して、動作モード設定が変更されたＨｅＮＢ／ＨＮＢによらずに、ネットワーク側は一意に「周辺ハイブリッド状況」を変更する必要があるセルを選択可能となるので、「周辺ハイブリッド状況」を変更する必要があるセルの選択方法についての処理負荷が軽減されるという効果を得ることができる。
【０１７１】
（７）動作モード設定が変更されたＨｅＮＢ／ＨＮＢが接続されるＨｅＮＢＧＷに接続される他のセルを、該ＨｅＮＢ／ＨＮＢの動作モード設定の変更により「周辺ハイブリッド状況」を変更する必要があるセルとする。本具体例により、具体例（１）（２）（３）（４）（５）と比較して、動作モード設定が変更されたＨｅＮＢ／ＨＮＢによらずに、ネットワーク側は一意に「周辺ハイブリッド状況」を変更する必要があるセルを選択可能となるので、「周辺ハイブリッド状況」を変更する必要があるセルの選択方法についての処理負荷が軽減されるという効果を得ることができる。
【０１７２】
次に移動体通信システムの動作を説明する。図３９に説明に用いるセルの配置例について示す。マクロセル３９０１のカバレッジ３９０２内にＨｅＮＢ／ＨＮＢ３９０９が設置されている。ＨｅＮＢ／ＨＮＢ３９０９のカバレッジは３９１０である。マクロセル３９０１に隣接してマクロセル３９０３が設置されている。マクロセル３９０３のカバレッジは３９０４である。マクロセル３９０１、及びマクロセル３９０３のセル境界付近に、ＨｅＮＢ／ＨＮＢ３９０５、ＨｅＮＢ／ＨＮＢ３９０７が設置されている。ＨｅＮＢ／ＨＮＢ３９０５のカバレッジは３９０６である。ＨｅＮＢ／ＨＮＢ３９０７のカバレッジは３９０８である。
【０１７３】
図４０を用いて、移動体通信システムの動作の一例を示す。ステップＳＴ４００１にてネットワークは、例えばオペレータからＨｅＮＢの動作モード設定変更の指示を受ける。動作モード変更に伴いＰＣＩを変更する必要があれば、ネットワーク側は、新たな動作モードに適したＰＣＩを選択しても良い。新たな動作モードに適したＰＣＩとは、新たな動作モード用のＰＣＩ範囲に含まれるＰＣＩであっても良い。ステップＳＴ４００２にてネットワークは、オペレータから動作モード設定変更の指示を受けたＨｅＮＢに対して、動作モードの設定の変更を通知する。ネットワーク側は、動作モード設定変更の指示を受けたＨｅＮＢに対して、新たな動作モードに適したＰＣＩを通知しても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。ステップＳＴ４００３にて動作モード設定変更の指示を受けたＨｅＮＢは、指示に従い、動作モード設定の変更を実行する。ステップ４００１にて新たな動作モードに適したＰＣＩの通知を受信した場合、指示に従い、ＰＣＩの変更を実行する。あるいは、動作モード設定の変更の指示を受けたＨｅＮＢが、新たな動作モードに適したＰＣＩを選択しても良い。新たな動作モードに適したＰＣＩとは、新たな動作モード用のＰＣＩ範囲に含まれるＰＣＩであっても良い。選択の際、該ＨｅＮＢは、周辺のセルの受信品質を測定してもよい。具体的なＰＣＩ選択方法の一例を開示する。周辺のセルの受信品質にて良好な受信品質のセル（受信品質をＳＩＲで表した場合、ＳＩＲが高いセル）からは、干渉を受けやすいとして、該セルと同じ、あるいは類似のＰＣＩを選択しないようにする。類似のＰＣＩとは、相関が高いＰＣＩを意味する。良好な受信品質のセルは、１つであっても複数であっても良い。良好な受信品質のセルを決定する際、閾値を用いてもよい。例えば、受信品質が閾値より良好（受信品質をＳＩＲで表した場合、閾値より受信品質が高い）であれば、該セルを良好な受信品質のセルと判断しても良い。新たな動作モードに適したＰＣＩの選択は、ステップＳＴ４００２の動作モード設定変更の指示の後であっても良い。該ＨｅＮＢは、ＰＣＩの変更を実行する。新たな動作モードに適したＰＣＩをＨｅＮＢが選択した場合、該ＨｅＮＢはネットワーク側へ、該ＰＣＩを通知しても良い。該通知には、Ｓ１インタフェース、あるいはブロードバンド回線を用いても良い。また、Ｏ＆Ｍ用のインタフェースであっても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。
【０１７４】
ステップＳＴ４００４にてネットワークは、「周辺ハイブリッド状況」を変更する必要があるセルを選択する。あるいは、ＮＣＬを変更する必要があるセルを選択しても良い。例えば図３９を用いて説明する。ＨｅＮＢ／ＨＮＢ３９０５の動作モード設定をクローズドアクセスモードからハイブリッドアクセスモードに変更する場合を検討する。その場合、ステップＳＴ４００４にて例えば、マクロセル３９０１、マクロセル３９０３、ＨｅＮＢ／ＨＮＢ３９０７が「周辺ハイブリッド状況」を変更する必要があるセルとして選択される。例えば図３９を用いて説明する。ＨｅＮＢ／ＨＮＢ３９０９の動作モード設定をクローズドアクセスモードからハイブリッドアクセスモードに変更する場合を検討する。その場合、ステップＳＴ４００４にて例えば、マクロセル３９０１が「周辺ハイブリッド状況」を変更する必要があるセルとして選択される。
【０１７５】
ステップＳＴ４００５にてネットワークは、ステップＳＴ４００４にて選択したセルの「周辺ハイブリッド状況」を変更する。あるいは、ＮＣＬを変更するとしても良い。ステップＳＴ４００６にてネットワークは、ステップＳＴ４００４にて選択したセルに対して、ステップＳＴ４００５にて変更した「周辺ハイブリッド状況」を通知する。あるいは、ＮＣＬを通知するとしても良い。ステップＳＴ４００７にて、「周辺ハイブリッド状況」を受信したセルは、受信した「周辺ハイブリッド状況」を傘下の移動端末へ通知する。
【０１７６】
実施の形態１１により以下の効果を得ることが出来る。ＨｅＮＢ、ＨＮＢ設置後に動作モード設定が変更される場合であっても、適切に「周辺ハイブリッド状況」あるいは「ＮＣＬ」を変更可能となる効果を得ることができる。また、本実施の形態によりオペレータあるいはＨｅＮＢ／ＨＮＢのオーナが「周辺ハイブリッド状況」の変更作業が必要ない。こうすることで、オペレータあるいはＨｅＮＢ／ＨＮＢのオーナの作業負荷やコスト発生を抑えつつ、動作モード設定変更に伴う、「周辺ハイブリッド状況」を更新することが可能となる。これにより、ＨｅＮＢ、ＨＮＢ設置後に動作モード設定が変更される場合であっても、実施の形態３の変形例１、実施の形態１０を適用することが可能となり、実施の形態３の変形例１、実施の形態１０の効果を得ることが出来る。
【０１７７】
実施の形態１１  変形例１．
実施の形態１１の変形例１にて解決する課題は、実施の形態１１と同様であるので、説明を省略する。
【０１７８】
本実施の形態１１の変形例１では、ＨｅＮＢ／ＨＮＢ経由で動作モードを設定する場合における「周辺ハイブリッド状況」の変更方法について開示する。例えば、ＨｅＮＢ／ＨＮＢのオーナは、直接ＨｅＮＢ／ＨＮＢの動作モード設定の変更を指示する。ＨｅＮＢ／ＨＮＢは、動作モード設定の変更により「周辺ハイブリッド状況」を変更する必要があるセルに対して、変更依頼を通知する。「周辺ハイブリッド状況」の変更依頼を受信したセルは、「周辺ハイブリッド状況」の変更を実行する。該変更の通知には、Ｘ２インタフェース、あるいはブロードバンド回線を用いても良い。「周辺ハイブリッド状況」の変更依頼には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。
【０１７９】
該ＨｅＮＢ／ＨＮＢの動作モード設定の変更により「周辺ハイブリッド状況」を変更する必要があるセルとしては、動作モード設定が変更されたＨｅＮＢ／ＨＮＢをハンドオーバ先、あるいはセル再選択先として選択する可能性のあるセルとする。また、「周辺ハイブリッド状況」を、ＮＣＬを用いて傘下の移動端末に通知している場合、該ＨｅＮＢ／ＨＮＢの動作モード設定の変更により「ＮＣＬ」を変更する必要があるセルを選択しても良い。
【０１８０】
該ＨｅＮＢ／ＨＮＢの動作モード設定の変更により「周辺ハイブリッド状況」を変更する必要があるセルの選択方法の具体例について以下３つ開示する。
【０１８１】
（１）動作モード設定が変更されたＨｅＮＢ／ＨＮＢが行った、周辺セルの測定結果を用いる。受信品質がある閾値より良好であるセルを、該ＨｅＮＢ／ＨＮＢの動作モード設定の変更により「周辺ハイブリッド状況」を変更する必要があるとしても良い。ある閾値は、静的に決められていても、準静的に決められていても良い。
【０１８２】
（２）動作モード設定が変更されたＨｅＮＢ／ＨＮＢ傘下の移動端末のメジャメントレポートを用いる。さらに具体例として以下３つ開示する。
【０１８３】
（２−１）動作モード設定が変更されたＨｅＮＢ／ＨＮＢが傘下の移動端末のメジャメントレポートを用いてハンドオーバ先（ターゲットセル）として選択したセルを、該ＨｅＮＢ／ＨＮＢの動作モード設定の変更により「周辺ハイブリッド状況」を変更する必要があるとする。
【０１８４】
（２−２）傘下の移動端末がサービングセル、つまり動作モード設定が変更されたＨｅＮＢ／ＨＮＢより受信品質が良好であると報告したセルを、該ＨｅＮＢ／ＨＮＢの動作モード設定の変更により「周辺ハイブリッド状況」を変更する必要があるとする。
【０１８５】
（２−３）傘下の移動端末が、受信品質がある閾値より良好であると報告したセルを、該ＨｅＮＢ／ＨＮＢの動作モード設定の変更により「周辺ハイブリッド状況」を変更する必要があるとする。ある閾値は、静的に決められていても、準静的に決められていても良い。
【０１８６】
本具体例により、具体例（１）と比較して、セルに周辺セルの測定という新たな機能を追加する必要がなくなる。これにより、移動体通信システムの複雑性回避という効果を得ることができる。
【０１８７】
（３）動作モード設定が変更されたＨｅＮＢ／ＨＮＢの周辺セル情報、あるいは周辺セルリストに含まれるセルを、該ＨｅＮＢ／ＨＮＢの動作モード設定の変更により「周辺ハイブリッド状況」を変更する必要があるとする。本具体例により、具体例（１）（２）と比較してメジャメントレポートを記憶、処理する、あるいは閾値などとの比較が必要ないため、「周辺ハイブリッド状況」を変更する必要があるセルの選択方法についての処理負荷が軽減されるという効果を得ることができる。
【０１８８】
次に移動体通信システムの動作を説明する。図３９に説明に用いるセルの配置例について示す。図４１に移動体通信システムの動作の一例を示す。図３９のセル設置例については、実施の形態１１と同様であるので説明を省略する。図４１を用いて、移動体通信システムの動作の一例を示す。図４０と同じ参照符号は相当する部分であるので、説明は省略する。ステップＳＴ４１０１にてＨｅＮＢは、オーナから動作モード設定変更の指示を受ける。
【０１８９】
ステップＳＴ４１０２にてＨｅＮＢは、「周辺ハイブリッド状況」を変更する必要があるセルを選択する。あるいは、ＮＣＬを変更する必要があるセルを選択しても良い。例えば図３９において、ＨｅＮＢ／ＨＮＢ３９０５の動作モード設定をクローズドアクセスモードからハイブリッドアクセスモードに変更する場合を検討する。その場合、ステップＳＴ４１０２にて例えば、マクロセル３９０１、マクロセル３９０３、ＨｅＮＢ／ＨＮＢ３９０７が「周辺ハイブリッド状況」を変更する必要があるセルとして選択される。また、例えば図３９において、ＨｅＮＢ／ＨＮＢ３９０９の動作モード設定をクローズドアクセスモードからハイブリッドアクセスモードに変更する場合を検討する。その場合、ステップＳＴ４１０２にて例えば、マクロセル３９０１が「周辺ハイブリッド状況」を変更する必要があるセルとして選択される。
【０１９０】
ステップＳＴ４１０３にてＨｅＮＢは、ステップＳＴ４１０２にて選択したセルに対して、「周辺ハイブリッド状況」の変更依頼を通知する。あるいは、ＮＣＬの変更依頼を通知するとしても良い。ＨｅＮＢは、ステップＳＴ４１０２にて選択したセルに対して、新たな動作モードに適したＰＣＩを通知しても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。ステップＳＴ４１０４にて、「周辺ハイブリッド状況」の変更依頼を受信したセルは、周辺ハイブリッド状況を変更する。あるいは、ＮＣＬを変更するとしても良い。ステップＳＴ４１０５にて、「周辺ハイブリッド状況」を受信したセルは、ステップＳＴ４１０４にて変更した「周辺ハイブリッド状況」を傘下の移動端末へ通知する。
【０１９１】
実施の形態１１の変形例１は、実施の形態１１と組み合わせて用いることができる。
【０１９２】
実施の形態１１の変形例１により実施の形態１１に加えて以下の効果を得ることが出来る。ＨｅＮＢ、ＨＮＢ経由で行われていたＨｅＮＢ、ＨＮＢの動作モード設定変更に対しても、ＨｅＮＢ、ＨＮＢ設置後に動作モード設定が変更される場合であっても、適切に「周辺ハイブリッド状況」あるいは「ＮＣＬ」を変更可能となる効果を得ることができる。また、ＨｅＮＢ、ＨＮＢ経由で行われた、ＨｅＮＢ、ＨＮＢの動作モード設定変更に対しても、本実施の形態によりオペレータあるいはＨｅＮＢ／ＨＮＢのオーナが「周辺ハイブリッド状況」の変更作業が必要ない。こうすることで、オペレータあるいはＨｅＮＢ／ＨＮＢのオーナの作業負荷やコスト発生を抑えつつ、動作モード設定変更に伴う、「周辺ハイブリッド状況」を更新することが可能となる。これにより、ＨｅＮＢ、ＨＮＢ経由で行われた、ＨｅＮＢ、ＨＮＢの動作モード設定変更に対しても、ＨｅＮＢ、ＨＮＢ設置後に動作モード設定が変更される場合であっても、実施の形態３の変形例１、実施の形態１０を適用することが可能となり、実施の形態３の変形例１、実施の形態１０の効果を得ることが出来る。
【０１９３】
実施の形態１１  変形例２．
実施の形態１１の変形例２にて解決する課題は、実施の形態１１、実施の形態１１の変形例１と同様であるので、説明を省略する。
【０１９４】
本実施の形態１１の変形例２では、ＨｅＮＢ／ＨＮＢ経由で行われる動作モードを設定する場合における「周辺ハイブリッド状況」の変更方法について、実施の形態１１の変形例１とは別の解決策を開示する。例えば、ＨｅＮＢ／ＨＮＢのオーナは、直接ＨｅＮＢ／ＨＮＢの動作モード設定の変更を指示する。ＨｅＮＢ／ＨＮＢは、動作モード設定変更の指示を受けたＨｅＮＢは、指示に従い、動作モード設定の変更を実行する。
【０１９５】
ＨｅＮＢ／ＨＮＢは、ネットワーク側へ動作モード設定変更の報告を通知する。該報告の通知にはＳ１インタフェース、あるいはブロードバンド回線を用いても良い。該報告には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。ネットワーク側の具体例としては、ＥＰＣ（Evolved Packet Core）、ＭＭＥ、Ｓ−ＧＷ、ＨｅＮＢＧＷなどがある。
【０１９６】
該報告を受信したネットワーク側は、該ＨｅＮＢ／ＨＮＢの動作モード設定の変更により「周辺ハイブリッド状況」を変更する必要があるセルに対して、変更した「周辺ハイブリッド状況」を通知する。該変更の通知には、Ｓ１インタフェース、あるいはブロードバンド回線を用いても良い。
【０１９７】
あるいは、該報告を受信したネットワーク側は、該ＨｅＮＢ／ＨＮＢの動作モード設定の変更により「周辺ハイブリッド状況」を変更する必要があるセルに対して、変更依頼を通知しても良い。「周辺ハイブリッド状況」の変更依頼を受信したセルは、「周辺ハイブリッド状況」の変更を実行する。該変更の通知には、Ｓ１インタフェース、あるいはブロードバンド回線を用いても良い。「周辺ハイブリッド状況」の変更依頼には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。
【０１９８】
該ＨｅＮＢ／ＨＮＢの動作モード設定の変更により「周辺ハイブリッド状況」を変更する必要があるセルとしては、動作モード設定が変更されたＨｅＮＢ／ＨＮＢをハンドオーバ先、あるいはセル再選択先として選択する可能性のあるセルとする。また、「周辺ハイブリッド状況」を、ＮＣＬを用いて傘下の移動端末に通知している場合、該ＨｅＮＢ／ＨＮＢの動作モード設定の変更により「ＮＣＬ」を変更する必要があるセルを選択しても良い。
【０１９９】
該ＨｅＮＢ／ＨＮＢの動作モード設定の変更により「周辺ハイブリッド状況」を変更する必要があるセルの選択方法の具体例は実施の形態１１と同様であるので説明を省略する。
【０２００】
次に移動体通信システムの動作を説明する。図３９に説明に用いるセルの配置例について示す。図４２に移動体通信システムの動作の一例を示す。図４０、図４１と同じ参照符号は相当する部分であるので、説明は省略する。ステップＳＴ４２０１にてＨｅＮＢは、ネットワーク側へ動作モード設定変更の報告を通知する。ＨｅＮＢは、ネットワーク側へ新たな動作モードに適したＰＣＩを通知しても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。
【０２０１】
実施の形態１１の変形例２により実施の形態１１の変形例１と同様の効果を得ることが出来る。
【０２０２】
実施の形態１１、実施の形態１１の変形例１、実施の形態１１の変形例２にて、動作モード設定の変更に伴う新たな動作モードに適したＰＣＩの選択方法について開示した。一方、実施の形態１を適用した場合、動作モードの設定の変更伴うＰＣＩの変更を行う必要は無い。この点においても、実施の形態１は優れた方法である。
【０２０３】
実施の形態１１、実施の形態１１の変形例１、実施の形態１１の変形例２では、ＨｅＮＢ／ＨＮＢの動作モードが変更された場合の「周辺ハイブリッド状況」を変更する方法を開示した。ＨｅＮＢ／ＨＮＢの動作モードが変更された場合のみではなく、新たにＨｅＮＢ／ＨＮＢが設定された場合においても、新たに設置された場所の周辺のセルの「周辺ハイブリッド状況」を変更する必要が発生する。該状況においても実施の形態１１、実施の形態１１の変形例１、実施の形態１１の変形例２を適用可能である。
【０２０４】
ＬＴＥシステムでは、セルフコンフィグレーションあるいはセルフオプティマイゼーション機能をサポートすることが検討されており、またその中で、ＡＮＲ（Automatic Neighbour Relation）機能が検討されている（非特許文献１）。ＡＮＲ機能は、隣接セルとの関係（Neighbour Relations (NRs)）の取扱いをオペレータが手動で行うのではなく、自動で行うようにする機能である。自動に行わせることで、オペレータの作業負荷やコストの増大を軽減することが可能となる。
【０２０５】
実施の形態１１、実施の形態１１の変形例１、実施の形態１１の変形例２で開示した方法を、該ＡＮＲ機能の一部として組み込むようにしても良い。該ＡＮＲ機能に「周辺ハイブリッド状況」を変更する方法を組み込むと良い。該ＡＮＲ機能は、ｅＮＢあるいはＨｅＮＢ／ＨＮＢに設けられても良いし、ネットワーク側に設けられても良い。
【０２０６】
こうすることで、オペレータあるいはＨｅＮＢ／ＨＮＢのオーナの作業負荷やコスト増大無しに、本実施の形態で開示した方法を行うことが可能となり、さらなる移動体通信システムの高性能化、さらなる移動端末の低消費電力化という効果を得ることが出来る。さらに、将来のＨｅＮＢ／ＨＮＢの設置数が増大した場合にも、該ＨｅＮＢ／ＨＮＢの柔軟な設置や動作モードの変更に対応した移動体通信システムを構築することが可能となる。  本発明において、実施の形態１から実施の形態１１  変形例１で個別に記載したが、これらは組合せて用いても良い。
【０２０７】
本発明についてはＬＴＥシステム（Ｅ−ＵＴＲＡＮ）を中心に記載したが、Ｗ−ＣＤＭＡシステム（ＵＴＲＡＮ、ＵＭＴＳ）及びＬＴＥ−Ａｄｖａｎｃｅｄについて適用可能である。更には、ＣＳＧ（Closed Subscriber Group）が導入される移動体通信システムおよび、ＣＳＧと同じようにオペレータが加入者を特定し、特定された加入者がアクセスを許可されるような通信システムにおいて適用可能である。
【０２０８】
本発明についてはＨｅＮＢ／ＨＮＢがハイブリッドアクセスモードをサポートした場合を中心に記載した。移動体通信システムの他のエンティティが、ハイブリッドアクセスモードをサポートする場合にも本発明は適用可能である。具体例としては、カバレッジが大きいセル、例えばマクロセル、あるいはカバレッジが小さいセル、例えばマイクロセル、ピコセル、フェムトセル、ホットスポット、あるいはリレーなどが、ハイブリッドアクセスモードをサポートする場合にも本発明は適用可能である。
【０２０９】
本発明についてはＨｅＮＢ／ＨＮＢが複数のモードをサポートした場合を中心に記載した。移動体通信システムの他のエンティティが、複数のモードをサポートする場合にも本発明は適用可能である。具体例としては、カバレッジが大きいセル、例えばマクロセル、あるいはカバレッジが小さいセル、例えばマイクロセル、ピコセル、フェムトセル、ホットスポット、あるいはリレーなどが、複数のモードをサポートする場合にも本発明は適用可能である。
【０２１０】
なお、本願発明はその発明の範囲内において、各実施の形態の自由な組み合わせ、あるいは各実施の形態の任意の構成要素の変形、もしくは各実施の形態において任意の構成要素の省略が可能である。
【図１】
0005523609.tif 000002
【図２】
0005523609.tif 000003
【図３】
0005523609.tif 000004
【図４】
0005523609.tif 000005
【図５】
0005523609.tif 000006
【図６】
0005523609.tif 000007
【図７】
0005523609.tif 000008
【図８】
0005523609.tif 000009
【図９】
0005523609.tif 000010
【図１０】
0005523609.tif 000011
【図１１】
0005523609.tif 000012
【図１２】
0005523609.tif 000013
【図１３】
0005523609.tif 000014
【図１４】
0005523609.tif 000015
【図１５】
0005523609.tif 000016
【図１６】
0005523609.tif 000017
【図１７】
0005523609.tif 000018
【図１８】
0005523609.tif 000019
【図１９】
0005523609.tif 000020
【図２０】
0005523609.tif 000021
【図２１】
0005523609.tif 000022
【図２２】
0005523609.tif 000023
【図２３】
0005523609.tif 000024
【図２４】
0005523609.tif 000025
【図２５】
0005523609.tif 000026
【図２６】
0005523609.tif 000027
【図２７】
0005523609.tif 000028
【図２８】
0005523609.tif 000029
【図２９】
0005523609.tif 000030
【図３０】
0005523609.tif 000031
【図３１】
0005523609.tif 000032
【図３２】
0005523609.tif 000033
【図３３】
0005523609.tif 000034
【図３４】
0005523609.tif 000035
【図３５】
0005523609.tif 000036
【図３６】
0005523609.tif 000037
【図３７】
0005523609.tif 000038
【図３８】
0005523609.tif 000039
【図３９】
0005523609.tif 000040
【図４０】
0005523609.tif 000041
【図４１】
0005523609.tif 000042
【図４２】
0005523609.tif 000043